(57)【特許請求の範囲】
【請求項１】
ワイヤレス通信の方法であって、
共有帯域のフレームのために第１の基地局に割り当てられるクリアチャネルアセスメント（ＣＣＡ）スロットを特定することと、前記フレームは時間同期と関連付けられる、
ＣＣＡを、前記フレームのための前記特定されたＣＣＡスロットで、前記ＣＣＡスロットのタイミング階層に基づいて、行うことと、前記タイミング階層は、前記第１の基地局とグローバルポジショニングシステム（ＧＰＳ）同期されたタイミングソースとの間の最小数のホップを示す、
前記第１の基地局の前記タイミング階層に基づいて、タイミング同期と関連付けられる複数のフレームのために前記第１の基地局のＣＣＡの頻度をゲーティングすることと、
前記ＣＣＡが成功したと決定することに応答して、前記フレームの少なくとも１つの参照信号リソース要素の間に前記第１の基地局の第１のタイミング情報を選択的に送信することと、
前記ＣＣＡが成功しないときに、前記フレームの間に第２の基地局の第２のタイミング情報を聴取することとを備える、方法。
【請求項２】
前記ゲーティングの周期性が前記第１の基地局の前記タイミング階層に基づく、請求項１に記載の方法。
【請求項３】
前記ＣＣＡが成功しないと決定することと、
前記第１の基地局で、前記フレームのために前記第２の基地局からチャネル使用ビーコン信号を受信することとをさらに備える、請求項１に記載の方法。
【請求項４】
前記フレームの間に前記第２の基地局から前記第２のタイミング情報を受信することと、
前記第１の基地局のタイミングを、前記フレームの間に前記第２の基地局から受信された前記第２のタイミング情報に基づいて調整することとをさらに備える、請求項３に記載の方法。
【請求項５】
前記第１の基地局の前記タイミングを、第３の基地局から受信された第３のタイミング情報に基づいて調整することをさらに備える、請求項４に記載の方法。
【請求項６】
前記フレームの間に少なくとも１つのユーザ機器（ＵＥ）にデータを送信することをさらに備え、前記データが前記第１のタイミング情報の前記送信と同時に前記ＵＥに送信される、請求項１に記載の方法。
【請求項７】
ワイヤレス通信のための装置であって、
プロセッサと、
前記プロセッサに結合されたメモリとを備え、前記プロセッサは、
共有帯域のフレームのために第１の基地局に割り当てられるクリアチャネルアセスメント（ＣＣＡ）スロットを特定することと、前記フレームは時間同期と関連付けられる、
ＣＣＡを、前記フレームのための前記特定されたＣＣＡスロットで、前記ＣＣＡスロットのタイミング階層に基づいて、行うことと、前記タイミング階層は、前記第１の基地局とグローバルポジショニングシステム（ＧＰＳ）同期されたタイミングソースとの間の最小数のホップを示す、
前記第１の基地局の前記タイミング階層に基づいて、タイミング同期と関連付けられる複数のフレームのために前記第１の基地局のＣＣＡの頻度をゲーティングすることと、
前記ＣＣＡが成功したと決定することに応答して、前記フレームの少なくとも１つの参照信号リソース要素の間に前記第１の基地局の第１のタイミング情報を選択的に送信することと、
前記ＣＣＡが成功しないときに、前記フレームの間に第２の基地局の第２のタイミング情報を聴取することと
を行うように構成される、装置。
【請求項８】
前記ゲーティングの周期性が前記第１の基地局の前記タイミング階層に基づく、請求項７に記載の装置。
【請求項９】
前記プロセッサは、
前記ＣＣＡが成功しないと決定することと、
前記第１の基地局で、前記フレームのために前記第２の基地局からチャネル使用ビーコン信号を受信することと
を行うようにさらに構成される、請求項７に記載の装置。
【請求項１０】
前記プロセッサは、
前記フレームの間に少なくとも１つのユーザ機器（ＵＥ）にデータを送信することを行うようにさらに構成され、前記データが前記第１のタイミング情報の前記送信と同時に前記ＵＥに送信される、請求項７に記載の装置。
【請求項１１】
ワイヤレス通信のためのコンピュータ実行可能コードを記憶した非一時的コンピュータ可読媒体であって、前記コードは、
共有帯域のフレームのために第１の基地局に割り当てられるクリアチャネルアセスメント（ＣＣＡ）スロットを特定することと、前記フレームは時間同期と関連付けられる、
ＣＣＡを、前記フレームのための前記特定されたＣＣＡスロットで、前記ＣＣＡスロットのタイミング階層に基づいて、行うことと、前記タイミング階層は、前記第１の基地局とグローバルポジショニングシステム（ＧＰＳ）同期されたタイミングソースとの間の最小数のホップを示す、
前記第１の基地局の前記タイミング階層に基づいて、タイミング同期と関連付けられる複数のフレームのために前記第１の基地局のＣＣＡの頻度をゲーティングすることと、
前記ＣＣＡが成功したと決定することに応答して、前記フレームの少なくとも１つの参照信号リソース要素の間に前記第１の基地局の第１のタイミング情報を選択的に送信することと、
前記ＣＣＡが成功しないときに、前記フレームの間に第２の基地局の第２のタイミング情報を聴取することと
を行うためにプロセッサによって実行可能である、非一時的コンピュータ可読媒体。
【請求項１２】
前記ゲーティングの周期性が前記第１の基地局の前記タイミング階層に基づく、請求項１１に記載の非一時的コンピュータ可読媒体。
【請求項１３】
前記命令は、
前記ＣＣＡが成功しないと決定することと、
前記第１の基地局で、前記フレームのために前記第２の基地局からチャネル使用ビーコン信号を受信することと
を行うために前記プロセッサによって実行可能である、請求項１１に記載の非一時的コンピュータ可読媒体。
【請求項１４】
前記命令は、
前記フレームの間に前記第２の基地局から前記第２のタイミング情報を受信することと、
前記第１の基地局のタイミングを、前記フレームの間に前記第２の基地局から受信された前記第２のタイミング情報に基づいて調整することと
を行うために前記プロセッサによって実行可能である、請求項１３に記載の非一時的コンピュータ可読媒体。
【請求項１５】
前記命令は、
前記第１の基地局の前記タイミングを、第３の基地局から受信された第３のタイミング情報に基づいて調整することを行うために前記プロセッサによって実行可能である、請求項１４に記載の非一時的コンピュータ可読媒体。
【請求項１６】
前記命令は、
前記フレームの間に少なくとも１つのユーザ機器（ＵＥ）にデータを送信することを行うために前記プロセッサによって実行可能であり、前記データが前記第１のタイミング情報の前記送信と同時に前記ＵＥに送信される、請求項１１に記載の非一時的コンピュータ可読媒体。
【請求項１７】
ワイヤレス通信のための装置であって、
共有帯域のフレームのために第１の基地局に割り当てられるクリアチャネルアセスメント（ＣＣＡ）スロットを特定するための手段と、前記フレームは時間同期と関連付けられる、
ＣＣＡを、前記フレームのための前記特定されたＣＣＡスロットで、前記ＣＣＡスロットのタイミング階層に基づいて、行うための手段と、前記タイミング階層は、前記第１の基地局とグローバルポジショニングシステム（ＧＰＳ）同期されたタイミングソースとの間の最小数のホップを示す、
前記第１の基地局の前記タイミング階層に基づいて、タイミング同期と関連付けられる複数のフレームのために前記第１の基地局のＣＣＡの頻度をゲーティングするための手段と、
前記ＣＣＡが成功したと決定することに応答して、前記フレームの少なくとも１つの参照信号リソース要素の間に前記第１の基地局の第１のタイミング情報を選択的に送信するための手段と、
前記ＣＣＡが成功しないときに、前記フレームの間に第２の基地局の第２のタイミング情報を聴取するための手段とを備える、装置。
【請求項１８】
前記ゲーティングの周期性が前記第１の基地局の前記タイミング階層に基づく、請求項１７に記載の装置。
【請求項１９】
前記ＣＣＡが成功しないと決定するための手段と、
前記第１の基地局で、前記フレームのために前記第２の基地局からチャネル使用ビーコン信号を受信するための手段とをさらに備える、請求項１７に記載の装置。
【請求項２０】
前記フレームの間に前記第２の基地局から前記第２のタイミング情報を受信するための手段と、
前記第１の基地局のタイミングを、前記フレームの間に前記第２の基地局から受信された前記第２のタイミング情報に基づいて調整するための手段とをさらに備える、請求項１９に記載の装置。
【請求項２１】
前記第１の基地局の前記タイミングを、第３の基地局から受信された第３のタイミング情報に基づいて調整するための手段をさらに備える、請求項２０に記載の装置。
【請求項２２】
前記フレームの間に少なくとも１つのユーザ機器（ＵＥ）にデータを送信するための手段をさらに備え、前記データが前記第１のタイミング情報の前記送信と同時に前記ＵＥに送信される、請求項１７に記載の装置。
【発明の詳細な説明】
【関連出願】
【０００１】
相互参照
[0001]  本特許出願は、２０１４年１１月２４日に出願された、Ｐａｔｅｌらによる米国特許出願第１４／５５２，１２７号、「Ｍｅｔｈｏｄ  ｏｆ  Ｓｙｎｃｈｒｏｎｉｚａｔｉｏｎ  Ｗｉｔｈｉｎ  ａｎ  ＬＴＥ／ＬＴＥ−Ａ  Ｓｙｓｔｅｍ  ｉｎ  Ｕｎｌｉｃｅｎｓｅｄ  Ｓｐｅｃｔｒｕｍ」、および２０１３年１１月２５日に出願された、「Ｍｅｔｈｏｄ  ｏｆ  Ｓｙｎｃｈｒｏｎｉｚａｔｉｏｎ  Ｗｉｔｈｉｎ  ａｎ  ＬＴＥ／ＬＴＥ−Ａ  Ｓｙｓｔｅｍ  ｉｎ  Ｕｎｌｉｃｅｎｓｅｄ  Ｓｐｅｃｔｒｕｍ」と題される、Ｐａｔｅｌらによる米国仮特許出願第６１／９０８，２８２号の優先権を主張し、これらの各々が本出願の譲受人に譲渡される。
【技術分野】
【０００２】
[0002]  ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。
【背景技術】
【０００３】
[0003]  ワイヤレス通信ネットワークは、いくつかのアクセスポイントを含み得る。セルラーネットワークのアクセスポイントは、ＮｏｄｅＢ（ＮＢ）またはｅｖｏｌｖｅｄ  ＮｏｄｅＢ（ｅＮＢ）のようないくつかの基地局を含み得る。ワイヤレスローカルエリアネットワーク（ＷＬＡＮ）のアクセスポイントは、ＷｉＦｉ（登録商標）ノードのようないくつかのＷＬＡＮアクセスポイントを含み得る。各アクセスポイントは、いくつかのユーザ機器（ＵＥ）の通信をサポートでき、しばしば同時に複数のＵＥと通信できる。同様に、各ＵＥは、いくつかのアクセスポイントと通信でき、時々、複数のアクセスポイントまたは異なるアクセス技術を利用するアクセスポイントと通信できる。アクセスポイントは、ダウンリンクおよびアップリンクを介してＵＥと通信できる。ダウンリンク（または順方向リンク）とは、アクセスポイントからＵＥへの通信リンクを指し、アップリンク（または逆方向リンク）とは、ＵＥからアクセスポイントへの通信リンクを指す。
【０００４】
[0004]  セルラーネットワークがより輻輳するようになるにつれて、事業者は、セルラー通信を送信するために免許不要帯域(unlicensed spectrum)を使用することを含めて、容量を増大させるための手段(ways)に注目し始めている。そのような手法において、同じ事業者と関連付けられるネットワークデバイス間での、さらには、同じ免許不要帯域を使用する異なる事業者にわたる、タイミングおよび周波数同期(timing and frequency synchronization)が有用であり得る。しかしながら、ネットワーク同期のための従来の方法は、免許不要帯域という環境(context)において実施するのは困難であることがある。例えば、免許不要帯域のためのリスンビフォートーク（ＬＢＴ：listen-before-talk）アクセス方式では、基地局が、近隣デバイスによるタイミングおよび周波数同期情報(timing and frequency synchronization information)の送信と重なる(collide)時間期間の間に、データを送信するようにスケジューリングされ得る。そのような競合は、基地局が近隣デバイスからタイミングおよび周波数の情報を聴取することを妨げることがある。
【発明の概要】
【０００５】
[0005]  説明される特徴は全般に、基地局間でのタイミング情報または周波数情報の送信または受信に関し、基地局でタイミング調整(timing adjustments)または周波数調整(frequency adjustments)を行うことにおいてそのようなタイミング情報または周波数情報を使用することに関する。いくつかの場合、開示される方法、システム、またはデバイスは、基地局が、タイミングまたは周波数を別の基地局のタイミングまたは周波数と、またはネットワーク全体と同期させることを可能にし得る。
【０００６】
[0006]  共有帯域(shared spectrum)を通じて通信することを所望する複数のセルラーデバイスを同期させることに関連する有用性によって、開示される技法は、異なる階層(different stratums)の基地局にまたがるタイミング情報または周波数情報の送信の備えをする。タイミング情報または周波数情報は、クリアチャネルアセスメント（ＣＣＡ）免除送信（ＣＥＴ：Clear Channel Assessment Exempt Transmission）またはＣＣＡスロットに含まれてよく、またはそれに従ってよい。加えて、異なる階層の基地局にわたる周波数同期のための再帰的な技法が提供される。
【０００７】
[0007]  基地局は、そのタイミングまたは周波数を、１つまたは複数の近隣基地局から受信されるタイミング情報または周波数情報に基づいて調整し(adjust)得る。いくつかの場合、基地局は、タイミング情報の堅牢性(robustness)または信頼性(trustworthiness)を示すタイミング階層(timing stratums)と関連付けられ得る。より低いタイミング階層と関連付けられる基地局は、より堅牢なタイミング情報を有し得る（例えば、ＧＰＳソースが最低のタイミング階層と関連付けられ得る）。開示される方法、システム、およびデバイスのいくつかは、基地局のタイミングまたは周波数に対してタイミングまたは周波数の調整を行うときに、タイミング階層情報を考慮する。開示される方法、システム、およびデバイスはまた、基地局と近隣基地局との間の回線品質のような、他の情報を考慮することもできる。
【０００８】
[0008]  いくつかの例では、ワイヤレス通信の方法が、第１の基地局で、共有帯域を通じて少なくとも第２の基地局のタイミング情報を示す少なくとも１つのクリアチャネルアセスメント（ＣＣＡ）免除送信（ＣＥＴ）を受信することと、少なくとも第２の基地局の受信されたタイミング情報に基づいて第１の基地局のタイミングを調整することとを含む。
【０００９】
[0009]  いくつかの例では、ワイヤレス通信のための装置が、第１の基地局で、共有帯域を通じて少なくとも第２の基地局のタイミング情報を示す少なくとも１つのクリアチャネルアセスメント（ＣＣＡ）免除送信（ＣＥＴ）を受信するための手段と、少なくとも第２の基地局の受信されたタイミング情報に基づいて第１の基地局のタイミングを調整するための手段とを含む。
【００１０】
[0010]  いくつかの例では、ワイヤレス通信の方法が、共有帯域のフレームのために第１の基地局に割り当てられるＣＣＡスロットを特定することと、フレームは時間同期と関連付けられ得る、フレームのための特定されたＣＣＡスロットでＣＣＡを行うことと、ＣＣＡが成功したときにフレームの間に第１の基地局の第１のタイミング情報を選択的に送信することと、ＣＣＡが成功しないときにフレームの間に第２の基地局の第２のタイミング情報を聴取することとを含む。
【００１１】
[0011]  いくつかの例では、ワイヤレス通信のための装置が、共有帯域のフレームのために第１の基地局に割り当てられるＣＣＡスロットを特定するための手段と、フレームは時間同期と関連付けられ得る、フレームのための特定されたＣＣＡスロットでＣＣＡを行うための手段と、ＣＣＡが成功したときにフレームの間に第１の基地局の第１のタイミング情報を選択的に送信するための手段と、ＣＣＡが成功しないときにフレームの間に第２の基地局の第２のタイミング情報を聴取するための手段とを含む。
【００１２】
[0012]  上で説明された方法および装置の様々な例は、第２の基地局の公衆陸上移動体ネットワーク（ＰＬＭＮ）と関連付けられるＰＬＭＮ固有の部分の１つを特定する機能、またはそのための手段を含んでよく、少なくとも１つのＣＥＴを受信することは、第２の基地局のタイミング情報のために、第２の基地局のＰＬＭＮと関連付けられる特定されたＰＬＭＮ固有の部分を聴取することを備える。いくつかの場合、少なくとも１つのＣＥＴの各々はＣＥＴ期間の複数のＰＬＭＮ固有の部分の１つにおいて受信され、ＰＬＭＮ固有のポションの各々は複数のＰＬＭＮの１つに割り当てられ、複数のＰＬＭＮは第２の基地局と関連付けられるＰＬＭＮを含み得る。いくつかの例では、第１の基地局および第２の基地局が、異なる事業者と関連付けられる異なるＰＬＭＮの構成員であり、ＰＬＭＮは互いに時間同期される。少なくとも１つのＣＥＴは、複数の周期的にスケジューリングされるＣＥＴ期間のあるＣＥＴ期間の間に受信されてよく、複数の周期的にスケジューリングされるＣＥＴ期間の各々は複数のＰＬＭＮ固有の領域と共通の送信領域とを含む。いくつかの場合、異なるＣＥＴ期間の共通の送信領域は交代式で異なるＰＬＭＮに割り当てられ、異なるＰＬＭＮは第２の基地局と関連付けられるＰＬＭＮを含み得る。
【００１３】
[0013]  いくつかの場合、少なくとも１つのＣＥＴは、共有帯域を通じて第２の基地局のタイミング情報を示す第１のＣＥＴと、共有帯域を通じて第３の基地局のタイミング情報を示す第２のＣＥＴとを含んでよく、第１のＣＥＴおよび第２のＣＥＴは同時に受信されてよい。いくつかの場合、少なくとも１つのＣＥＴはさらに、共有帯域を通じて第３の基地局のタイミング情報を示し、上で説明された方法および装置の様々な例は、第３の基地局のタイミング情報に基づいて、第１の基地局のタイミングを調整する機能、またはそのための手段を含み得る。
【００１４】
[0014]  上で説明された方法および装置の様々な例は、第１の基地局のタイミング階層に基づいて、タイミング同期と関連付けられる複数のフレームのために第１の基地局のＣＣＡ周波数をゲーティングする機能、またはそのための手段を含み得る。いくつかの場合、ゲーティングの周期性は、第１の基地局のタイミング階層に基づく。
【００１５】
[0015]  上で説明された方法および装置の様々な例は、ＣＣＡが成功しないと決定し、第１の基地局で、フレームのために第２の基地局からチャネル使用ビーコン信号を受信する機能、またはそのための手段を含み得る。
【００１６】
[0016]  上で説明された方法および装置の様々な例は、フレームの間に第２の基地局から第２のタイミング情報を受信し、フレームの間に第２の基地局から受信される第２のタイミング情報に基づいて第１の基地局のタイミングを調整する機能、またはそのための手段を含み得る。
【００１７】
[0017]  上で説明された方法および装置の様々な例は、第３の基地局から受信される第３のタイミング情報に基づいて、第１の基地局のタイミングを調整する機能、またはそのための手段を含み得る。
【００１８】
[0018]  上で説明された方法および装置の様々な例は、ＣＣＡが成功したと決定する機能、またはそのための手段を含んでよく、第１のタイミング情報は、フレームの少なくとも１つの参照信号リソース要素の間に送信される。
【００１９】
[0019]  上で説明された方法および装置の様々な例は、フレームの間に少なくとも１つのユーザ機器（ＵＥ）にデータを送信する機能、またはそのための手段を含んでよく、データは第１のタイミング情報の送信と同時にＵＥに送信される。
【００２０】
[0020]  説明される方法およびデバイスの適用性のさらなる範囲は、以下の発明を実施するための形態、特許請求の範囲、および図面から明らかになろう。発明を実施するための形態の趣旨および範囲内の様々な変更および改変が当業者には明らかになるので、発明を実施するための形態および特定の例は、例示として与えられるにすぎない。
【００２１】
[0021]  以下の図面を参照することにより、本発明の性質および利点のさらなる理解が得られ得る。添付の図において、同様のコンポーネントまたは特徴は同じ参照ラベルを有し得る。さらに、同じタイプの様々なコンポーネントは、参照ラベルの後に、ダッシュと、それらの同様のコンポーネントを区別する第２のラベルとを続けることによって区別され得る。第１の参照ラベルのみが本明細書において使用される場合、説明は、第２の参照ラベルにかかわらず、同じ第１の参照ラベルを有する同様のコンポーネントのいずれにも適用可能である。
【図面の簡単な説明】
【００２２】
【図１】本開示の様々な態様による、ワイヤレス通信システムのブロック図である。
【図２Ａ】本開示の様々な態様による、免許不要帯域においてＬＴＥ（登録商標）を使用するための展開シナリオの例を示す図である。
【図２Ｂ】本開示の様々な態様による、免許不要帯域におけるＬＴＥ／ＬＴＥ−Ａのためのスタンドアロンモードの例を示すワイヤレス通信システムを示す図である。
【図３】本開示の様々な態様による、免許不要帯域におけるセルラーダウンリンクのための免許不要フレーム／間隔の例を示す図である。
【図４】本開示の様々な態様による、免許不要帯域におけるセルラーダウンリンクのための周期的なゲーティング間隔の例を示す図である。
【図５】本開示の様々な態様による、ＬＢＴのようなコンテンションベースプロトコルがどのようにゲーティング間隔のＳ’サブフレーム内で実装され得るかを示す図である。
【図６】本開示の様々な態様による、ＣＣＡ免除送信（ＣＥＴ）の例を示す図である。
【図７】本開示の様々な態様による、タイミング階層ｎにおいて動作するデバイスのための同期階層の例を示す図である。
【図８】本開示の様々な態様による、スーパーＣＥＴ期間の例を示す図である。
【図９】本開示の様々な態様による、ＰＬＭＮ間のタイミング調整の例を示す図である。
【図１０】本開示の様々な態様による、複数のＰＬＭＮ固有の領域と共通の送信領域（ＣＴＲ：common transmission region）とを有するＣＥＴ期間の例を示す図である。
【図１１】本開示の様々な態様による、共有帯域上でタイミングまたは周波数同期を行う目的で共有帯域へのアクセス権を得るために少なくとも一部使用可能である、複数のＣＣＡスロットを有するＣＣＡ期間の例を示す図である。
【図１２】本開示の様々な態様による、タイミング同期フレームの例を示す図である。
【図１３】本開示の様々な態様による、ワイヤレス通信において使用するための例示的なデバイス、およびより具体的にはＣＥＴベースタイミング同期のブロック図である。
【図１４】本開示の様々な態様による、ワイヤレス通信において使用するための例示的なデバイス、およびより具体的にはＣＥＴベースタイミング同期のブロック図である。
【図１５】本開示の様々な態様による、ワイヤレス通信において使用するための例示的なデバイス、およびより具体的にはＣＥＴベースタイミング同期のブロック図である。
【図１６】本開示の様々な態様による、ワイヤレス通信において使用するための例示的なデバイス、およびより具体的にはＣＥＴベースタイミング同期のブロック図である。
【図１７】本開示の様々な態様による、ワイヤレス通信において使用するための例示的なデバイス、およびより具体的にはＣＥＴベースタイミング同期のブロック図である。
【図１８】本開示の様々な態様による、ワイヤレス通信において使用するための例示的なデバイス、およびより具体的にはＣＥＴベースタイミング同期のブロック図である。
【図１９】本開示の様々な態様による、ワイヤレス通信において使用するための例示的なデバイス、およびより具体的にはＣＣＡベースタイミング同期のブロック図である。
【図２０】本開示の様々な態様による、ワイヤレス通信において使用するための例示的なデバイス、およびより具体的にはＣＣＡベースタイミング同期のブロック図である。
【図２１】本開示の様々な態様による、ワイヤレス通信において使用するための例示的なデバイス、およびより具体的にはＣＣＡベースタイミング同期のブロック図である。
【図２２】本開示の様々な態様による、ＣＥＴベースタイミング情報を交換するための、第１の基地局と第２の基地局との間のワイヤレス通信を示すメッセージフロー図である。
【図２３】本開示の様々な態様による、ＣＥＴベースタイミング情報を交換するための、第１の基地局と第２の基地局との間のワイヤレス通信を示すメッセージフロー図である。
【図２４】本開示の様々な態様による、ＣＥＴベースタイミング情報を交換するための、第１の基地局と第２の基地局との間のワイヤレス通信を示すメッセージフロー図である。
【図２５】本開示の様々な態様による、ＣＥＴベースタイミング情報を交換するための、第１の基地局と第２の基地局との間のワイヤレス通信を示すメッセージフロー図である。
【図２６】本開示の様々な態様による、ＣＥＴベースタイミング情報を交換するための、第１の基地局と第２の基地局との間のワイヤレス通信を示すメッセージフロー図である。
【図２７】本開示の様々な態様による、ＣＥＴベースタイミング情報を交換するための、第１の基地局と第２の基地局との間のワイヤレス通信を示すメッセージフロー図である。
【図２８】本開示の様々な態様による、ＣＣＡベースタイミング情報を交換するための、第１の基地局と第２の基地局との間のワイヤレス通信を示すメッセージフロー図である。
【図２９】本開示の様々な態様による、ワイヤレス通信の例示的な方法、およびより具体的にはタイミング同期のために使用可能なＣＥＴベース方法を示すフローチャートである。
【図３０】本開示の様々な態様による、ワイヤレス通信の例示的な方法、およびより具体的にはタイミング同期のために使用可能なＣＥＴベース方法を示すフローチャートである。
【図３１】本開示の様々な態様による、ワイヤレス通信の例示的な方法、およびより具体的にはタイミング同期のために使用可能なＣＥＴベース方法を示すフローチャートである。
【図３２】本開示の様々な態様による、ワイヤレス通信の例示的な方法、およびより具体的にはタイミング同期のために使用可能なＣＥＴベース方法を示すフローチャートである。
【図３３】本開示の様々な態様による、ワイヤレス通信の例示的な方法、およびより具体的にはタイミング同期のために使用可能なＣＥＴベース方法を示すフローチャートである。
【図３４】本開示の様々な態様による、ワイヤレス通信の例示的な方法、およびより具体的にはタイミング同期のために使用可能なＣＣＡベース方法を示すフローチャートである。
【図３５】本開示の様々な態様による、ワイヤレス通信の例示的な方法、およびより具体的にはタイミング同期のために使用可能なＣＣＡベース方法を示すフローチャートである。
【図３６】本開示の様々な態様による、ワイヤレス通信の例示的な方法、およびより具体的にはタイミング同期のために使用可能なＣＣＡベース方法を示すフローチャートである。
【図３７】周波数の調整の再帰的な繰返しを使用して周波数同期が行われ得る、例示的なネットワークの図である。
【図３８】本開示の様々な態様による、周波数の調整の再帰的な繰返しを使用して周波数同期が行われ得る、例示的なネットワークの図である。
【図３９】本開示の様々な態様による、周波数の調整の再帰的な繰返しを使用して周波数同期が行われ得る、例示的なネットワークの図である。
【図４０】本開示の様々な態様による、周波数の調整の再帰的な繰返しを使用して周波数同期が行われ得る、例示的なネットワークの図である。
【図４１】本開示の様々な態様による、周波数の調整の再帰的な繰返しを使用して周波数同期が行われ得る、例示的なネットワークの図である。
【図４２】本開示の様々な態様による、周波数の調整の再帰的な繰返しを使用して周波数同期が行われ得る、例示的なネットワークの図である。
【図４３】本開示の様々な態様による、免許不要帯域を通じてデータを通信するように構成される複数のデバイスを含むネットワークにおけるワイヤレス通信に使用するための例示的なデバイスのブロック図である。
【図４４】本開示の様々な態様による、免許不要帯域を通じてデータを通信するように構成される複数のデバイスを含むネットワークにおけるワイヤレス通信に使用するための例示的なデバイスのブロック図である。
【図４５】本開示の様々な態様による、免許不要帯域を通じてデータを通信するように構成される複数のデバイスを含むネットワークにおけるワイヤレス通信に使用するための例示的なデバイスのブロック図である。
【図４６】本開示の様々な態様による、免許不要帯域を通じてデータを通信するように構成される複数の基地局を含むネットワークにおけるワイヤレス通信の例示的な方法のフローチャートである。
【図４７】本開示の様々な態様による、免許不要帯域を通じてデータを通信するように構成される複数の基地局を含むネットワークにおけるワイヤレス通信の例示的な方法のフローチャートである。
【図４８】本開示の様々な態様による、ワイヤレス通信のために構成される基地局を示すブロック図である。
【発明を実施するための形態】
【００２３】
[0071]  共有される高周波帯域(shared radio frequency spectrum)を通じて送信することを所望する基地局を同期させるための、方法、システム、およびデバイスが説明される。この共有帯域(shared spectrum)を通じて通信することを所望するセルラーデバイスは、タイミングまたは周波数同期を行うことが必要であり得るので、開示される技法は、異なる階層(different stratums)の基地局にまたがるタイミング情報または周波数情報の送信の備えをする。タイミング情報または周波数情報は、クリアチャネルアセスメント（ＣＣＡ）免除送信（ＣＥＴ）またはＣＣＡスロットに含まれてよく、またはそれに従ってよい。加えて、異なる階層の基地局にわたる周波数同期のための再帰的な技法が提供される。
【００２４】
[0072]  基地局は、１つまたは複数の近隣基地局から受信されるタイミング情報または周波数情報に基づいて、タイミングまたは周波数を調整できる。いくつかの場合、基地局は、タイミング情報の堅牢性または信頼性を示すタイミング階層と関連付けられ得る。より低いタイミング階層と関連付けられる基地局は、より堅牢なたタイミング情報を有し得る（例えば、ＧＰＳソースが最低のタイミング階層と関連付けられ得る）。開示される方法、システム、およびデバイスのいくつかは、基地局のタイミングまたは周波数に対してタイミングまたは周波数の調整を行うときに、タイミング階層情報を考慮する。開示される方法、システム、およびデバイスはまた、基地局と近隣基地局との間の回線品質のような、他の情報を考慮することもできる。
【００２５】
[0073]  いくつかの場合、本明細書で説明される方法、システム、およびデバイスは、共有される免許不要帯域（例えば、通常はＷｉＦｉ通信のために使用されるＷＬＡＮ帯域）を使用することを所望する基地局を同期させるためのより良好な手段を、セルラーネットワークの事業者（例えば、Ｌｏｎｇ  Ｔｅｒｍ  Ｅｖｏｌｕｔｉｏｎ（ＬＴＥ）またはＬＴＥ−Ａｄｖａｎｃｅｄ（ＬＴＥ−Ａ）通信ネットワークの事業者）に提供できる。
【００２６】
[0074]  本明細書で説明される技法は、ＬＴＥに限定されず、ＣＤＭＡ、ＴＤＭＡ、ＦＤＭＡ、ＯＦＤＭＡ、ＳＣ−ＦＤＭＡ、および他のシステムなどの様々なワイヤレス通信システムにも使用され得る。「システム」および「ネットワーク」という用語はしばしば互換的に使用される。ＣＤＭＡシステムは、ＣＤＭＡ２０００、Ｕｎｉｖｅｒｓａｌ  Ｔｅｒｒｅｓｔｒｉａｌ  Ｒａｄｉｏ  Ａｃｃｅｓｓ（ＵＴＲＡ）などの無線技術を実装し得る。ＣＤＭＡ２０００は、ＩＳ−２０００規格と、ＩＳ−９５規格と、ＩＳ−８５６規格とをカバーする。ＩＳ−２０００  Ｒｅｌｅａｓｅ  ０およびＡは、一般的に、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、Ｈｉｇｈ  Ｒａｔｅ  Ｐａｃｋｅｔ  Ｄａｔａ（ＨＲＰＤ）などと呼ばれる。ＵＴＲＡは、Ｗｉｄｅｂａｎｄ  ＣＤＭＡ（ＷＣＤＭＡ（登録商標））とＣＤＭＡの他の変形形態とを含む。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎ（ＧＳＭ（登録商標））などの無線技術を実装できる。ＯＦＤＭＡシステムは、Ｕｌｔｒａ  Ｍｏｂｉｌｅ  Ｂｒｏａｄｂａｎｄ（ＵＭＢ）、Ｅｖｏｌｖｅｄ  ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装できる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。ＬＴＥおよびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ（登録商標））と称する団体の文書に記載されている。ＣＤＭＡ２０００およびＵＭＢは、「第３世代パートナーシッププロジェクト２」（３ＧＰＰ２）と称する団体の文書に記載されている。本明細書で説明される技法は、上で言及されたシステムおよび無線技術、並びに他のシステムおよび無線技術に使用され得る。しかしながら、以下の説明は、例としてＬＴＥシステムを説明し、以下の説明の大部分においてＬＴＥ用語が使用されるが、本技法はＬＴＥ適用例以外に適用可能である。
【００２７】
[0075]  以下の説明は、例を与えるものであり、特許請求の範囲に記載された範囲、適用可能性、または構成を限定するものではない。本開示の趣旨および範囲から逸脱することなく、説明される要素の機能および構成において変更が行われ得る。様々な例は、適宜、様々な手順またはコンポーネント省略し、置換し、または追加し得る。例えば、説明される方法は、説明されるものとは異なる順序で行われてよく、様々なステップが追加され、省略され、または組み合わされ得る。また、いくつかの例に関して説明される特徴は、他の例においては組み合わせられ得る。
【００２８】
[0076]  図１は、本開示の様々な態様による、ワイヤレス通信システム１００のブロック図を示す。ワイヤレス通信システム１００は、複数の基地局１０５（例えば、ｅＮＢ、ＷＬＡＮアクセスポイント、または他のアクセスポイント）と、いくつかのユーザ機器（ＵＥ）１１５と、コアネットワーク１３０とを含む。基地局１０５のいくつかは、様々な例ではコアネットワーク１３０または基地局１０５の一部であり得る、基地局コントローラ（図示されない）の制御下でＵＥ１１５と通信できる。基地局１０５のいくつかは、バックホール１３２を通じて、コアネットワーク１３０と制御情報またはユーザデータを通信できる。いくつかの例では、基地局１０５のいくつかが、有線またはワイヤレス通信リンクであり得るバックホールリンク１３４を通じて、互いに直接または間接的に通信できる。ワイヤレス通信システム１００は、複数のキャリア（様々な周波数の波形信号）上での動作をサポートできる。マルチキャリア送信機は、変調された信号を複数のキャリア上で同時に送信できる。例えば、各通信リンク１２５は、様々な無線技術に従って変調されたマルチキャリア信号であり得る。各々の変調された信号は、異なるキャリア上で送られることがあり、制御情報（例えば、参照信号、制御チャネルなど）、オーバーヘッド情報、データなどを搬送できる。
【００２９】
[0077]  基地局１０５は、１つまたは複数のアクセスポイントアンテナを介して、ＵＥ１１５とワイヤレス通信できる。基地局１０５の各々は、それぞれのカバレッジエリア１１０に通信カバレッジを与えることができる。いくつかの例では、基地局１０５が、アクセスポイント、基地局装置（ＢＴＳ：base transceiver station）、無線基地局、無線送受信機、基本サービスセット（ＢＳＳ：basic service set）、拡張サービスセット（ＥＳＳ：extended service set）、ＮｏｄｅＢ、ｅｖｏｌｖｅｄ  ＮｏｄｅＢ（ｅＮＢ）、Ｈｏｍｅ  ＮｏｄｅＢ、Ｈｏｍｅ  ｅＮｏｄｅＢ、ＷＬＡＮアクセスポイント、ＷｉＦｉノードまたは何らかの他の適切な用語で呼ばれることがある。アクセスポイントのためのカバレッジエリア１１０は、カバレッジエリアの一部分のみを構成するセクタ（図示されない）に分割され得る。ワイヤレス通信システム１００は、異なるタイプの基地局１０５（例えば、マクロ基地局、マイクロ基地局、またはピコ基地局）を含み得る。基地局１０５はまた、セルラー無線アクセス技術またはＷＬＡＮの無線アクセス技術などの異なる無線技術を利用できる。基地局１０５は、同じまたは異なるアクセスネットワークまたは事業者展開と関連付けられ得る。同じまたは異なるタイプの基地局１０５のカバレッジエリアを含み、同じもしくは異なる無線技術を利用し、または、同じもしくは異なるアクセスネットワークに属する、異なる基地局１０５のカバレッジエリアは重複することがある。
【００３０】
[0078]  いくつかの例では、ワイヤレス通信システム１００が、ＬＴＥ／ＬＴＥ−Ａ通信システム（またはネットワーク）を含むことがあり、そのＬＴＥ／ＬＴＥ−Ａ通信システムが、免許不要帯域において１つまたは複数の動作または展開のモードをサポートできる。他の例では、ワイヤレス通信システム１００が、ＬＴＥ／ＬＴＥ−Ａと異なるアクセス技術を使用するワイヤレス通信をサポートできる。ＬＴＥ／ＬＴＥ−Ａ通信システムでは、ｅｖｏｌｖｅｄ  ＮｏｄｅＢまたはｅＮＢという用語が一般に、基地局１０５の記述をするために使用され得る。
【００３１】
[0079]  ワイヤレス通信システム１００は、異なるタイプのｅＮＢが様々な地理的領域にカバレッジを与える、異種ＬＴＥ／ＬＴＥ−Ａネットワークであり得る。例えば、各ｅＮＢは、通信カバレッジを、マクロセル、ピコセル、フェムトセル、または他のタイプのセルに与え得る。ピコセル、フェムトセル、または他のタイプのセルなどのスモールセルは、低電力ノードまたはＬＰＮを含み得る。マクロセルは一般に、比較的大きい地理的エリア（例えば、半径数キロメートル）をカバーし、サービスに加入しているＵＥによるネットワークプロバイダとの無制限アクセスを可能にし得る。ピコセルは一般に、比較的小さい地理的エリアをカバーし、ネットワークプロバイダのサービスに加入しているＵＥによる無制限アクセスを可能にし得る。またフェムトセルは、一般に、比較的小さい地理的エリア（例えば、自宅）をカバーし、無制限アクセスに加えて、フェムトセルとの関連を有するＵＥ（例えば、限定加入者グループ（ＣＳＧ）中のＵＥ、自宅内のユーザのためのＵＥなど）による制限されたアクセスも提供できる。マクロセルのためのｅＮＢは、マクロｅＮＢと呼ばれ得る。ピコセルのためのｅＮＢは、ピコｅＮＢと呼ばれ得る。また、フェムトセルのためのｅＮＢは、フェムトｅＮＢまたはホームｅＮＢと呼ばれ得る。ｅＮＢは、１つまたは複数（例えば、２つ、３つ、４つなど）のセルをサポートできる。
【００３２】
[0080]  コアネットワーク１３０は、バックホール１３２（例えば、Ｓ１アプリケーションプロトコルなど）を介して基地局１０５と通信できる。基地局１０５はまた、例えば、バックホールリンク１３４（例えば、Ｘ２アプリケーションプロトコルなど）を介して、またはバックホール１３２を介して（例えば、コアネットワーク１３０を通じて）、直接または間接的に互いに通信できる。ワイヤレス通信システム１００は、同期動作または非同期動作をサポートできる。同期動作の場合、基地局は同様のフレームまたはゲーティングのタイミングを有してよく、異なる基地局からの送信は概ね時間的に揃えられ得る。非同期動作の場合、基地局は異なるフレームまたはゲーティングのタイミングを有してよく、異なる基地局からの送信は時間的に揃えられないことがある。本明細書で説明される技法は、同期動作または非同期動作のいずれにも使用され得る。
【００３３】
[0081]  ＵＥ１１５は、ワイヤレス通信システム１００全体にわたって分散されてよく、各ＵＥ１１５は固定式または移動式であり得る。ＵＥ１１５は、当業者によって、モバイルデバイス、モバイル局、加入者局、モバイルユニット、加入者ユニット、ワイヤレスユニット、リモートユニット、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、携帯電話、携帯情報端末（ＰＤＡ）、ワイヤレスモデム、ワイヤレス通信デバイス、ハンドヘルドデバイス、タブレットコンピュータ、ラップトップコンピュータ、コードレス電話、時計または眼鏡などのウェアラブルアイテム、ワイヤレスローカルループ（ＷＬＬ）局などであり得る。ＵＥ１１５は、マクロｅＮＢ、ピコｅＮＢ、フェムトｅＮＢ、リレーなどと通信することが可能であり得る。ＵＥ１１５はまた、セルラーもしくは他のＷＷＡＮアクセスネットワーク、またはＷＬＡＮアクセスネットワークのような、異なるアクセスネットワーク上で通信することが可能であり得る。
【００３４】
[0082]  ワイヤレス通信システム１００に示された通信リンク１２５は、アップリンク（ＵＬ）送信（例えば、ＵＥ１１５から基地局１０５への）を搬送するためのアップリンク、またはダウンリンク（ＤＬ）送信（例えば、基地局１０５からＵＥ１１５への）を搬送するためのダウンリンクを含み得る。ＵＬ送信は逆方向リンク送信と呼ばれることもあり、ＤＬ送信は順方向リンク送信と呼ばれることもある。ダウンリンク送信は、免許帯域、免許不要帯域、または両方を使用して行われ得る。同様に、アップリンク送信は、免許帯域、免許不要帯域、または両方を使用して行われ得る。
【００３５】
[0083]  ワイヤレス通信システム１００のいくつかの例では、免許不要帯域におけるＬＴＥ／ＬＴＥ−Ａのための様々な展開シナリオがサポートされ得るもので、免許帯域におけるＬＴＥダウンリンク容量が免許不要帯域にオフロードされ得る補助ダウンリンクモードと、ＬＴＥのダウンリンク容量とアップリンク容量の両方が免許帯域から免許不要帯域にオフロードされ得るキャリアアグリゲーションモードと、基地局（例えば、ｅＮＢ）とＵＥとの間のＬＴＥダウンリンク通信およびアップリンク通信が免許不要帯域において行われ得るスタンドアロンモードとを含む。基地局１０５（例えば、ｅＮＢ）並びにＵＥ１１５は、これらまたは同様の動作モードの１つまたは複数をサポートできる。ＯＦＤＭＡ通信信号は、免許不要帯域または免許帯域におけるＬＴＥダウンリンク送信のために通信リンク１２５において使用され得るが、ＳＣ−ＦＤＭＡ通信信号は、免許不要帯域または免許帯域におけるＬＴＥアップリンク送信のために通信リンク１２５において使用され得る。
【００３６】
[0084]  図２Ａは、本開示の様々な態様による、免許不要帯域においてＬＴＥを使用するための展開シナリオの例を示す図を示す。一例で、図２Ａは、免許不要帯域における展開をサポートするＬＴＥネットワークのための補助ダウンリンクモードおよびキャリアアグリゲーションモードの例を示すワイヤレス通信システム２００を示す。ワイヤレス通信システム２００は、図１のワイヤレス通信システム１００の部分の例であり得る。その上、基地局２０５は図１の基地局１０５の例であってよく、ＵＥ２１５、２１５−ａ、および２１５−ｂは図１のＵＥ１１５の例であってよい。
【００３７】
[0085]  ワイヤレス通信システム２００における補助ダウンリンクモードの例では、基地局２０５が、ダウンリンク２２０を使用してＵＥ２１５にＯＦＤＭＡ通信信号を送信できる。ダウンリンク２２０は、免許不要帯域中の周波数Ｆ１と関連付けられ得る。基地局２０５は、双方向リンク２２５を使用してＯＦＤＭＡ通信信号を同じＵＥ２１５に送信でき、双方向リンク２２５を使用してＳＣ−ＦＤＭＡ通信信号をそのＵＥ２１５から受信できる。双方向リンク２２５は、免許帯域における周波数Ｆ４と関連付けられ得る。免許不要帯域中のダウンリンク２２０および免許帯域中の双方向リンク２２５は、同時に動作できる。ダウンリンク２２０は、ダウンリンク容量のオフロードを基地局２０５に提供できる。いくつかの例で、ダウンリンク２２０は、ユニキャストサービス（例えば、１つのＵＥに宛てられる）のサービスのために使用され、またはマルチキャストサービス（例えば、いくつかのＵＥに宛てられる）のために使用され得る。このシナリオは、免許帯域を使用し、トラフィックまたはシグナリングの輻輳の一部を軽減する必要がある、あらゆるサービス提供者（例えば、従来のモバイルネットワーク事業者(ＭＮＯ)）に対して発生し得る。
【００３８】
[0086]  ワイヤレス通信システム２００におけるキャリアアグリゲーションモードの一例では、基地局２０５が、双方向リンク２３０を使用してＵＥ２１５−ａにＯＦＤＭＡ通信信号を送信でき、双方向リンク２３０を使用して同じＵＥ２１５−ａからＳＣ−ＦＤＭＡ通信信号を受信できる。双方向リンク２３０は、免許不要帯域における周波数Ｆ１と関連付けられ得る。基地局２０５はまた、双方向リンク２３５を使用してＯＦＤＭＡ通信信号を同じＵＥ２１５−ａに送信でき、双方向リンク２３５を使用してＳＣ−ＦＤＭＡ通信信号を同じＵＥ２１５−ａから受信できる。双方向リンク２３５は、免許帯域における周波数Ｆ２と関連付けられ得る。双方向リンク２３０は、ダウンリンク容量およびアップリンク容量のオフロードを基地局２０５に提供できる。上で説明された補助ダウンリンクのように、このシナリオは、免許帯域を使用し、トラフィックまたはシグナリングの輻輳の一部を軽減する必要がある、あらゆるサービス提供者（例えば、ＭＮＯ）に対して発生し得る。
【００３９】
[0087]  ワイヤレス通信システム２００におけるキャリアアグリゲーションモードの別の例では、基地局２０５が、双方向リンク２４０を使用してＵＥ２１５−ｂにＯＦＤＭＡ通信信号を送信でき、双方向リンク２４０を使用して同じＵＥ２１５−ｂからＳＣ−ＦＤＭＡ通信信号を受信できる。双方向リンク２４０は、免許不要帯域における周波数Ｆ３と関連付けられ得る。基地局２０５はまた、双方向リンク２４５を使用してＯＦＤＭＡ通信信号を同じＵＥ２１５−ｂに送信でき、双方向リンク２４５を使用してＳＣ−ＦＤＭＡ通信信号を同じＵＥ２１５−ｂから受信できる。双方向リンク２４５は、免許帯域における周波数Ｆ２と関連付けられ得る。双方向リンク２４０は、ダウンリンク容量およびアップリンク容量のオフロードを基地局２０５に提供できる。この例および上で与えられた例は、説明のために提示され、容量のオフロードのために免許帯域および免許不要帯域の中のＬＴＥ／ＬＴＥ−Ａを組み合わせる他の同様の動作モードまたは展開シナリオが存在し得る。
【００４０】
[0088]  上で説明されたように、免許不要帯域中のＬＴＥ／ＬＴＥ−Ａを使用することによって提供される容量のオフロードから恩恵を受け得る典型的なサービス提供者は、ＬＴＥ帯域を用いる従来のＭＮＯである。これらのサービス提供者にとって、運用上の構成は、免許帯域上のＬＴＥ一次コンポーネントキャリア（ＰＣＣ）と免許不要帯域上の二次コンポーネントキャリア（ＳＣＣ）とを使用するブートストラップモード（例えば、補助ダウンリンク、キャリアアグリゲーション）を含み得る。
【００４１】
[0089]  キャリアアグリゲーションモードでは、データおよび制御が一般に免許帯域（例えば、双方向リンク２２５、２３５、および２４５）において通信されてよく、データが一般に免許不要帯域（例えば、双方向リンク２３０および２４０）において通信されてよい。免許不要帯域を使用するときにサポートされるキャリアアグリゲーション機構は、ハイブリッド周波数分割複信−時分割複信（ＦＤＤ−ＴＤＤ）キャリアアグリゲーション、または複数のコンポーネントキャリアにわたって異なる対称性を伴うＴＤＤ−ＴＤＤキャリアアグリゲーションに属し得る。
【００４２】
[0090]  図２Ｂは、本開示の様々な態様による、免許不要帯域におけるＬＴＥ／ＬＴＥ−Ａのためのスタンドアロンモードの例を示すワイヤレス通信システム２５０を示す。ワイヤレス通信システム２５０は、図１のワイヤレス通信システム１００または図２Ａの２００の部分の例であり得る。その上、基地局２０５は、図１または図２Ａを参照して説明された基地局１０５または２０５の例であり得るが、ＵＥ２１５−ｃは、図１または図２ＡのＵＥ１１５または２１５の例であり得る。
【００４３】
[0091]  ワイヤレス通信システム２５０におけるスタンドアロンモードの例では、基地局２０５が、双方向リンク２５５を使用してＵＥ２１５−ｃにＯＦＤＭＡ通信信号を送信でき、双方向リンク２５５を使用してＵＥ２１５−ｃからＳＣ−ＦＤＭＡ通信信号を受信できる。双方向リンク２５５は、図２Ａを参照して上で説明された免許不要帯域における周波数Ｆ３と関連付けられ得る。スタンドアロンモードは、スタジアム内アクセス（例えば、ユニキャスト、マルチキャスト）などの非従来型のワイヤレスアクセスシナリオにおいて使用され得る。この動作モードの典型的なサービス提供者は、免許帯域を有しないスタジアム所有者、ケーブル会社、イベント主催者、ホテル、企業または大規模会社であり得る。
【００４４】
[0092]  いくつかの例では、図１、図２Ａ、もしくは図２Ｂを参照して説明された基地局１０５、２０５、または、図１、図２Ａ、もしくは図２Ｂを参照して説明されたＵＥ１１５もしくは２１５などの送信デバイスが、共有帯域のチャネルへのアクセス権（例えば、免許帯域または免許不要帯域の物理チャネルへの）を得るためにゲーティング間隔を使用できる。ゲーティング間隔は、ＥＴＳＩ（ＥＮ３０１  ８９３）において指定されているリスンビフォートーク（ＬＢＴ：Listen Before Talk）プロトコルに基づくＬＢＴプロトコルのような、コンテンションベースプロトコルの適用を定義し得る。ＬＢＴプロトコルの適用を定義するゲーティング間隔を使用するとき、ゲーティング間隔は、送信デバイスがクリアチャネルアセスメント（ＣＣＡ）を行う必要があるときを示し得る。ＣＣＡの結果は、共有された免許不要帯域のチャネルが利用可能であるか、または使用中であるかを送信デバイスに示し得る。チャネルが利用可能である（例えば、使用のために「クリア」である）ことをＣＣＡが示すとき、ゲーティング間隔は、通常はあらかじめ定められた送信間隔の間、送信デバイスがチャネルを使用することを許可し得る。チャネルが利用可能ではない（例えば、使用中または予約済である）ことをＣＣＡが示すとき、ゲーティング間隔は、送信デバイスが送信間隔の間にチャネルを使用することを防ぎ得る。
【００４５】
[0093]  いくつかの場合、送信デバイスが、周期的にゲーティング間隔を生成し、周期的なフレーム構造の少なくとも１つの境界とゲーティング間隔の少なくとも１つの境界を同期させることが有用であり得る。例えば、共有帯域においてセルラーダウンリンクのための周期的なゲーティング間隔を生成し、セルラーダウンリンクと関連付けられる周期的なフレーム構造（例えば、ＬＴＥ／ＬＴＥ−Ａ無線フレーム）の少なくとも１つの境界と周期的なゲーティング間隔の少なくとも１つの境界を同期させることが有用であり得る。そのような同期の例が図３に示される。
【００４６】
[0094]  図３は、本開示の様々な態様による、免許不要帯域におけるセルラーダウンリンクのための免許不要フレーム／間隔３０５、３１５、または３２５の例３００を示す。免許不要フレーム／間隔３０５、３１５、または３２５は、免許不要帯域を通じた送信をサポートするｅＮＢによって周期的なゲーティング間隔として使用され得る。そのようなｅＮＢの例は、図１、図２Ａ、または図２Ｂを参照して説明された、基地局１０５、２０５を含み得る。免許不要フレーム／間隔３０５、３１５、または３２５は、図１、図２Ａ、または図２Ｂを参照して説明されたワイヤレス通信システム１００、２００、または２５０とともに使用され得る。
【００４７】
[0095]  例として、免許不要フレーム／間隔３０５の持続時間が、セルラーダウンリンクと関連付けられる周期的なフレーム構造のＬＴＥ／ＬＴＥ−Ａ無線フレーム３１０の持続時間に等しい（またはそれにほぼ等しい）ものとして示されている。いくつかの例で、「ほぼ等しい」は、免許不要フレーム／間隔３０５の持続時間が周期的フレーム構造の持続時間のサイクリックプレフィックス（ＣＰ）持続時間内にあることを意味する。
【００４８】
[0096]  免許不要フレーム／間隔３０５の少なくとも１つの境界は、ＬＴＥ／ＬＴＥ−Ａ無線フレームＮ−１〜Ｎ＋１を含む周期的フレーム構造の少なくとも１つの境界と同期され得る。場合によっては、免許不要フレーム／間隔３０５は、周期的フレーム構造のフレーム境界と整合された境界を有し得る。他の場合には、免許不要フレーム／間隔３０５は、周期的なフレーム構造のフレーム境界と同期されているがそれからオフセットされている境界を有し得る。例えば、免許不要フレーム／間隔３０５の境界は、周期的なフレーム構造のサブフレーム境界と揃えられてよく、または周期的なフレーム構造のサブフレーム中間点境界（例えば、特定のサブフレームの中間点）と揃えられてよい。
【００４９】
[0097]  いくつかの場合、周期的なフレーム構造は、ＬＴＥ／ＬＴＥ−Ａ無線フレームＮ−１〜Ｎ＋１を含み得る。各ＬＴＥ／ＬＴＥ−Ａ無線フレーム３１０は、例えば、１０ミリ秒の持続時間を有してよく、免許不要フレーム／間隔３０５も、１０ミリ秒の持続時間を有してよい。これらの場合、免許不要フレーム／間隔３０５の境界は、ＬＴＥ／ＬＴＥ−Ａ無線フレームの１つ（例えば、ＬＴＥ／ＬＴＥ−Ａ無線フレーム（Ｎ））の境界（例えば、フレーム境界、サブフレーム境界、またはサブフレーム中間点境界）と同期され得る。
【００５０】
[0098]  例として、免許不要フレーム／間隔３１５および３２５の持続時間が、セルラーダウンリンクと関連付けられる周期的なフレーム構造の持続時間の約数（またはそのほぼ約数）であるものとして示されている。いくつかの例で、「〜のほぼ約数」は、免許不要フレーム／間隔３１５、３２５の持続時間が周期的フレーム構造の約数（例えば、１／２または１／１０）の持続時間のサイクリックプレフィックス（ＣＰ）持続時間内にあることを意味する。例えば、免許不要フレーム／間隔３１５は、５ミリ秒の持続時間を有してよく、免許不要フレーム／間隔３２５は、１または２ミリ秒の持続時間を有してよい。
【００５１】
[0099]  図４は、免許不要帯域におけるセルラーダウンリンクのための周期的なゲーティング間隔４０５の例４００を示す。周期的なゲーティング間隔４０５は、共有帯域における通信をサポートする基地局によって使用され得る。そのような基地局の例は、図１、図２Ａ、または図２Ｂを参照して説明された、基地局１０５と２０５とを含む。周期的なゲーティング間隔４０５は、図１、図２Ａ、およびまたは図２Ｂのワイヤレス通信システム１００、２００、または２５０とともに使用され得る。
【００５２】
[0100]  例として、周期的なゲーティング間隔４０５の持続時間は、セルラーダウンリンクと関連付けられる周期的なフレーム構造４１０、４１５、４２０の持続時間に等しい（またはほぼ等しい）ように示されている。周期的なゲーティング間隔４０５の境界は、周期的なフレーム構造４１０、４１５、４２０の境界と同期され得る（例えば、それと揃えられ得る）。
【００５３】
[0101]  周期的なフレーム構造４１０、４１５、４２０は、１０個のサブフレーム（例えば、ＳＦ０、ＳＦ１、．．．、ＳＦ９）を有するＬＴＥ／ＬＴＥ−Ａ無線フレーム４１５を含み得る。サブフレームＳＦ０〜ＳＦ８は、ダウンリンク（Ｄ）サブフレーム４２５であってよく、サブフレームＳＦ９は、特別な（Ｓ’）サブフレーム４３０であってよい。Ｄサブフレーム４２５は、ＬＴＥ無線フレームのチャネル占有時間を集合的に定義でき、Ｓ’サブフレーム４３０の少なくとも一部は、チャネルアイドル時間を定義できる。現在のＬＴＥ／ＬＴＥ−Ａ規格の下では、ＬＴＥ／ＬＴＥ−Ａ無線フレームが、１ミリ秒と９．５ミリ秒との間の最大チャネル占有時間（オン時間）を有し、チャネル占有時間の５パーセント（例えば、最低５０マイクロ秒）の最小チャネルアイドル時間（オフ時間）を有し得る。ＬＴＥ／ＬＴＥ−Ａ規格への適合を保証するために、周期的なゲーティング間隔４０５は、Ｓ’サブフレーム４３０の一部として０．５ミリ秒のガード期間（すなわち、オフ時間）を与えることによって、ＬＴＥ／ＬＴＥ−Ａ規格のこれらの要件に準拠できる。
【００５４】
[0102]  Ｓ’サブフレーム４３０は、１ミリ秒の持続時間を有するので、免許不要帯域の特定の物理チャネルをめぐって争う送信デバイスがＣＣＡを行える、１つまたは複数のＣＣＡスロット４３５を含み得る。物理チャネルが利用可能であるが、周期的なゲーティング間隔４０５の終了の前にデバイスのＣＣＡが完了したことを送信デバイスのＣＣＡが示すとき、デバイスは、周期的なゲーティング間隔４０５の終了までチャネルを予約するために１つまたは複数の信号４４０を送信し得る。いくつかの場合、１つまたは複数の信号４４０は、チャネル使用パイロット信号（ＣＵＰＳ）、チャネル使用ビーコン信号（ＣＵＢＳ）、またはセル固有参照信号（ＣＲＳ）を含み得る。本開示および添付の特許請求の範囲において使用される場合、「チャネル使用パイロット信号（ＣＵＰＳ）」および「チャネル使用ビーコン信号（ＣＵＢＳ）」という用語は相互に交換可能である。ＣＵＰＳまたはＣＲＳは、チャネル同期とチャネル予約の両方のために使用され得る。すなわち、別のデバイスがチャネル上でＣＵＰＳを送信し始めた後にチャネルのためにＣＣＡを行うデバイスは、ＣＵＰＳのエネルギーを検出し、チャネルが現在利用不可能であると決定できる。
【００５５】
[0103]  送信デバイスが、物理チャネルのためのＣＣＡまたは物理チャネルを通じたＣＵＰＳの送信の完了に成功した後で、送信デバイスは、波形（例えば、物理キャリアと関連付けられるＬＴＥベース波形４４５）を送信するために、最長で所定の時間の期間（例えば、１つのＬＴＥ／ＬＴＥ−Ａ無線フレーム）、物理チャネルを使用できる。
【００５６】
[0104]  図５は、図４を参照して説明された１０ミリ秒の周期的なゲーティング間隔４０５のＳ’サブフレームのような、ゲーティング間隔のＳ’サブフレーム５００内にＬＢＴのようなコンテンションベースプロトコルがどのように実装され得るかを示す。コンテンションベースプロトコルは、例えば、図１、図２Ａ、もしくは図２Ｂを参照して説明された、ワイヤレス通信システム１００、２００、もしくは２５０、基地局１０５もしくは２０５、または、ＵＥ１１５もしくは２１５とともに使用され得る。
【００５７】
[0105]  Ｓ’サブフレーム５００は、ガード期間（またはサイレント期間）５０５とＣＣＡ期間５１０とを有し得る。例として、ガード期間５０５およびＣＣＡ期間５１０の各々は、０．５ミリ秒の持続時間を有し、７個のＯＦＤＭシンボル位置５１５（図５においてスロット１〜スロット７としてラベル表示される）を含み得る。いくつかの場合、基地局は、免許不要帯域の送信間隔が送信間隔の間の送信に利用可能であるかどうかを決定するために、免許不要帯域の後続の送信間隔にＣＣＡ５２０を行うために、ＯＦＤＭシンボル位置５１５の１つまたは複数を選択できる。いくつかの場合、ＯＦＤＭシンボル位置５１５の異なる１つが、Ｓ’サブフレーム５００の異なる発生において（すなわち、免許不要帯域の異なる送信間隔にＣＣＡ５２０を行うために使用される異なるＳ’サブフレームにおいて）、基地局によって擬似ランダムに特定または選択され得る。ＯＦＤＭシンボル位置の擬似ランダムな特定または選択は、ホッピングシーケンスを使用して制御され得る。
【００５８】
[0106]  ワイヤレス通信システムの基地局は、同じ事業者または異なる事業者によって運用され得る。いくつかの例で、異なる事業者によって運用される基地局（例えば、異なる公衆陸上移動体ネットワーク（ＰＬＭＮ）に属する基地局は、特定のＳ’サブフレーム５００中のＯＦＤＭシンボル位置５１５の異なる１つを選択し、これによって、異なる事業者間のＣＣＡの競合を回避できる。異なる事業者の擬似ランダムな選択機構が協調する場合、ＯＦＤＭシンボル位置５１５は、異なる事業者の基地局が各々、いくつかの送信間隔に対する最早のＯＦＤＭシンボル位置（すなわち、スロット１）においてＣＣＡ５２０を行うための等しい機会を有するように、複数の異なる事業者によって擬似ランダムに選択され得る。従って、経時的に、異なる事業者の基地局は各々、他の事業者のｅＮＢの需要とは無関係に、まずＣＣＡ５２０を行って免許不要帯域の送信間隔へのアクセス権を得るための機会を有し得る。ＣＣＡ５２０の成功の後で、基地局は、他のデバイスまたは事業者が免許不要帯域の送信間隔の１つまたは複数の物理チャネルを使用することを防ぐために、ＣＵＰＳを送信できる。
【００５９】
[0107]  図６は、本開示の様々な態様による、ＣＣＡ免除送信（ＣＥＴ）の例６００を示す。示されるように、ＣＥＴのためのリソースの割振りは、例えば、８０ミリ秒（８０ｍｓ）ごとに１回行われ得る。免許不要帯域中のいくつかの事業者（例えば、異なるＰＬＭＮ）の各々は、ＣＥＴを送信するための別々のサブフレームを与えられ得る。例として、図６は、７つの異なる事業者（例えば、事業者ＰＬＭＮ１、ＰＬＭＮ２、…、ＰＬＭＮ７）に対する隣接ＣＥＴサブフレームを示す。そのような構造は、ダウンリンクサブフレームとアップリンクサブフレームの両方に適用可能であり得る。
[0108]  セルラーデバイスおよびＷｉＦｉデバイスによって共有されるワイヤレス通信帯域では、ＷｉＦｉデバイスが、アドホック方式で動作し、セルラーデバイスが同期できるタイミングまたは周波数の基準を提供しない。従って、セルラーデバイスがそのようなネットワーク上で同期して動作することを可能にする方法およびデバイスが、望ましいことがある。
【００６０】
[0109]  ＬＴＥネットワークの環境(context)では、３ＧＰＰ  ＴＲ  ３６．９２２  Ｖ９．１．０（２０１０−０７）が、第１のＨｏｍｅ  ｅＮＢ（ＨｅＮＢ）を第２のＨｅＮＢまたはｅＮＢに同期させるための「ネットワーク聴取」技法を記述する。ネットワーク聴取技法は、特定のＨｅＮＢとＧＰＳソース（例えば、ＧＰＳ同期されたＨｅＮＢまたはｅＮＢ）との間の最小数のホップとして定義される、「同期階層」という概念を導入する。
【００６１】
[0110]  図７は、タイミング階層ｎにおいて動作するデバイスのための同期階層７００の例を示す。タイミング階層ｎにおいて動作するデバイスは、タイミング階層ｎ−１などで動作するデバイスからタイミング情報を取得する（例えば、追跡する）ことができる。タイミング階層２において動作するデバイスは、タイミング階層１において動作するデバイスからタイミング情報を取得できる。タイミング階層１において動作するデバイスは、ＧＰＳソースまたは他の信頼されている同期ソースであり得る。より低い階層にあるデバイスがタイミング情報を送信し受信することをスケジューリングされるとき、より高い階層（例えば、１つ上の階層）にあるデバイスは、より低い階層（例えば、１つ下の階層）のデバイスによって送信されるタイミング情報を聴取できる。いくつかの場合、聴取デバイスは、タイミング情報の受信との干渉を軽減するために、タイミング情報を聴取するときに送信をゲーティングできる。
【００６２】
[0111]  ３ＧＰＰ  ＴＲ  ３６．９２２において記述されるように、デバイスのタイミング情報は、例えば、デバイスによって送信される共通参照信号（ＣＲＳ）を含む、デバイスによって送信される１つまたは複数の信号から取得され得る。いくつかの場合、タイミング情報を搬送する１つまたは複数の信号は、マルチキャストブロードキャスト単一周波数ネットワーク（ＭＢＳＦＮ）サブフレームの非ＭＢＳＦＮ部分、または特別なサブフレームのガード期間において送信され得る。いくつかの場合、タイミング階層とタイミング同期信号のタイミングとの間の対応付けを示す情報が全てのネットワークデバイスに（例えば、ＲＡＮ３によって定義されるメッセージにおいて）提供され得るので、デバイスのタイミング同期信号（例えば、ＣＲＳ）はデバイスのタイミング階層を搬送できる。
【００６３】
[0112]  共有帯域を使用して複数のセルラーデバイスのタイミングと周波数とを調整する（例えば、同期させる）ための様々な手段が、以下で説明される。説明されるタイミングおよび周波数の調整の技法は、３ＧＰＰ  ＴＲ  ３６．９２２の「ネットワーク聴取」技法のいくつかの態様を、免許不要帯域において動作するＬＴＥ／ＬＴＥ−Ａネットワークに拡張できる。図８〜図１０を参照して説明されるタイミング調整技法はＣＥＴベースであり、一方、図１１および図１２を参照して説明されるタイミング調整技法はＣＣＡベースである。
【００６４】
[0113]  図８は、スーパーＣＥＴ期間８００の例を示す。図６を参照して説明されるＣＥＴ期間とは対照的に、スーパーＣＥＴ期間８００は、例えば、ＬＴＥ無線フレームの全体（例えば、１０個のサブフレーム、１４０個のＯＦＤＭシンボル、および１０ミリ秒）を含むように拡大され得る。スーパーＣＥＴ期間８００のオーバーヘッドを補償するために、スーパーＣＥＴ期間８００は、例えば、８００ミリ秒に１回割り振られ得る。８００ミリ秒ごとに１つのＬＴＥ無線フレーム（１０ミリ秒）を消費するスーパーＣＥＴ期間８００は、１．２５％というオーバーヘッド率をもたらす。スーパーＣＥＴ期間が通常のＣＥＴ期間を（例えば、１０個のＣＥＴ期間ごとに）置き換える場合、スーパーＣＥＴ期間に起因するオーバーヘッドの増大は１．２５％未満であり得る。
【００６５】
[0114]  示されるように、スーパーＣＥＴ期間８００は、複数のＰＬＭＮ固有の部分８０５、８１０、８１５、８２０、８２５、８３０、８３５を含み得る。各ＰＬＭＮ固有の部分は、複数の異なるＰＬＭＮの１つ（例えば、ＰＬＭＮ１、ＰＬＭＮ２、ＰＬＭＮ３、ＰＬＭＮ４、ＰＬＭＮ５、ＰＬＭＮ６、およびＰＬＭＮ７として図８に示される、７つの異なるＰＬＭＮの１つ）に割り当てられ得る。例として、各ＰＬＭＮ固有の部分は２０個のＯＦＤＭシンボルを含み得る。２０個のＯＦＤＭシンボルの各セットは、特定のＰＬＭＮに対応するＣＥＴをその中で送信する５つのスロット（例えば、スロット８４０、８４５、８５０、８５５、および８６０）を与えることができる。各スロットは、４つのＯＦＤＭシンボルの長さであってよく、通常のＣＥＴ波形を搬送できる。
【００６６】
[0115]  より低いタイミング階層と関連付けられるデバイス（例えば、基地局）は、１つのＰＬＭＮ固有の部分内で複数回（例えば、５回まで）ＣＥＴを送信できる。しかしながら（また５つよりも多くのタイミング階層がないと仮定すると）、各階層のデバイスは、より高い階層からの干渉を伴わずにその中でＣＥＴを送信するための、１つのスロットを与えられ得る。例えば、ＰＬＭＮ１の中のタイミング階層１のデバイスは各々、ＰＬＭＮ固有の部分の最初の４つのＯＦＤＭシンボルにおいてＣＥＴを送信でき、ＰＬＭＮ１の中のタイミング階層１およびタイミング階層２のデバイスは各々、２番目の４つのＯＦＤＭシンボルにおいてＣＥＴを送信でき、タイミング階層１〜３のデバイスは各々、３番目の４つのＯＦＤＭシンボルにおいてＣＥＴを送信でき、タイミング階層１〜４のデバイスは各々、４番目の４つのＯＦＤＭシンボルにおいてＣＥＴを送信でき、全てのタイミング階層の全てのデバイスは各々、５番目の４つのＯＦＤＭシンボルにおいてＣＥＴを送信できる。
【００６７】
[0116]  ＰＬＭＮ間の直交性はスーパーＣＥＴ期間では維持され、タイミング階層１よりも高いタイミング階層の各デバイスは、別のデバイスのタイミング情報を聴取するための機会を有してよく、他のデバイスは同じＰＬＭＮ（すなわち、同じ事業者展開の中）のより低い階層にある。
【００６８】
[0117]  図８に示されるスーパーＣＥＴ期間８００はダウンリンクの同期のためのものであることが意図されるが、同様の構造はＵＥにより支援されるアップリンクの同期に使用され得る。
【００６９】
[0118]  図９は、ＰＬＭＮ間のタイミングの調整の例９００を示し、ここで、１つの事業者（例えば、第１の事業者）と関連付けられるＰＬＭＮの構成員であるデバイス（例えば、基地局）は、タイミング情報を聴取し、別のデバイスから受信するタイミング情報に基づいてデバイスのタイミングを調整し、その別のデバイスは異なる事業者（例えば、第２の事業者）と関連付けられるＰＬＭＮの構成員であり得る。
【００７０】
[0119]  示されるように、例として、ＰＬＭＮ１のデバイスは、ＰＬＭＮ２のデバイスから１つまたは複数のＣＥＴ９１０において受信されるタイミング情報に基づいてタイミングを調整でき、ＰＬＭＮ２のデバイスは、ＰＬＭＮ３のデバイスから１つまたは複数のＣＥＴ９１５において受信されるタイミング情報に基づいてタイミングを調整でき、ＰＬＭＮ３のデバイスは、ＰＬＭＮ４のデバイスから１つまたは複数のＣＥＴ９２０において受信されるタイミング情報に基づいてタイミングを調整でき、ＰＬＭＮ４のデバイスは、ＰＬＭＮ５のデバイスから１つまたは複数のＣＥＴ９２５において受信されるタイミング情報に基づいてタイミングを調整でき、ＰＬＭＮ５のデバイスは、ＰＬＭＮ６のデバイスから１つまたは複数のＣＥＴ９３０において受信されるタイミング情報に基づいてタイミングを調整でき、ＰＬＭＮ６のデバイスは、ＰＬＭＮ７のデバイスから１つまたは複数のＣＥＴ９３５において受信されるタイミング情報に基づいてタイミングを調整でき、ＰＬＭＮ７のデバイスは、ＰＬＭＮ１のデバイスから１つまたは複数のＣＥＴ９０５において受信されるタイミング情報に基づいてタイミングを調整できる。
【００７１】
[0120]  いくつかの場合、デバイスは、別のＰＬＭＮの最も強い近隣（すなわち、最も強い近隣デバイス）に基づいてタイミングを調整できる。いくつかの場合、異なるタイミング階層は、支配的な近隣として異なるＰＬＭＮにおいて存在し得る。このことは、例えば、システム情報ブロック０（すなわち、ＳＩＢ０）においてタイミング階層番号を符号化することによって、活用され得る。タイミング階層番号の変化の頻度は制限され得る。
【００７２】
[0121]  図９を参照して説明されるタイミング調整技法のいくつかの潜在的な利点は、１）準備または管理のために必要な労力が比較的小さくなり得ることと、２）受信の機会を保証しながらＰＬＭＮの間での良好な再使用が可能になり得ることである。いくつかの潜在的な欠点は、単一のＰＬＭＮの場合に機能しないこと（例えば、同期すべき他のＰＬＭＮがないので）、低いデューティ比（例えば、８０ミリ秒）により時間追跡の精度に疑問があり得ること、および、有用な観測区間が３ミリ秒未満であることにより周波数の追跡に疑問があり得ることである。
【００７３】
[0122]  図１０は、複数のＰＬＭＮ固有の領域１００５、１０１０、１０１５、１０２０、１０２５、１０３０と、共通の送信領域（ＣＴＲ）１０３５とを有する、ＣＥＴ期間１０００の例を示す。ＣＥＴ期間１０００は、図６を参照して説明されるＣＥＴ期間６９９と同様の、しかし、ＣＥＴ期間の最後のスロットがＣＴＲ１０３５と置き換えられた構造を有し得る。ＣＴＲ１０３５は、交代式で、異なるＣＥＴ期間において異なるＰＬＭＮに割り当てられ得る。従って、ＣＥＴ期間１０００が８０ミリ秒ごとに発生し、６つのＰＬＭＮに対してＰＬＭＮ固有の領域１００５、１０１０、１０１５、１０２０、１０２５、１０３０を提供するとき、ＰＬＭＮは、４８０ミリ秒ごとにＣＴＲ１０３５へのアクセス権を有し得る。
【００７４】
[0123]  いくつかの場合、ＰＬＭＮ固有の領域１００５、１０１０、１０１５、１０２０、１０２５、１０３０は、時間ランクの順位を有してよく、異なる時間ランクを有するＰＬＭＮ固有の領域は、異なるＣＥＴ期間において異なるＰＬＭＮに割り当てられてよい。これらの場合、ＣＴＲ１０３５は、特定の時間ランクを有するＰＬＭＮ固有の領域のＰＬＭＮの割当てに基づいて、異なるＣＥＴ期間において異なるＰＬＭＮに割り当てられ得る。例えば、時間ランクが最高のＰＬＭＮ固有の領域（すなわち、図１０において時間ランク５を有するＰＬＭＮ固有の領域１０３０）は、ＣＴＲの割当てを決定できるので、時間ランクが最高のＰＬＭＮ固有の領域１０３０およびＣＴＲ１０３５は、共通のＰＬＭＮに割り当てられる。
【００７５】
[0124]  ＰＬＭＮがＣＴＲ１０３５へのアクセス権を有するとき、いくつかの例で、ＰＬＭＮの基地局は、ＣＴＲ１０３５の間に、共有帯域を通じてそれぞれのタイミング情報とともにＣＥＴを送信できる。ＣＥＴは、階層とは関係なく、ＣＴＲ１０３５の間に同時に送信され得る。ＣＴＲ１０３５において送信される各ＣＥＴは、同じＭＢＳＦＮ様の同期信号を含み得る。最低のタイミング階層と関連付けられる基地局（例えば、ＧＰＳ同期ソース）は常に、ＣＴＲ１０３５の間にＣＥＴを送信できる。最高のタイミング階層と関連付けられる基地局は、タイミングおよび周波数同期情報を得るためにＣＴＲ１０３５を追跡でき、次いで、ＣＴＲ１０３５の間にそれ自体のＣＥＴを送信できる。より高いタイミング階層と関連付けられる基地局は、他の基地局のタイミング情報を聴取し時間および周波数同期を維持するために、ＣＥＴを周期的にゲーティングできる（すなわち、送信しなくてよい）。ゲーティング活動は、ＰＬＭＮのより高い階層のデバイスの間で等しく分配され得る。
【００７６】
[0125]  ＰＬＭＮの基地局が特定のＣＴＲ１０３５においてＣＥＴを同時に送信するとき、階層とは無関係に、より高い階層の基地局は、ＣＴＲ信号によって測定されるような、ＰＬＭＮの総計の経路遅延プロファイルを追跡できる。基地局の追跡レートの周波数は、ゲーティングレートによって下げられ得る。従って、２５％のゲーティングレートでは、基地局の追跡レートが、４×６×（８０ミリ秒）＝１．９２秒へと下げられ得る。
【００７７】
[0126]  また、ＰＬＭＮの基地局が特定のＣＴＲ１０３５においてＣＥＴを同時に送信するとき、階層とは無関係に、タイミング階層１のタイミング（例えば、ＧＰＳタイミング）への収束の保証はなく、時間および周波数の揺れの可能性がある（例えば、基地局Ａが基地局Ｂに同期し、基地局Ｂが基地局Ｃに同期し、基地局Ｃが基地局Ａに同期する）。時間および周波数の揺れの可能性は、例えば、ＧＰＳソースを伴わないスタンドアロンモードにおいて動作するときに増大し、その場合、全ての基地局は近隣に対して周期的に同期することを要求され得る。
【００７８】
[0127]  いくつかの例で、ＣＴＲ１０３５はさらに、交代式で、割り当てられたＰＬＭＮの複数のタイミング階層の１つに割り当てられ得る。別の方法で述べると、ＣＴＲ１０３５は、交代式で、ＰＬＭＮとタイミング階層との異なる組合せに割り当てられ得る。従って、ＣＥＴ期間が８０ミリ秒ごとに発生し、４つのタイミング階層を有する６つのＰＬＭＮに対するスロットを提供するとき、ＰＬＭＮは、１．９２秒ごとにＣＴＲ１０３５へのアクセス権を有し得る。これらの例で、基地局は、より低い１つの階層（または複数の階層）に応答してタイミングを調整でき、このことは、同期のループまたは収束不能の問題の可能性を減らすことができる。
【００７９】
[0128]  図８〜図１０において説明されるタイミング調整技法のいずれでも、基地局は、固有のＰＬＭＮの中の別の基地局のタイミング情報を捕捉するために、固有のＣＥＴの送信を周期的にゲーティングできる。このゲーティングは、特定のＣＥＴ期間を示す周期的なゲーティングスケジュールに従って行なわれてよく、この特定のＣＥＴ期間において、基地局のＣＥＴは、ＰＬＭＮの中の少なくとも１つの他の基地局のＣＥＴをその基地局が受信することとの干渉を軽減するようにゲーティングされるべきである。周期的なゲーティングスケジュールは低い周期性を有し得る。ゲーティング活動は、ＰＬＭＮのより高い階層のデバイスの間で等しく分配され得る。
【００８０】
[0129]  また、図８、図９、または図１０において説明されるタイミング調整技法のいずれでも、物理ブロードキャスト制御チャネル（ＰＢＣＣＨ）が、基地局にタイミング階層を割り当てるために使用され得る。
【００８１】
[0130]  図１１は、共有帯域上でタイミングまたは周波数同期を行う目的で共有帯域へのアクセス権を得るために少なくとも一部使用可能である、複数のＣＣＡスロット１１１５（例えば、スロット１、スロット２、スロット３、スロット４、スロット５、スロット６、およびスロット７）を有するＣＣＡ期間１１１０の例１１００を示す。ＣＣＡ期間１１１０は、いくつかの場合、サブフレーム（例えば、Ｓサブフレーム）の一部であり得る。サブフレームは、ガード期間１１０５も含み得る。
【００８２】
[0131]  いくつかの例で、異なるタイミング階層（例えば、ＴＳ１、ＴＳ２、ＴＳ３、ＴＳ４、ＴＳ５、ＴＳ６、またはＴＳ７）は、ＣＣＡスロット１１１５の各々に割り当てられ得る。
【００８３】
[0132]  使用するとき、デバイス（例えば、図１、図２Ａ、または図２Ｂを参照して説明された基地局１０５または２０５のような基地局）は、関連付けられるタイミング階層の割り当て先のＣＣＡスロット１１１５においてＣＣＡ１１２０を行い得る。従って、タイミング階層１と関連付けられるデバイス（例えば、ＧＰＳソース）は、スロット１においてＣＣＡ１１２０を行い、一方、タイミング階層４と関連付けられるデバイスは、スロット４においてＣＣＡ１１２０を行う。ＣＣＡ１１２０を行うことに成功すると、デバイスは、ＣＣＡ期間１１１０に続くフレームを確保するために、ＣＵＢＳまたはＣＲＳのような信号を送信できる。デバイスは次いで、確保されたフレーム（例えば、ＣＲＳ）においてタイミング情報を送信できる。
【００８４】
[0133]  図５を参照して説明されたＣＣＡ期間５１０とは対照的に、異なるＰＬＭＮの代わりに異なるタイミング階層がＣＣＡスロット１１１５に割り当てられる。従って、特定のタイミング階層を共有する各デバイスは、デバイスのタイミング階層に割り当てられたＣＣＡスロット１１１５においてＣＣＡを行う。
【００８５】
[0134]  図１２は、タイミング同期フレーム１２１５の例１２００を示す。タイミング同期フレーム１２１５は、共通帯域上でタイミングまたは周波数同期を行う目的で共有帯域へのアクセス権を得るためにセルラーダウンリンクにおいて使用可能である、複数のＣＣＡ１２６５スロットを有する。タイミング同期フレーム１２１５は、他のタイプのフレーム１２１０、１２２０と境界を接していてよく、周期的に繰り返してよい。
【００８６】
[0135]  タイミング同期フレーム１２１５は、１０個のサブフレーム（例えば、ＳＦ０、ＳＦ１、…、ＳＦ９）を有するＬＴＥ／ＬＴＥ−Ａ無線フレームを含み得る。偶数番号のサブフレームＳＦ０、ＳＦ２、ＳＦ４、ＳＦ６、およびＳＦ８は、ダウンリンク（Ｄ）サブフレーム１２２５であってよく、サブフレームＳＦ１、ＳＦ３、ＳＦ５、およびＳＦ７は、特別な（Ｓ’’）サブフレーム１２６０であってよく、サブフレームＳＦ９は、特別な（Ｓ’）サブフレーム１２３０であってよい。Ｓ’サブフレームＳＦ９は、ＣＣＡ１２３５を行うために基地局によって使用され得る。ＣＣＡ１２３５は、図４または図５を参照して説明されたＣＣＡと同様であり得る。ＣＣＡ１２３５が成功するとき、ＣＣＡ１２３５を行うデバイスは、共有帯域の後続の送信期間１２４５を確保するために信号（例えば、ＣＵＢＳ１２４０）を送信できる。Ｓ’’サブフレームＳＦ１、ＳＦ３、ＳＦ５、およびＳＦ７は、ＣＣＡ１２６５を行うために基地局によって使用され得る。ＣＣＡ１２６５は、図１１を参照して説明されたＣＣＡと同様であり得る。すなわち、図１２に示されるＣＣＡ１２６５の各々は、異なるタイミング階層と関連付けられ得る。デバイスがＣＣＡ１２６５を行うことに成功するとき、ＣＣＡ１２６５を行うデバイスは、その中でデバイスがタイミング情報を送信できる後続の送信期間１２５５を確保するために、信号（例えば、ＣＵＢＳ１２５０）を送信できる。各ＣＣＡスロットは、タイミング階層と関連付けられるデバイスが、タイミング同期フレーム１２１５内の限られた時間の期間にのみ共有帯域にアクセスすることを可能にするので、他のタイミング階層と関連付けられるデバイスも、共有帯域にアクセスしタイミング情報を送信するための機会を与えられ得る。図１２に示される同期フレーム１２１５は、同期フレームリソースのより効率的でタイムリーな使用を実現し得る。
【００８７】
[0136]  図１３は、本開示の様々な態様による、ワイヤレス通信において使用するためのデバイス１３０５のブロック図１３００を示す。いくつかの例で、デバイス１３０５は、図１、図２Ａ、または図２Ｂを参照して説明された基地局１０５または２０５の１つの１つまたは複数の態様の例であり得る。デバイス１３０５は、プロセッサであってもよい。デバイス１３０５は、受信機モジュール１３１０と、タイミング管理モジュール１３１５と、送信機モジュール１３２０とを含み得る。これらのコンポーネントの各々は、互いに通信していてよい。
【００８８】
[0137]  デバイス１３０５のコンポーネントは、ハードウェアにおいて適用可能な機能の一部または全てを行うように適応された１つまたは複数の特定用途向け集積回路（ＡＳＩＣ）を使用して、個々にまたは集合的に実装され得る。代替的には、それらの機能は、１つまたは複数の他の処理ユニット（またはコア）によって、１つまたは複数の集積回路上で行われ得る。他の例では、他のタイプの集積回路（例えば、ストラクチャード／プラットフォームＡＳＩＣ、フィールドプログラマブルゲートアレイ（ＦＰＧＡ）、および他のセミカスタムＩＣ）が使用され得、当技術分野で知られている任意の方法でプログラムされ得る。各ユニットの機能はまた、全体的または部分的に、１つまたは複数の汎用プロセッサまたは特定用途向けプロセッサによって実行されるようにフォーマットされた、メモリに組み込まれた命令によって実装され得る。
【００８９】
[0138]  いくつかの例では、受信機モジュール１３１０が、第１の帯域（例えば、免許ＬＴＥ帯域）または第２の帯域（例えば、免許不要帯域のような、異なる送信プロトコルのもとで動作するデバイスによって使用される「共有帯域」）において送信(transmissions)を受信するように動作可能な高周波（ＲＦ）受信機などのＲＦ受信機であってよく、またはそれを含んでよい。受信機モジュール１３１０は、図１、図２Ａ、または図２Ｂを参照して説明されたワイヤレス通信システム１００、２００、または２５０の１つまたは複数の通信リンクのような、第１の帯域と第２の帯域とを含むワイヤレス通信システムの１つまたは複数の通信リンクを通じて、様々なタイプのデータまたは制御信号（すなわち、送信(transmissions)）を受信するために使用され得る。
【００９０】
[0139]  いくつかの例では、送信機モジュール１３２０が、第１の帯域または第２の帯域において送信をするように動作可能なＲＦ送信機などのＲＦ送信機であってよく、またはそれを含んでよい。送信機モジュール１３２０は、第１の帯域と第２の帯域とを含むワイヤレス通信システムの１つまたは複数の通信リンクを通じて様々なタイプのデータまたは制御信号（すなわち、送信(transmissions)）を送信するために使用され得る。
【００９１】
[0140]  いくつかの例では、タイミング管理モジュール１３１５が、共有帯域を通じて少なくとも第２のデバイス（例えば、少なくとも第２の基地局）のタイミング情報を受信できる。タイミング管理モジュール１３１５は、デバイス１３０５のタイミングを調整するために、受信されたタイミング情報を使用できる。タイミング管理モジュール１３１５はまた、デバイス１３０５のタイミング情報を他のデバイス（例えば、他の基地局）に送信できる。図１４〜図１８を参照して下で説明されるように、いくつかの場合、タイミング情報は、ＣＥＴ期間の間に送信または受信され得る。図１９〜図２１を参照して下で説明されるように、タイミング情報は、代替的にＣＣＡ期間の間に（またはＣＣＡ期間の間にも）送信または受信され得る。
【００９２】
[0141]  図１４は、本開示の様々な態様による、ワイヤレス通信において使用するためのデバイス１４０５のブロック図１４００を示す。いくつかの例で、デバイス１４０５は、図１もしくは図２を参照して説明された基地局１０５もしくは２０５の１つ、または、図１３を参照して説明されたデバイス１３０５の、１つまたは複数の態様の例であり得る。デバイス１４０５は、プロセッサであってもよい。デバイス１４０５は、受信機モジュール１４１０と、タイミング管理モジュール１４１５と、送信機モジュール１４２０とを含み得る。これらのコンポーネントの各々は、互いに通信していてよい。
【００９３】
[0142]  デバイス１４０５のコンポーネントは、個別にまたは集合的に、ハードウェア中の適用可能な機能の一部または全てを行うように適応された１つまたは複数のＡＳＩＣを使用して実装され得る。代替的には、それらの機能は、１つまたは複数の他の処理ユニット（またはコア）によって、１つまたは複数の集積回路上で行われ得る。他の例では、他のタイプの集積回路（例えば、ストラクチャード／プラットフォームＡＳＩＣ、ＦＰＧＡ、および他のセミカスタムＩＣ）が使用され得、当技術分野で知られている任意の方法でプログラムされ得る。各ユニットの機能はまた、全体的または部分的に、１つまたは複数の汎用プロセッサまたは特定用途向けプロセッサによって実行されるようにフォーマットされた、メモリに組み込まれた命令によって実装され得る。
【００９４】
[0143]  いくつかの例では、受信機モジュール１４１０が、第１の帯域（例えば、免許ＬＴＥ帯域）または第２の帯域（例えば、免許不要帯域のような、異なる送信プロトコルのもとで動作するデバイスによって使用される「共有帯域」）において送信を受信するように動作可能なＲＦ受信機などのＲＦ受信機であってよく、またはそれを含んでよい。ＲＦ受信機は、第１の帯域および第２の帯域のために別々の受信機を含み得る。いくつかの場合、別々の受信機は、第１の帯域を通じて通信するための免許帯域受信機モジュール１４１２、および第２の帯域を通じて通信するための免許不要帯域受信機モジュール１４１４という形態をとり得る。免許帯域受信機モジュール１４１２または免許不要帯域受信機モジュール１４１４を含む受信機モジュール１４１０は、図１、図２Ａ、または図２Ｂを参照して説明されたワイヤレス通信システム１００、２００、または２５０の１つまたは複数の通信リンクのような、免許帯域と免許不要帯域とを含むワイヤレス通信システムの１つまたは複数の通信リンクを通じて様々なタイプのデータまたは制御信号（すなわち、送信(transmissions)）を受信するために使用され得る。
【００９５】
[0144]  いくつかの例では、送信機モジュール１４２０が、第１の帯域または第２の帯域において送信をするように動作可能なＲＦ送信機などのＲＦ送信機であってよく、またはそれを含んでよい。ＲＦ送信機は、第１の帯域および第２の帯域のために別々の送信機を含み得る。いくつかの場合、別々の送信機は、第１の帯域を通じて通信するための免許帯域送信機モジュール１４２２、および第２の帯域を通じて通信するための免許不要帯域送信機モジュール１４２４という形態をとり得る。免許帯域送信機モジュール１４２２または免許不要帯域送信機モジュール１４２４を含む送信機モジュール１４２０は、免許帯域と免許不要帯域とを含むワイヤレス通信システムの１つまたは複数の通信リンクを通じて様々なタイプのデータまたは制御信号（すなわち、送信）を送信するために使用され得る。
【００９６】
[0145]  いくつかの例では、タイミング管理モジュール１４１５が、図１３を参照して説明されたタイミング管理モジュール１３１５の１つまたは複数の態様の例であってよく、ＣＥＴタイミング情報分析モジュール１４２５またはタイミング調整モジュール１４３０を含んでよい。
【００９７】
[0146]  いくつかの例では、ＣＥＴタイミング情報分析モジュール１４２５が、受信機モジュール１４１０の免許不要帯域受信機モジュール１４１４を介して少なくとも１つのＣＥＴを受信するために使用され得る。少なくとも１つのＣＥＴは、共有帯域を通じて少なくとも第２のデバイス（例えば、第２の基地局）のタイミング情報を示し得る。少なくとも１つのＣＥＴはまた、少なくとも第２のデバイスのタイミング階層を示し得る。いくつかの例では、少なくとも１つのＣＥＴが、ＣＥＴ期間の間に受信され得る。
【００９８】
[0147]  いくつかの例では、ＣＥＴタイミング情報分析モジュール１４２５によって受信される少なくとも１つのＣＥＴが、共有帯域を通じて第２のデバイスのタイミング情報を示す第１のＣＥＴと、共有帯域を通じて第３のデバイスのタイミング情報を示す第２のＣＥＴとを含み得る。第１のＣＥＴおよび第２のＣＥＴは、同時に、または異なる時間に、デバイス１４０５で受信され得る。
【００９９】
[0148]  いくつかの例では、少なくとも１つのＣＥＴがさらに、共有帯域を通じて第３のデバイスのためのタイミング情報を示し得る。これらの例では、いくつかの場合、デバイス１４０５のタイミングが、第２のデバイスのタイミング情報および第３のデバイスのタイミング情報に基づいて調整され得る。より一般的には、第１のデバイスのタイミングは、任意の数のデバイスのタイミング情報に基づいて調整され得る。
【０１００】
[0149]  いくつかの例では、タイミング調整モジュール１４３０が、少なくとも第２のデバイスの受信されたタイミング情報に基づいてデバイス１４０５のタイミングを調整できる。タイミング調整は、受信されたタイミング情報に基づいて、デバイス１４０５のタイミングを少なくとも第２のデバイスのタイミングに同期させることを含み得る。
【０１０１】
[0150]  いくつかの場合、デバイス１４０５およびデバイス１４０５がタイミング情報を受信する他のデバイスは、共通のＰＬＭＮの構成員であり得る。他の場合、デバイス１４０５および他のデバイスは、異なる事業者と関連付けられる異なるＰＬＭＮの構成員であり得る。異なるＰＬＭＮは、互いに同期され得る。
【０１０２】
[0151]  いくつかの例では、タイミング管理モジュール１４１５がさらに、ＣＥＴモジュール１４３５を含み得る。ＣＥＴモジュール１４３５は、送信機モジュール１４２０の免許不要帯域送信機モジュール１４２４を介して、デバイス１４０５のＣＥＴを送信するために使用され得る。デバイス１４０５のＣＥＴは、共有帯域を通じてデバイス１４０５のタイミング情報を示し、さらに、デバイス１４０５のタイミング階層の指示を提供できる。
【０１０３】
[0152]  いくつかの例では、少なくとも１つのＣＥＴが、複数の周期的にスケジューリングされるＣＥＴ期間のある特定のＣＥＴ期間の間にデバイス１４０５で受信され得る。ＣＥＴ期間の各々は、少なくとも１つのＰＬＭＮ固有の領域と共通の送信領域とを含み得る。いくつかの場合、少なくとも第２の基地局のタイミング情報は、特定のＣＥＴ期間の共通の送信領域の間に受信されてよく、または、第１の基地局のＣＥＴは、共通の送信領域の間に送信されてよい。
【０１０４】
[0153]  図１５は、本開示の様々な態様による、ワイヤレス通信において使用するためのデバイス１５０５のブロック図１５００を示す。いくつかの例では、デバイス１５０５が、図１もしくは図２を参照して説明された基地局１０５もしくは２０５の１つ、または、図１３もしくは図１４を参照して説明されたデバイス１３０５もしくは１４０５の、１つまたは複数の態様の例であり得る。デバイス１５０５は、プロセッサであってもよい。デバイス１５０５は、受信機モジュール１５１０と、タイミング管理モジュール１５１５と、送信機モジュール１５２０とを含み得る。これらのコンポーネントの各々は、互いに通信していてよい。
【０１０５】
[0154]  デバイス１５０５のコンポーネントは、個別にまたは集合的に、ハードウェア中の適用可能な機能の一部または全てを行うように適応された１つまたは複数のＡＳＩＣを使用して実装され得る。代替的には、それらの機能は、１つまたは複数の他の処理ユニット（またはコア）によって、１つまたは複数の集積回路上で行われ得る。他の例では、他のタイプの集積回路（例えば、ストラクチャード／プラットフォームＡＳＩＣ、ＦＰＧＡ、および他のセミカスタムＩＣ）が使用され得、当技術分野で知られている任意の方法でプログラムされ得る。各ユニットの機能はまた、全体的または部分的に、１つまたは複数の汎用プロセッサまたは特定用途向けプロセッサによって実行されるようにフォーマットされた、メモリに組み込まれた命令によって実装され得る。
【０１０６】
[0155]  いくつかの例では、受信機モジュール１５１０が、第１の帯域（例えば、免許ＬＴＥ帯域）または第２の帯域（例えば、免許不要帯域のような、異なる送信プロトコルのもとで動作するデバイスによって使用される「共有帯域」）において送信を受信するように動作可能なＲＦ受信機などのＲＦ受信機であってよく、またはそれを含んでよい。ＲＦ受信機は、第１の帯域および第２の帯域のために別々の受信機を含み得る。いくつかの場合、別々の受信機は、第１の帯域を通じて通信するための免許帯域受信機モジュール１５１２、および第２の帯域を通じて通信するための免許不要帯域受信機モジュール１５１４という形態をとり得る。免許帯域受信機モジュール１５１２または免許不要帯域受信機モジュール１５１４を含む受信機モジュール１５１０は、図１、図２Ａ、または図２Ｂを参照して説明されたワイヤレス通信システム１００、２００、または２５０の１つまたは複数の通信リンクのような、免許帯域と免許不要帯域とを含むワイヤレス通信システムの１つまたは複数の通信リンクを通じて様々なタイプのデータまたは制御信号（すなわち、送信(transmissions)）を受信するために使用され得る。
【０１０７】
[0156]  いくつかの例では、送信機モジュール１５２０が、第１の帯域または第２の帯域において送信をするように動作可能なＲＦ送信機などのＲＦ送信機であってよく、またはそれを含んでよい。ＲＦ送信機は、第１の帯域および第２の帯域のために別々の送信機を含み得る。いくつかの場合、別々の送信機は、第１の帯域を通じて通信するための免許帯域送信機モジュール１５２２、および第２の帯域を通じて通信するための免許不要帯域送信機モジュール１５２４という形態をとり得る。免許帯域送信機モジュール１５２２または免許不要帯域送信機モジュール１５２４を含む送信機モジュール１５２０は、免許帯域と免許不要帯域とを含むワイヤレス通信システムの１つまたは複数の通信リンクを通じて様々なタイプのデータまたは制御信号（すなわち、送信(transmissions)）を送信するために使用され得る。
【０１０８】
[0157]  デバイス１５０５は、ＣＥＴ期間の間にＣＥＴが送信または受信されると仮定する。ＣＥＴ期間は、例えば図８を参照して説明されたように、複数のタイミング階層固有の部分または複数のＰＬＭＮ固有の部分を含み得る。ＣＥＴ期間が複数のタイミング階層固有の部分を含むとき、タイミング階層固有の部分の各々は、複数のタイミング階層の１つに割り当てられ得る。ＣＥＴ期間が複数のＰＬＭＮ階層固有の部分を含むとき、ＰＬＭＮ階層固有の部分の各々は、複数のＰＬＭＮの１つに割り当てられ得る。ＣＥＴ期間が複数のタイミング階層固有の部分と複数のＰＬＭＮ固有の部分とを含むとき、タイミング階層固有の部分とＰＬＭＮ固有の部分の両方が、タイミング階層とＰＬＭＮの特定の組合せに割り当てられ得る。
【０１０９】
[0158]  いくつかの例では、タイミング管理モジュール１５１５が、図１３または図１４を参照して説明されたタイミング管理モジュール１３１５または１４１５の１つまたは複数の態様の例であってよく、ＣＥＴタイミング情報分析モジュール１５２５またはタイミング調整モジュール１５３０を含んでよい。
【０１１０】
[0159]  いくつかの例では、ＣＥＴタイミング情報分析モジュール１５２５が、図１４を参照して説明されたＣＥＴタイミング情報分析モジュール１４２５の１つまたは複数の態様の例であってよく、ＣＥＴ期間部分特定モジュール１５４０を含んでよい。ＣＥＴ期間部分特定モジュール１５４０は、第２のデバイス（例えば、第２の基地局）のタイミング階層と関連付けられるタイミング階層固有の部分、または、第２のデバイスのＰＬＭＮと関連付けられるＰＬＭＮ固有の部分（すなわち、第２のデバイスのタイミング階層と関連付けられるタイミング階層固有の部分と、第２のデバイスのＰＬＭＮと関連付けられるＰＬＭＮ固有の部分の両方が利用可能であるとき、それらの両方の部分）を特定するために使用され得る。
【０１１１】
[0160]  いくつかの例で、第２のデバイスのタイミング階層と関連付けられるタイミング階層固有の部分または第２のデバイスのＰＬＭＮと関連付けられるＰＬＭＮ固有の部分は、第２のデバイスと関連付けられるタイミング階層がデバイス１５０５と関連付けられるタイミング階層よりも低い階層であることから特定され得る。いくつかの場合、第２のデバイスと関連付けられるタイミング階層は、デバイス１５０５と関連付けられるタイミング階層の１つ下の階層であり得る。
【０１１２】
[0161]  いくつかの例で、ＣＥＴタイミング情報分析モジュール１５２５は、受信機モジュール１５１０の免許不要帯域受信機モジュール１５１４を介して少なくとも１つのＣＥＴを受信するために使用され得る。少なくとも１つのＣＥＴの各々は、ＣＥＴ期間のタイミング階層固有の部分またはＰＬＭＮ固有の部分の間に受信され得る。少なくとも１つのＣＥＴは、共有帯域を通じて少なくとも第２のデバイスのタイミング情報を示し得る。少なくとも１つのＣＥＴはまた、少なくとも第２のデバイスのタイミング階層を示し得る。第２のデバイスのタイミング情報は、特定されたタイミング階層固有の部分または特定されたＰＬＭＮ固有の部分（すなわち、第２のデバイスのタイミング階層と関連付けられるタイミング階層固有の部分と第２のデバイスのＰＬＭＮと関連付けられるＰＬＭＮ固有の部分の両方が利用可能であるときは、それらの両方の部分）を聴取することによって受信され得る。
【０１１３】
[0162]  いくつかの例で、ＣＥＴタイミング情報分析モジュール１５２５によって受信される少なくとも１つのＣＥＴは、共有帯域を通じて第２のデバイスのタイミング情報を示す第１のＣＥＴと、共有帯域を通じて第３のデバイスのタイミング情報を示す第２のＣＥＴとを含み得る。第１のＣＥＴおよび第２のＣＥＴは、同時に（例えば、ＣＥＴ期間の同じタイミング階層固有の部分またはＰＬＭＮ固有の部分（すなわち、同じタイミング階層固有の部分と同じＰＬＭＮ固有の部分の両方が利用可能であるときは、それらの両方の部分）において）、または異なる時間に（例えば、異なるタイミング階層固有の部分または異なるＰＬＭＮ固有の部分において）、デバイス１５０５で受信され得る。
【０１１４】
[0163]  いくつかの例で、少なくとも１つのＣＥＴはさらに、共有帯域を通じて第３のデバイスのためのタイミング情報を示し得る。これらの例では、いくつかの場合、デバイス１５０５のタイミングが、第２のデバイスのタイミング情報および第３のデバイスのタイミング情報に基づいて調整され得る。より一般的には、第１のデバイスのタイミングは、任意の数のデバイスのタイミング情報に基づいて調整され得る。
【０１１５】
[0164]  いくつかの例では、タイミング調整モジュール１５３０が、図１４を参照して説明されたタイミング調整モジュール１４３０の１つまたは複数の態様の例であり得る。タイミング調整モジュール１５３０は、少なくとも第２のデバイスの受信されたタイミング情報に基づいてデバイス１５０５のタイミングを調整するために使用され得る。タイミング調整は、受信されたタイミング情報に基づいて、デバイス１５０５のタイミングを少なくとも第２のデバイスのタイミングに同期させることを含み得る。
【０１１６】
[0165]  いくつかの例では、タイミング管理モジュール１５１５がさらに、ＣＥＴモジュール１５３５を含み得る。ＣＥＴモジュール１５３５は、デバイス１５０５のＣＥＴを送信するために使用され得る。デバイス１５０５のＣＥＴは、共有帯域を通じてデバイス１５０５のタイミング情報を示し、さらに、デバイス１５０５のタイミング階層の指示を提供できる。
【０１１７】
[0166]  図１６は、本開示の様々な態様による、ワイヤレス通信において使用するためのデバイス１６０５のブロック図１６００を示す。いくつかの例では、デバイス１６０５が、図１もしくは図２を参照して説明された基地局１０５もしくは２０５の１つ、または、図１３もしくは図１４を参照して説明されたデバイス１３０５もしくは１４０５の、１つまたは複数の態様の例であり得る。デバイス１６０５は、プロセッサであってもよい。デバイス１６０５は、受信機モジュール１６１０と、タイミング管理モジュール１６１５と、送信機モジュール１６２０とを含み得る。これらのコンポーネントの各々は、互いに通信していてよい。
【０１１８】
[0167]  デバイス１６０５のコンポーネントは、個別にまたは集合的に、ハードウェア中の適用可能な機能の一部または全てを行うように適応された１つまたは複数のＡＳＩＣを使用して実装され得る。代替的には、それらの機能は、１つまたは複数の他の処理ユニット（またはコア）によって、１つまたは複数の集積回路上で行われ得る。他の例では、他のタイプの集積回路（例えば、ストラクチャード／プラットフォームＡＳＩＣ、ＦＰＧＡ、および他のセミカスタムＩＣ）が使用され得、当技術分野で知られている任意の方法でプログラムされ得る。各ユニットの機能はまた、全体的または部分的に、１つまたは複数の汎用プロセッサまたは特定用途向けプロセッサによって実行されるようにフォーマットされた、メモリに組み込まれた命令によって実装され得る。
【０１１９】
[0168]  いくつかの例では、受信機モジュール１６１０が、第１の帯域（例えば、免許ＬＴＥ帯域）または第２の帯域（例えば、免許不要帯域のような、異なる送信プロトコルのもとで動作するデバイスによって使用される「共有帯域」）において送信を受信するように動作可能なＲＦ受信機などのＲＦ受信機であってよく、またはそれを含んでよい。ＲＦ受信機は、第１の帯域および第２の帯域のために別々の受信機を含み得る。いくつかの場合、別々の受信機は、第１の帯域を通じて通信するための免許帯域受信機モジュール１６１２、および第２の帯域を通じて通信するための免許不要帯域受信機モジュール１６１４という形態をとり得る。免許帯域受信機モジュール１６１２または免許不要帯域受信機モジュール１６１４を含む受信機モジュール１６１０は、図１、図２Ａ、または図２Ｂを参照して説明されたワイヤレス通信システム１００、２００、または２５０の１つまたは複数の通信リンクのような、免許帯域と免許不要帯域とを含むワイヤレス通信システムの１つまたは複数の通信リンクを通じて様々なタイプのデータまたは制御信号（すなわち、送信(transmissions)）を受信するために使用され得る。
【０１２０】
[0169]  いくつかの例では、送信機モジュール１６２０が、第１の帯域または第２の帯域において送信をするように動作可能なＲＦ送信機などのＲＦ送信機であってよく、またはそれを含んでよい。ＲＦ送信機は、第１の帯域および第２の帯域のために別々の送信機を含み得る。いくつかの場合、別々の送信機は、第１の帯域を通じて通信するための免許帯域送信機モジュール１６２２、および第２の帯域を通じて通信するための免許不要帯域送信機モジュール１６２４という形態をとり得る。免許帯域送信機モジュール１６２２または免許不要帯域送信機モジュール１６２４を含む送信機モジュール１６２０は、免許帯域と免許不要帯域とを含むワイヤレス通信システムの１つまたは複数の通信リンクを通じて様々なタイプのデータまたは制御信号（すなわち、送信(transmissions)）を送信するために使用され得る。
【０１２１】
[0170]  デバイス１６０５は、ＣＥＴ期間の間にＣＥＴが送信または受信されると仮定する。ＣＥＴ期間は、複数の周期的にスケジューリングされるＣＥＴ期間の１つであってよく、このＣＥＴ期間において、複数の周期的にスケジューリングされるＣＥＴ期間の各々は、例えば図１０を参照して説明されたように、複数のＰＬＭＮ固有の領域と共通の送信領域とを含み得る。各ＣＥＴ期間のＰＬＭＮ固有の領域は、時間ランクの順位を有してよく、異なる時間ランクのＰＬＭＮ固有の領域は、異なるＣＥＴ期間において異なるＰＬＭＮに割り当てられてよい。同様に、異なるＣＥＴ期間の共通の送信領域は、異なるＣＥＴ期間において異なるＰＬＭＮに割り当てられ得る。いくつかの場合、ＰＬＭＮ固有の領域または共通の送信領域は、交代式で、異なるＣＥＴ期間において異なるＰＬＭＮに割り当てられ得る。
【０１２２】
[0171]  いくつかの例では、タイミング管理モジュール１６１５が、図１３または図１４を参照して説明されたタイミング管理モジュール１３１５または１４１５の１つまたは複数の態様の例であってよく、ＣＥＴタイミング情報分析モジュール１６２５またはタイミング調整モジュール１６３０を含んでよい。
【０１２３】
[0172]  いくつかの例では、ＣＥＴタイミング情報分析モジュール１６２５が、図１４を参照して説明されたＣＥＴタイミング情報分析モジュール１４２５の１つまたは複数の態様の例であってよく、ＰＬＭＮ割当て決定モジュール１６４０を含んでよい。ＣＥＴタイミング情報分析モジュール１６２５は、受信機モジュール１６１０の免許不要帯域受信機モジュール１６１４を介して少なくとも１つのＣＥＴを受信するために使用され得る。少なくとも１つのＣＥＴの各々は、複数の周期的にスケジューリングされるＣＥＴ期間のある特定のＣＥＴ期間の間に受信され得る。少なくとも１つのＣＥＴは、共有帯域を通じて少なくとも第２のデバイス（例えば、第２の基地局）のタイミング情報を示し得る。少なくとも１つのＣＥＴはまた、少なくとも第２のデバイスのタイミング階層を示し得る。いくつかの場合、少なくとも第２のデバイスのタイミング情報は、ＰＬＭＮ固有の領域の１つの間に受信され得る。他の場合、少なくとも第２のデバイスのタイミング情報は、共通の送信領域の間に受信され得る。
【０１２４】
[0173]  いくつかの例では、ＰＬＭＮ割当て決定モジュール１６４０が、特定のＣＥＴ期間のためのＰＬＭＮ固有の領域または共通の送信領域のＰＬＭＮ割当てを決定するために使用され得る。この決定は、どのＰＬＭＮ固有の領域が第２のデバイスのＰＬＭＮに割り当てられるかの決定、さらには、共通の送信領域が第２のデバイスのＰＬＭＮに割り当てられるかどうかの決定を含み得る。いくつかの場合、特定の時間ランクを有するＰＬＭＮ固有の領域（例えば、時間ランクの順位で最後のＰＬＭＮ固有の領域）の、特定のＣＥＴ期間のための第２のデバイスのＰＬＭＮへの割当てに基づいて、共通の送信領域が第２のデバイスのＰＬＭＮに割り当てられることが決定（例えば、推測）され得る。
【０１２５】
[0174]  いくつかの例では、タイミング調整モジュール１６３０が、少なくとも第２のデバイスの受信されたタイミング情報に基づいてデバイス１６０５のタイミングを調整するために使用され得る。タイミング調整は、受信されたタイミング情報に基づいて、デバイス１６０５のタイミングを少なくとも第２のデバイスのタイミングに同期させることを含み得る。
【０１２６】
[0175]  いくつかの例で、ＣＥＴタイミング情報分析モジュール１６２５によって受信される少なくとも１つのＣＥＴは、共有帯域を通じて第２のデバイスのタイミング情報を示す第１のＣＥＴと、共有帯域を通じて第３のデバイスのタイミング情報を示す第２のＣＥＴとを含み得る。第１のＣＥＴおよび第２のＣＥＴは、同時に、または異なる時間に、デバイス１６０５で受信され得る。
【０１２７】
[0176]  いくつかの例で、少なくとも１つのＣＥＴはさらに、共有帯域を通じて第３のデバイスのためのタイミング情報を示し得る。これらの例では、いくつかの場合、デバイス１６０５のタイミングが、第２のデバイスのタイミング情報および第３のデバイスのタイミング情報に基づいて調整され得る。より一般的には、第１のデバイスのタイミングは、任意の数のデバイスのタイミング情報に基づいて調整され得る。
【０１２８】
[0177]  いくつかの場合、第１の基地局および第２の基地局は、共通のＰＬＭＮの構成員であり得る。他の場合、第１の基地局および第２の基地局は、異なる事業者と関連付けられる異なるＰＬＭＮの構成員であり得る。異なるＰＬＭＮは、互いに同期され得る。
【０１２９】
[0178]  いくつかの例では、タイミング管理モジュール１６１５がさらに、ＣＥＴモジュール１６３５を含み得る。ＣＥＴモジュール１６３５は、デバイス１６０５のＣＥＴを送信するために使用され得る。デバイス１６０５のＣＥＴは、共有帯域を通じてデバイス１６０５のタイミング情報を示し、さらに、デバイス１６０５のタイミング階層の指示を提供できる。
【０１３０】
[0179]  図１７は、本開示の様々な態様による、ワイヤレス通信において使用するためのデバイス１７０５のブロック図１７００を示す。いくつかの例では、デバイス１７０５が、図１もしくは図２を参照して説明された基地局１０５もしくは２０５の１つ、または、図１３もしくは図１４を参照して説明されたデバイス１３０５もしくは１４０５の、１つまたは複数の態様の例であり得る。デバイス１７０５は、プロセッサであってもよい。デバイス１７０５は、受信機モジュール１７１０と、タイミング管理モジュール１７１５と、送信機モジュール１７２０とを含み得る。これらのコンポーネントの各々は、互いに通信していてよい。
【０１３１】
[0180]  デバイス１７０５のコンポーネントは、個別にまたは集合的に、ハードウェア中の適用可能な機能の一部または全てを行うように適応された１つまたは複数のＡＳＩＣを使用して実装され得る。代替的には、それらの機能は、１つまたは複数の他の処理ユニット（またはコア）によって、１つまたは複数の集積回路上で行われ得る。他の例では、他のタイプの集積回路（例えば、ストラクチャード／プラットフォームＡＳＩＣ、ＦＰＧＡ、および他のセミカスタムＩＣ）が使用され得、当技術分野で知られている任意の方法でプログラムされ得る。各ユニットの機能はまた、全体的または部分的に、１つまたは複数の汎用プロセッサまたは特定用途向けプロセッサによって実行されるようにフォーマットされた、メモリに組み込まれた命令によって実装され得る。
【０１３２】
[0181]  いくつかの例では、受信機モジュール１７１０が、第１の帯域（例えば、免許ＬＴＥ帯域）または第２の帯域（例えば、免許不要帯域のような、異なる送信プロトコルのもとで動作するデバイスによって使用される「共有帯域」）において送信を受信するように動作可能なＲＦ受信機などのＲＦ受信機であってよく、またはそれを含んでよい。ＲＦ受信機は、第１の帯域および第２の帯域のために別々の受信機を含み得る。いくつかの場合、別々の受信機は、第１の帯域を通じて通信するための免許帯域受信機モジュール１７１２、および第２の帯域を通じて通信するための免許不要帯域受信機モジュール１７１４という形態をとり得る。免許帯域受信機モジュール１７１２または免許不要帯域受信機モジュール１７１４を含む受信機モジュール１７１０は、図１、図２Ａ、または図２Ｂを参照して説明されたワイヤレス通信システム１００、２００、または２５０の１つまたは複数の通信リンクのような、免許帯域と免許不要帯域とを含むワイヤレス通信システムの１つまたは複数の通信リンクを通じて様々なタイプのデータまたは制御信号（すなわち、送信(transmissions)）を受信するために使用され得る。
【０１３３】
[0182]  いくつかの例では、送信機モジュール１７２０が、第１の帯域または第２の帯域において送信をするように動作可能なＲＦ送信機などのＲＦ送信機であってよく、またはそれを含んでよい。ＲＦ送信機は、第１の帯域および第２の帯域のために別々の送信機を含み得る。いくつかの場合、別々の送信機は、第１の帯域を通じて通信するための免許帯域送信機モジュール１７２２、および第２の帯域を通じて通信するための免許不要帯域送信機モジュール１７２４という形態をとり得る。免許帯域送信機モジュール１７２２または免許不要帯域送信機モジュール１７２４を含む送信機モジュール１７２０は、免許帯域と免許不要帯域とを含むワイヤレス通信システムの１つまたは複数の通信リンクを通じて様々なタイプのデータまたは制御信号（すなわち、送信(transmissions)）を送信するために使用され得る。
【０１３４】
[0183]  デバイス１７０５は、ＣＥＴ期間の間にＣＥＴが送信または受信されると仮定する。ＣＥＴ期間は、複数の周期的にスケジューリングされるＣＥＴ期間の１つであってよく、このＣＥＴ期間において、複数の周期的にスケジューリングされるＣＥＴ期間の各々は、例えば図１０を参照して説明されたように、複数のＰＬＭＮ固有の領域と共通の送信領域とを含み得る。各ＣＥＴ期間のＰＬＭＮ固有の領域は、時間ランクの順位を有してよく、異なる時間ランクのＰＬＭＮ固有の領域は、異なるＣＥＴ期間において異なるＰＬＭＮに割り当てられてよい。異なるＣＥＴ期間の共通の送信領域は、異なるＣＥＴ期間の中のＰＬＭＮとタイミング階層の異なる組合せに割り当てられ得る。いくつかの場合、ＰＬＭＮ固有の領域は、交代式で、異なるＣＥＴ期間において異なるＰＬＭＮに割り当てられ得る。同様に、共通の送信領域は、交代式で、異なるＣＥＴ期間の中のＰＬＭＮとタイミング階層の異なる組合せに割り当てられ得る。
【０１３５】
[0184]  いくつかの例では、タイミング管理モジュール１７１５が、図１３または図１４を参照して説明されたタイミング管理モジュール１３１５または１４１５の１つまたは複数の態様の例であってよく、ＣＥＴタイミング情報分析モジュール１７２５またはタイミング調整モジュール１７３０を含んでよい。
【０１３６】
[0185]  いくつかの例では、ＣＥＴタイミング情報分析モジュール１７２５が、図１４を参照して説明されたＣＥＴタイミング情報分析モジュール１４２５の１つまたは複数の態様の例であってよく、ＰＬＭＮ割当て決定モジュール１７４０またはタイミングソース選択モジュール１７４５を含んでよい。ＣＥＴタイミング情報分析モジュール１７２５は、受信機モジュール１７１０の免許不要帯域受信機モジュール１７１４を介して少なくとも１つのＣＥＴを受信するために使用され得る。少なくとも１つのＣＥＴの各々は、複数の周期的にスケジューリングされるＣＥＴ期間のある特定のＣＥＴ期間の間に受信され得る。少なくとも１つのＣＥＴは、共有帯域を通じて少なくとも第２のデバイス（例えば、第２の基地局）のタイミング情報を示し得る。少なくとも１つのＣＥＴはまた、少なくとも第２のデバイスのタイミング階層を示し得る。いくつかの場合、少なくとも第２のデバイスのタイミング情報は、ＰＬＭＮ固有の領域の１つの間に受信され得る。他の場合、少なくとも第２のデバイスのタイミング情報は、共通の送信領域の間に受信され得る。
【０１３７】
[0186]  いくつかの例では、ＰＬＭＮ割当て決定モジュール１７４０が、特定のＣＥＴ期間のためのＰＬＭＮ固有の領域または共通の送信領域のＰＬＭＮ割当てを決定するために使用され得る。この決定は、どのＰＬＭＮ固有の領域が第２のデバイスのＰＬＭＮに割り当てられるかの決定、さらには、共通の送信領域が第２のデバイスのＰＬＭＮに割り当てられるかどうかの決定を含み得る。いくつかの場合、特定の時間ランクを有するＰＬＭＮ固有の領域（例えば、時間ランクの順位で最後のＰＬＭＮ固有の領域）の、特定のＣＥＴ期間のための第２のデバイスのＰＬＭＮへの割当てに基づいて、共通の送信領域が第２のデバイスのＰＬＭＮに割り当てられることが決定（例えば、推測）され得る。
【０１３８】
[0187]  いくつかの例では、タイミングソース選択モジュール１７４５が、第２のデバイスがデバイス１７０５のための適合するタイミング階層同期ソースを含むと決定するために使用され得る。いくつかの場合、第２のデバイスは、第２のデバイスと関連付けられるタイミング階層がデバイス１７０５と関連付けられるタイミング階層よりも低い階層であるので、適合するタイミング階層同期ソースを含むと決定され得る。いくつかの場合、第２のデバイスは、第２のデバイスと関連付けられるタイミング階層がデバイス１７０５と関連付けられるタイミング階層の１つ下の階層であるので、適合するタイミング階層同期ソースを含むと決定され得る。タイミングソース選択モジュール１７４５はまた、デバイス１７０５のタイミングを調整するための基礎として、前述の決定に基づいて第２のデバイスを選択するために使用され得る。
【０１３９】
[0188]  いくつかの例では、タイミング調整モジュール１７３０が、少なくとも第２のデバイスの受信されたタイミング情報に基づいてデバイス１７０５のタイミングを調整するために使用され得る。タイミング調整は、受信されたタイミング情報に基づいて、デバイス１７０５のタイミングを少なくとも第２のデバイスのタイミングに同期させることを含み得る。
【０１４０】
[0189]  いくつかの例で、ＣＥＴタイミング情報分析モジュール１７２５によって受信される少なくとも１つのＣＥＴは、共有帯域を通じて第２のデバイスのタイミング情報を示す第１のＣＥＴと、共有帯域を通じて第３のデバイスのタイミング情報を示す第２のＣＥＴとを含み得る。第１のＣＥＴおよび第２のＣＥＴは、同時に、または異なる時間に、デバイス１７０５で受信され得る。
【０１４１】
[0190]  いくつかの例で、少なくとも１つのＣＥＴはさらに、共有帯域を通じて第３のデバイスのためのタイミング情報を示し得る。これらの例では、いくつかの場合、デバイス１７０５のタイミングが、第２のデバイスのタイミング情報および第３のデバイスのタイミング情報に基づいて調整され得る。より一般的には、第１のデバイスのタイミングは、任意の数のデバイスのタイミング情報に基づいて調整され得る。
【０１４２】
[0191]  いくつかの場合、第１の基地局および第２の基地局は、共通のＰＬＭＮの構成員であり得る。他の場合、第１の基地局および第２の基地局は、異なる事業者と関連付けられる異なるＰＬＭＮの構成員であり得る。異なるＰＬＭＮは、互いに同期され得る。
【０１４３】
[0192]  いくつかの例では、タイミング管理モジュール１７１５がさらに、ＣＥＴモジュール１７３５を含み得る。ＣＥＴモジュール１７３５は、デバイス１７０５のＣＥＴを送信するために使用され得る。デバイス１７０５のＣＥＴは、共有帯域を通じてデバイス１７０５のタイミング情報を示し、さらに、デバイス１７０５のタイミング階層の指示を提供できる。
【０１４４】
[0193]  図１８は、本開示の様々な態様による、ワイヤレス通信において使用するためのデバイス１８０５のブロック図１８００を示す。いくつかの例では、デバイス１８０５が、図１もしくは図２を参照して説明された基地局１０５もしくは２０５の１つ、または、図１３もしくは図１４を参照して説明されたデバイス１３０５もしくは１４０５の、１つまたは複数の態様の例であり得る。デバイス１８０５は、プロセッサであってもよい。デバイス１８０５は、受信機モジュール１８１０と、タイミング管理モジュール１８１５と、送信機モジュール１８２０とを含み得る。これらのコンポーネントの各々は、互いに通信していてよい。
【０１４５】
[0194]  デバイス１８０５のコンポーネントは、個別にまたは集合的に、ハードウェア中の適用可能な機能の一部または全てを行うように適応された１つまたは複数のＡＳＩＣを使用して実装され得る。代替的には、それらの機能は、１つまたは複数の他の処理ユニット（またはコア）によって、１つまたは複数の集積回路上で行われ得る。他の例では、他のタイプの集積回路（例えば、ストラクチャード／プラットフォームＡＳＩＣ、ＦＰＧＡ、および他のセミカスタムＩＣ）が使用され得、当技術分野で知られている任意の方法でプログラムされ得る。各ユニットの機能はまた、全体的または部分的に、１つまたは複数の汎用プロセッサまたは特定用途向けプロセッサによって実行されるようにフォーマットされた、メモリに組み込まれた命令によって実装され得る。
【０１４６】
[0195]  いくつかの例では、受信機モジュール１８１０が、第１の帯域（例えば、免許ＬＴＥ帯域）または第２の帯域（例えば、免許不要帯域のような、異なる送信プロトコルのもとで動作するデバイスによって使用される「共有帯域」）において送信を受信するように動作可能なＲＦ受信機などのＲＦ受信機であってよく、またはそれを含んでよい。ＲＦ受信機は、第１の帯域および第２の帯域のために別々の受信機を含み得る。いくつかの場合、別々の受信機は、第１の帯域を通じて通信するための免許帯域受信機モジュール１８１２、および第２の帯域を通じて通信するための免許不要帯域受信機モジュール１８１４という形態をとり得る。免許帯域受信機モジュール１８１２または免許不要帯域受信機モジュール１８１４を含む受信機モジュール１８１０は、図１、図２Ａ、または図２Ｂを参照して説明されたワイヤレス通信システム１００、２００、または２５０の１つまたは複数の通信リンクのような、免許帯域と免許不要帯域とを含むワイヤレス通信システムの１つまたは複数の通信リンクを通じて様々なタイプのデータまたは制御信号（すなわち、送信(transmissions)）を受信するために使用され得る。
【０１４７】
[0196]  いくつかの例では、送信機モジュール１８２０が、第１の帯域または第２の帯域において送信をするように動作可能なＲＦ送信機などのＲＦ送信機であってよく、またはそれを含んでよい。ＲＦ送信機は、第１の帯域および第２の帯域のために別々の送信機を含み得る。いくつかの場合、別々の送信機は、第１の帯域を通じて通信するための免許帯域送信機モジュール１８２２、および第２の帯域を通じて通信するための免許不要帯域送信機モジュール１８２４という形態をとり得る。免許帯域送信機モジュール１８２２または免許不要帯域送信機モジュール１８２４を含む送信機モジュール１８２０は、免許帯域と免許不要帯域とを含むワイヤレス通信システムの１つまたは複数の通信リンクを通じて様々なタイプのデータまたは制御信号（すなわち、送信(transmissions)）を送信するために使用され得る。
【０１４８】
[0197]  デバイス１８０５は、デバイス１８０５および少なくとも第２のデバイス（例えば、少なくとも第２の基地局）が周期的なＣＥＴタイミングを共有すると仮定する。共有されるＣＥＴタイミングにより、デバイス１８０５によるＣＥＴの送信は、少なくとも第２のデバイスのＣＥＴをデバイスが受信することと（例えば、それぞれのＣＥＴが同時に受信され送信され得るので）干渉し得る。
【０１４９】
[0198]  いくつかの例では、タイミング管理モジュール１８１５が、図１３または図１４を参照して説明されたタイミング管理モジュール１３１５または１４１５の１つまたは複数の態様の例であってよく、ＣＥＴタイミング情報分析モジュール１８２５、タイミング調整モジュール１８３０、またはＣＥＴモジュール１８３５を含んでよい。
【０１５０】
[0199]  いくつかの例では、ＣＥＴタイミング情報分析モジュール１８２５が、図１４を参照して説明されたＣＥＴタイミング情報分析モジュール１４２５の１つまたは複数の態様の例であってよく、ゲーティングモジュール１８４０またはタイミング階層決定モジュール１８４５を含み得る。ゲーティングモジュール１８４０は、デバイス１８０５のＣＥＴが現在のＣＥＴ期間においてゲーティングされるべきである（すなわち、送信されるべきではない）かどうかを決定するために、周期的なゲーティングスケジュールにアクセスするために使用され得る。周期的なゲーティングスケジュールは、デバイス１８０５のＣＥＴが、少なくとも第２のデバイス（例えば、第２の基地局）のＣＥＴのデバイスによる受信との干渉を軽減するためにゲーティングされるべきである、特定のＣＥＴ期間を示し得る。
【０１５１】
[0200]  いくつかの例では、タイミング階層決定モジュール１８４５が、デバイス１８０５のタイミング階層を決定するために使用され得る。
【０１５２】
[0201]  いくつかの例では、ＣＥＴタイミング情報分析モジュール１８２５が、受信機モジュール１８１０の免許不要帯域受信機モジュール１８１４を介して少なくとも１つのＣＥＴを受信するために使用され得る。少なくとも１つのＣＥＴの各々は、複数の周期的にスケジューリングされるＣＥＴ期間の現在のＣＥＴ期間の間に受信され得る。少なくとも１つのＣＥＴは、共有帯域を通じて少なくとも第２のデバイス（例えば、第２の基地局）のタイミング情報を示し得る。少なくとも１つのＣＥＴはまた、少なくとも第２のデバイスのタイミング階層を示し得る。
【０１５３】
[0202]  いくつかの例では、タイミング調整モジュール１８３０が、少なくとも第２のデバイスの受信されたタイミング情報に基づいてデバイス１８０５のタイミングを調整するために使用され得る。タイミング調整は、受信されたタイミング情報に基づいて、デバイス１８０５のタイミングを少なくとも第２のデバイスのタイミングに同期させることを含み得る。
【０１５４】
[0203]  いくつかの例で、ＣＥＴタイミング情報分析モジュール１８２５によって受信される少なくとも１つのＣＥＴは、共有帯域を通じて第２のデバイスのタイミング情報を示す第１のＣＥＴと、共有帯域を通じて第３のデバイスのタイミング情報を示す第２のＣＥＴとを含み得る。第１のＣＥＴおよび第２のＣＥＴは、同時に、または異なる時間に、デバイス１８０５で受信され得る。
【０１５５】
[0204]  いくつかの例で、少なくとも１つのＣＥＴはさらに、共有帯域を通じて第３のデバイスのためのタイミング情報を示し得る。これらの例では、いくつかの場合、デバイス１８０５のタイミングが、第２のデバイスのタイミング情報および第３のデバイスのタイミング情報に基づいて調整され得る。より一般的には、第１のデバイスのタイミングは、任意の数のデバイスのタイミング情報に基づいて調整され得る。
【０１５６】
[0205]  いくつかの場合、第１の基地局および第２の基地局は、共通のＰＬＭＮの構成員であり得る。他の場合、第１の基地局および第２の基地局は、異なる事業者と関連付けられる異なるＰＬＭＮの構成員であり得る。異なるＰＬＭＮは、互いに同期され得る。
【０１５７】
[0206]  いくつかの例では、ＣＥＴモジュール１８３５が、デバイス１８０５のＣＥＴを送信するために使用され得る。デバイス１８０５のＣＥＴは、共有帯域を通じてデバイス１８０５のタイミング情報を示し、さらに、デバイス１８０５のタイミング階層の指示を提供できる。ＣＥＴモジュール１８３５は、ゲーティングモジュール１８４０によってゲーティングされるＣＥＴ期間において、デバイス１８０５のＣＥＴを送信することを禁止され得る。
【０１５８】
[0207]  いくつかの例で、少なくとも１つのＣＥＴは、複数の周期的にスケジューリングされるＣＥＴ期間のある特定のＣＥＴ期間の間に受信され得る。ＣＥＴ期間の各々は、少なくとも１つのＰＬＭＮ固有の領域と共通の送信領域とを含み得る。いくつかの場合、少なくとも第２のデバイスのタイミング情報は、特定のＣＥＴ期間の共通の送信領域の間に受信されてよく、または、デバイス１８０５のＣＥＴは、共通の送信領域の間に送信されてよい。
【０１５９】
[0208]  図１９は、本開示の様々な態様による、ワイヤレス通信において使用するためのデバイス１９０５のブロック図１９００を示す。いくつかの例では、デバイス１９０５が、図１もしくは図２を参照して説明された基地局１０５もしくは２０５の１つ、または、図１３を参照して説明されたデバイス１３０５の、１つまたは複数の態様の例であり得る。デバイス１９０５は、プロセッサであってもよい。デバイス１９０５は、受信機モジュール１９１０と、タイミング管理モジュール１９１５と、送信機モジュール１９２０とを含み得る。これらのコンポーネントの各々は、互いに通信していてよい。
【０１６０】
[0209]  デバイス１９０５のコンポーネントは、個別にまたは集合的に、ハードウェア中の適用可能な機能の一部または全てを行うように適応された１つまたは複数のＡＳＩＣを使用して実装され得る。代替的には、それらの機能は、１つまたは複数の他の処理ユニット（またはコア）によって、１つまたは複数の集積回路上で行われ得る。他の例では、他のタイプの集積回路（例えば、ストラクチャード／プラットフォームＡＳＩＣ、ＦＰＧＡ、および他のセミカスタムＩＣ）が使用され得、当技術分野で知られている任意の方法でプログラムされ得る。各ユニットの機能はまた、全体的または部分的に、１つまたは複数の汎用プロセッサまたは特定用途向けプロセッサによって実行されるようにフォーマットされた、メモリに組み込まれた命令によって実装され得る。
【０１６１】
[0210]  いくつかの例では、受信機モジュール１９１０が、第１の帯域（例えば、免許ＬＴＥ帯域）または第２の帯域（例えば、免許不要帯域のような、異なる送信プロトコルのもとで動作するデバイスによって使用される「共有帯域」）において送信を受信するように動作可能なＲＦ受信機などのＲＦ受信機であってよく、またはそれを含んでよい。ＲＦ受信機は、第１の帯域および第２の帯域のために別々の受信機を含み得る。いくつかの場合、別々の受信機は、第１の帯域を通じて通信するための免許帯域受信機モジュール１９１２、および第２の帯域を通じて通信するための免許不要帯域受信機モジュール１９１４という形態をとり得る。免許帯域受信機モジュール１９１２または免許不要帯域受信機モジュール１９１４を含む受信機モジュール１９１０は、図１、図２Ａ、または図２Ｂを参照して説明されたワイヤレス通信システム１００、２００、または２５０の１つまたは複数の通信リンクのような、免許帯域と免許不要帯域とを含むワイヤレス通信システムの１つまたは複数の通信リンクを通じて様々なタイプのデータまたは制御信号（すなわち、送信(transmissions)）を受信するために使用され得る。
【０１６２】
[0211]  いくつかの例では、送信機モジュール１９２０が、第１の帯域または第２の帯域において送信をするように動作可能なＲＦ送信機などのＲＦ送信機であってよく、またはそれを含んでよい。ＲＦ送信機は、第１の帯域および第２の帯域のために別々の送信機を含み得る。いくつかの場合、別々の送信機は、第１の帯域を通じて通信するための免許帯域送信機モジュール１９２２、および第２の帯域を通じて通信するための免許不要帯域送信機モジュール１９２４という形態をとり得る。免許帯域送信機モジュール１９２２または免許不要帯域送信機モジュール１９２４を含む送信機モジュール１９２０は、免許帯域と免許不要帯域とを含むワイヤレス通信システムの１つまたは複数の通信リンクを通じて様々なタイプのデータまたは制御信号（すなわち、送信(transmissions)）を送信するために使用され得る。
【０１６３】
[0212]  いくつかの例では、タイミング管理モジュール１９１５が、図１３を参照して説明されたタイミング管理モジュール１３１５の１つまたは複数の態様の例であってよく、ＣＣＡスロット特定モジュール１９２５、ＣＣＡモジュール１９３０、タイミング送信モジュール１９３５、またはタイミング受信モジュール１９４０を含んでよい。
【０１６４】
[0213]  いくつかの例では、ＣＣＡスロット特定モジュール１９２５が、共有帯域のフレームのためにデバイス１９０５に割り当てられるＣＣＡスロットを特定するために使用され得る。このフレームは、例えば図１１を参照して説明されたような、時間同期と関連付けられるフレームであり得る。いくつかの場合、このフレームは、複数の周期的な同期フレームの１つであり得る。
【０１６５】
[0214]  いくつかの例では、共通帯域のフレームのために第１の基地局に割り当てられるＣＣＡスロットが、第１の基地局のタイミング階層に基づいて特定され得る。
【０１６６】
[0215]  いくつかの例では、第１の基地局に割り当てられるＣＣＡスロットが、第１の基地局のタイミング階層よりも高いタイミング階層と関連付けられる１つまたは複数のＣＣＡスロットよりも早く、フレーム中で発生し得る（例えば、第１の基地局がより低いタイミング階層と関連付けられ、ＧＰＳソースである場合、または、他の基地局よりも同期階層においてＧＰＳソースに近いタイミング階層と関連付けられる場合、第１の基地局が、１つまたは複数の他のＣＣＡスロットよりも早くフレーム中で発生するＣＣＡスロットにおいて、ＣＣＡを行い得る）。一般に、より低いタイミング階層と関連付けられる基地局は、フレームにおいてより早く発生するＣＣＡスロットを割り当てられ得る。
【０１６７】
[0216]  いくつかの例では、ＣＣＡモジュール１９３０が、ＣＣＡスロット特定モジュール１９２５によってフレームのために特定されるＣＣＡスロットでＣＣＡを行うために使用され得る。
【０１６８】
[0217]  いくつかの例では（例えば、ＣＣＡが成功するとき）、タイミング送信モジュール１９３５は、デバイス１９０５の第１のタイミング情報を選択的に送信するために使用され得る。
【０１６９】
[0218]  いくつかの例では（例えば、ＣＣＡが成功しないとき）、タイミング受信モジュール１９４０は、そのフレームの間に第２のデバイス（例えば、第２の基地局）の第２のタイミング情報を聴取するために使用され得る。いくつかの場合、タイミング受信モジュール１９４０はまた、フレームの間に第３のデバイスの第３のタイミング情報を聴取する（または、追加のデバイスの追加のタイミング情報を聴取し受信する）ことができる。いくつかの場合、第２のタイミング情報および第３のタイミング情報（さらには他のタイミング情報）が、同時に受信され得る。
【０１７０】
[0219]  図２０は、本開示の様々な態様による、ワイヤレス通信において使用するためのデバイス２００５のブロック図２０００を示す。いくつかの例では、デバイス２００５が、図１もしくは図２を参照して説明された基地局１０５もしくは２０５の１つ、または、図１３を参照して説明されたデバイス１３０５の、１つまたは複数の態様の例であり得る。デバイス２００５は、プロセッサであってもよい。デバイス２００５は、受信機モジュール２０１０と、タイミング管理モジュール２０１５と、送信機モジュール２０２０とを含み得る。これらのコンポーネントの各々は、互いに通信していてよい。
【０１７１】
[0220]  デバイス２００５のコンポーネントは、個別にまたは集合的に、ハードウェア中の適用可能な機能の一部または全てを行うように適応された１つまたは複数のＡＳＩＣを使用して実装され得る。代替的には、それらの機能は、１つまたは複数の他の処理ユニット（またはコア）によって、１つまたは複数の集積回路上で行われ得る。他の例では、他のタイプの集積回路（例えば、ストラクチャード／プラットフォームＡＳＩＣ、ＦＰＧＡ、および他のセミカスタムＩＣ）が使用され得、当技術分野で知られている任意の方法でプログラムされ得る。各ユニットの機能はまた、全体的または部分的に、１つまたは複数の汎用プロセッサまたは特定用途向けプロセッサによって実行されるようにフォーマットされた、メモリに組み込まれた命令によって実装され得る。
【０１７２】
[0221]  いくつかの例では、受信機モジュール２０１０が、第１の帯域（例えば、免許ＬＴＥ帯域）または第２の帯域（例えば、免許不要帯域のような、異なる送信プロトコルのもとで動作するデバイスによって使用される「共有帯域」）において送信を受信するように動作可能なＲＦ受信機などのＲＦ受信機であってよく、またはそれを含んでよい。ＲＦ受信機は、第１の帯域および第２の帯域のために別々の受信機を含み得る。いくつかの場合、別々の受信機は、第１の帯域を通じて通信するための免許帯域受信機モジュール２０１２、および第２の帯域を通じて通信するための免許不要帯域受信機モジュール２０１４という形態をとり得る。免許帯域受信機モジュール２０１２または免許不要帯域受信機モジュール２０１４を含む受信機モジュール２０１０は、図１、図２Ａ、または図２Ｂを参照して説明されたワイヤレス通信システム１００、２００、または２５０の１つまたは複数の通信リンクのような、免許帯域と免許不要帯域とを含むワイヤレス通信システムの１つまたは複数の通信リンクを通じて様々なタイプのデータまたは制御信号（すなわち、送信(transmissions)）を受信するために使用され得る。
【０１７３】
[0222]  いくつかの例では、送信機モジュール２０２０が、第１の帯域または第２の帯域において送信をするように動作可能なＲＦ送信機などのＲＦ送信機であってよく、またはそれを含んでよい。ＲＦ送信機は、第１の帯域および第２の帯域のために別々の送信機を含み得る。いくつかの場合、別々の送信機は、第１の帯域を通じて通信するための免許帯域送信機モジュール２０２２、および第２の帯域を通じて通信するための免許不要帯域送信機モジュール２０２４という形態をとり得る。免許帯域送信機モジュール２０２２または免許不要帯域送信機モジュール２０２４を含む送信機モジュール２０２０は、免許帯域と免許不要帯域とを含むワイヤレス通信システムの１つまたは複数の通信リンクを通じて様々なタイプのデータまたは制御信号（すなわち、送信(transmissions)）を送信するために使用され得る。
【０１７４】
[0223]  いくつかの例では、タイミング管理モジュール２０１５が、図１３を参照して説明されたタイミング管理モジュール１３１５の１つまたは複数の態様の例であってよく、ＣＣＡスロット特定モジュール２０２５、ＣＣＡモジュール２０３０、タイミング送信モジュール２０３５、またはタイミング受信モジュール２０４０を含んでよい。
【０１７５】
[0224]  いくつかの例では、ＣＣＡスロット特定モジュール２０２５が、共有帯域のフレームのためにデバイス２００５に割り当てられるＣＣＡスロットを特定するために使用され得る。このフレームは、時間同期と関連付けられるフレームであり得る。いくつかの場合、このフレームは、複数の周期的な同期フレームの１つであり得る。いくつかの場合、第１の基地局に割り当てられるＣＣＡスロットのタイミングは、例えば図１２を参照して説明されたように、第１の基地局のタイミング階層よりも低いタイミング階層を有する基地局に割り当てられるＣＣＡスロットと関連付けられるＣＣＡ期間に対して、遅らされ得る。
【０１７６】
[0225]  いくつかの例では、共通帯域のフレームのために第１の基地局に割り当てられるＣＣＡスロットが、第１の基地局のタイミング階層に基づいて特定され得る。
【０１７７】
[0226]  いくつかの例では、第１の基地局に割り当てられるＣＣＡスロットが、第１の基地局のタイミング階層よりも高いタイミング階層と関連付けられる１つまたは複数のＣＣＡスロットよりも早く、フレーム中で発生し得る（例えば、第１の基地局がより低いタイミング階層と関連付けられ、ＧＰＳソースである場合、または、他の基地局よりも同期階層においてＧＰＳソースに近いタイミング階層と関連付けられる場合、第１の基地局が、１つまたは複数の他のＣＣＡスロットよりも早くフレーム中で発生するＣＣＡスロットにおいて、ＣＣＡを行い得る）。一般に、より低いタイミング階層と関連付けられる基地局は、フレームにおいてより早く発生するＣＣＡスロットを割り当てられ得る。しかしながら、第１の基地局がより高い階層と関連付けられ、第１の基地局に割り当てられるＣＣＡスロットのタイミングがより低いタイミング階層を有する基地局に割り当てられるＣＣＡスロットと関連付けられるＣＣＡ期間に対して遅らされるとき、この遅延は、別の基地局がフレームのより早い部分の間に共通帯域へのアクセス権を得ることとは無関係に、第１の基地局が共有帯域へのアクセス権を得ることを可能にし得る。
【０１７８】
[0227]  いくつかの例では、ＣＣＡモジュール２０３０が、ＣＣＡスロット特定モジュール２０２５によってフレームのために特定されるＣＣＡスロットでＣＣＡを行うために使用され得る。
【０１７９】
[0228]  いくつかの例では（例えば、ＣＣＡが成功するとき）、タイミング送信モジュール２０３５は、デバイス２００５の第１のタイミング情報を選択的に送信するために使用され得る。
【０１８０】
[0229]  いくつかの例では（例えば、ＣＣＡが成功しないとき）、タイミング受信モジュール２０４０は、そのフレームの間に第２のデバイス（例えば、第２の基地局）の第２のタイミング情報を聴取するために使用され得る。いくつかの場合、タイミング受信モジュール２０４０はまた、フレームの間に第３のデバイスの第３のタイミング情報を聴取する（または、追加のデバイスの追加のタイミング情報を聴取し受信する）ことができる。いくつかの場合、第２のタイミング情報および第３のタイミング情報（さらには他のタイミング情報）が、同時に受信され得る。
【０１８１】
[0230]  図２１は、本開示の様々な態様による、ワイヤレス通信において使用するためのデバイス２１０５のブロック図２１００を示す。いくつかの例では、デバイス２１０５が、図１もしくは図２を参照して説明された基地局１０５もしくは２０５の１つ、または、図１３、図１９、もしくは図２０を参照して説明されたデバイス１３０５、１９０５、もしくは２００５の、１つまたは複数の態様の例であり得る。デバイス２１０５は、プロセッサであってもよい。デバイス２１０５は、受信機モジュール２１１０と、タイミング管理モジュール２１１５と、送信機モジュール２１２０とを含み得る。これらのコンポーネントの各々は、互いに通信していてよい。
【０１８２】
[0231]  デバイス２１０５のコンポーネントは、個別にまたは集合的に、ハードウェア中の適用可能な機能の一部または全てを行うように適応された１つまたは複数のＡＳＩＣを使用して実装され得る。代替的には、それらの機能は、１つまたは複数の他の処理ユニット（またはコア）によって、１つまたは複数の集積回路上で行われ得る。他の例では、他のタイプの集積回路（例えば、ストラクチャード／プラットフォームＡＳＩＣ、ＦＰＧＡ、および他のセミカスタムＩＣ）が使用され得、当技術分野で知られている任意の方法でプログラムされ得る。各ユニットの機能はまた、全体的または部分的に、１つまたは複数の汎用プロセッサまたは特定用途向けプロセッサによって実行されるようにフォーマットされた、メモリに組み込まれた命令によって実装され得る。
【０１８３】
[0232]  いくつかの例では、受信機モジュール２１１０が、第１の帯域（例えば、免許ＬＴＥ帯域）または第２の帯域（例えば、免許不要帯域のような、異なる送信プロトコルのもとで動作するデバイスによって使用される「共有帯域」）において送信を受信するように動作可能なＲＦ受信機などのＲＦ受信機であってよく、またはそれを含んでよい。ＲＦ受信機は、第１の帯域および第２の帯域のために別々の受信機を含み得る。いくつかの場合、別々の受信機は、第１の帯域を通じて通信するための免許帯域受信機モジュール２１１２、および第２の帯域を通じて通信するための免許不要帯域受信機モジュール２１１４という形態をとり得る。免許帯域受信機モジュール２１１２または免許不要帯域受信機モジュール２１１４を含む受信機モジュール２１１０は、図１、図２Ａ、または図２Ｂを参照して説明されたワイヤレス通信システム１００、２００、または２５０の１つまたは複数の通信リンクのような、免許帯域と免許不要帯域とを含むワイヤレス通信システムの１つまたは複数の通信リンクを通じて様々なタイプのデータまたは制御信号（すなわち、送信(transmissions)）を受信するために使用され得る。
【０１８４】
[0233]  いくつかの例では、送信機モジュール２１２０が、第１の帯域または第２の帯域において送信をするように動作可能なＲＦ送信機などのＲＦ送信機であってよく、またはそれを含んでよい。ＲＦ送信機は、第１の帯域および第２の帯域のために別々の送信機を含み得る。いくつかの場合、別々の送信機は、第１の帯域を通じて通信するための免許帯域送信機モジュール２１２２、および第２の帯域を通じて通信するための免許不要帯域送信機モジュール２１２４という形態をとり得る。免許帯域送信機モジュール２１２２または免許不要帯域送信機モジュール２１２４を含む送信機モジュール２１２０は、免許帯域と免許不要帯域とを含むワイヤレス通信システムの１つまたは複数の通信リンクを通じて様々なタイプのデータまたは制御信号（すなわち、送信(transmissions)）を送信するために使用され得る。
【０１８５】
[0234]  いくつかの例では、タイミング管理モジュール２１１５が、図１３または図１９を参照して説明されたタイミング管理モジュール１３１５または１９１５の１つまたは複数の態様の例であってよく、ＣＣＡスロット特定モジュール２１２５、ＣＣＡモジュール２１３０、タイミング送信モジュール２１３５、タイミング受信モジュール２１４０、データ送信モジュール２１４５、またはタイミング調整モジュール２１５０を含んでよい。
【０１８６】
[0235]  いくつかの例では、ＣＣＡスロット特定モジュール２１２５が、共有帯域のフレームのためにデバイス２１０５に割り当てられるＣＣＡスロットを特定するために使用され得る。このフレームは、例えば図１１または図１２を参照して説明されたように、時間同期と関連付けられ得る。
【０１８７】
[0236]  いくつかの例では、共通帯域のフレームのために第１の基地局に割り当てられるＣＣＡスロットが、第１の基地局のタイミング階層に基づいて特定され得る。
【０１８８】
[0237]  いくつかの例では、第１の基地局に割り当てられるＣＣＡスロットが、第１の基地局のタイミング階層よりも高いタイミング階層と関連付けられる１つまたは複数のＣＣＡスロットよりも早くてよい（例えば、第１の基地局がより低いタイミング階層と関連付けられ、ＧＰＳソースである場合、または、他の基地局よりも同期階層においてＧＰＳソースに近いタイミング階層と関連付けられる場合、第１の基地局は、１つまたは複数の他のＣＣＡスロットよりも早く発生するＣＣＡスロットにおいて、ＣＣＡを行い得る）。
【０１８９】
[0238]  いくつかの例では、第１の基地局のＣＣＡスロットタイミングが、例えば図１２を参照して説明されたように、第１の基地局のタイミング階層に基づいて遅らされ得る。
【０１９０】
[0239]  いくつかの例では、ＣＣＡモジュール２１３０が、ＣＣＡスロット特定モジュール２１２５によってフレームのために特定されるＣＣＡスロットでＣＣＡを行うために使用され得る。
【０１９１】
[0240]  タイミング送信モジュール２１３５は、図１９または図２０を参照して説明されたタイミング送信モジュール１９３５または２０３５の例であり得る。いくつかの例では（例えば、ＣＣＡモジュール２１３０によって行われるＣＣＡが成功するとき）、タイミング送信モジュール２１３５は、デバイス２１０５の第１のタイミング情報を選択的に送信するために使用され得る。いくつかの場合、第１のタイミング情報は、ＣＣＡが成功したフレームの少なくとも１つの参照信号リソース要素の間に送信され得る。
【０１９２】
[0241]  タイミング受信モジュール２１４０は、図１９または図２０を参照して説明されたタイミング受信モジュール１９４０または２０４０の例であり得る。いくつかの例では（例えば、ＣＣＡモジュール２１３０によって行われるＣＣＡが成功しないとき）、タイミング受信モジュール２１４０は、第２のデバイス（例えば、第２の基地局）からのチャネル使用ビーコン信号を聴取することによって、ＣＣＡが成功するフレームの間に、第２のデバイスの第２のタイミング情報を聴取するために使用され得る。いくつかの場合、タイミング受信モジュール２１４０はまた、フレームの間に第３の基地局の第３のタイミング情報を聴取する（または、追加の基地局の追加のタイミング情報を聴取し受信する）ことができる。いくつかの場合、第２のタイミング情報および第３のタイミング情報（さらには他のタイミング情報）が、同時に受信され得る。
【０１９３】
[0242]  データ送信モジュール２１４５は、ＣＣＡが成功するフレームの間にデータを少なくとも１つのＵＥに送信するために使用され得る。いくつかの場合、データは、タイミング送信モジュール２１３５によって送信される第１のタイミング情報の送信と同時に、少なくとも１つのＵＥに送信され得る。
【０１９４】
[0243]  タイミング調整モジュール２１５０は、第２のタイミング情報に基づいてデバイス２１０５のタイミングを調整するために使用され得る。いくつかの場合、デバイス２１０５のタイミングはまた、第３のデバイスから受信される第３のタイミング情報に基づいて、または、任意の数のデバイスから受信されるタイミング情報に基づいて、調整され得る。第３のデバイスから受信されるタイミング情報は、第２のタイミング情報が受信されるのと同じフレームまたは異なるフレームの間に受信され得る。
【０１９５】
[0244]  いくつかの例では、タイミング調整モジュール２１５０が、第２のタイミング情報に基づいて第２のデバイスのタイミングを決定でき、デバイス２１０５のタイミングは、デバイス２１０５のタイミングを第２のデバイスのタイミングに同期させることによって調整され得る。
【０１９６】
[0245]  図２２は、第１の基地局２２０５−ａと第２の基地局２２０５−ｂとの間のワイヤレス通信を示すメッセージフロー図２２００である。いくつかの場合、第１の基地局２２０５−ａは、第２の基地局２２０５−ｂのタイミング階層（例えば、ＴＳ１）よりも高いタイミング階層（例えば、ＴＳ２）と関連付けられ得る。いくつかの場合、第１の基地局２２０５−ａおよび第２の基地局２２０５−ｂは、共通のＰＬＭＮの構成員であり得る。他の場合、第１の基地局２２０５−ａおよび第２の基地局２２０５−ｂは、異なる事業者と関連付けられる異なるＰＬＭＮの構成員であり得る。異なるＰＬＭＮは、互いに同期され得る。
【０１９７】
[0246]  いくつかの例では、第１の基地局２２０５−ａまたは第２の基地局２２０５−ｂの各々が、図１もしくは図２を参照して説明された基地局１０５もしくは２０５、または、図１３、図１４、図１５、図１６、図１７、もしくは図１８を参照して説明されたデバイス１３０５、１４０５、１５０５、１６０５、１７０５、もしくは１８０５の、１つまたは複数の態様の例であり得る。
【０１９８】
[0247]  例として、メッセージフローはＣＥＴ期間２２１０の間に開始し得る。ＣＥＴ期間２２１０の間、第１の基地局２２０５−ａは聴取モード２２１５にあり得る。聴取モード２２１５にある間、第１の基地局２２０５−ａは、共有帯域を通じて少なくとも第２の基地局２２０５−ｂのタイミング情報を示す少なくとも１つのＣＥＴを受信できる。少なくとも１つのＣＥＴはまた、少なくとも第２の基地局２２０５−ｂのタイミング階層を示し得る。少なくとも１つのＣＥＴは、第２の基地局２２０５−ｂのＣＥＴ２２２０を含み得る。
【０１９９】
[0248]  示されるように、いくつかの場合、第１の基地局２２０５−ａは、第３の基地局または他の基地局のＣＥＴ２２２５を受信できる。第３の基地局のＣＥＴ２２２５は、第２の基地局２２０５−ｂのＣＥＴ２２２０と同時に、または異なる時間に受信され得る。第１の基地局２２０５−ａはまた、聴取モード２２１５の間に固有のＣＥＴ２２３０を送信でき、このＣＥＴ２２３０は、共有階層並びに第１の基地局２２０５−ａのタイミング階層を通じて第１の基地局２２０５−ａのタイミング情報を示し得る。
【０２００】
[0249]  ブロック２２３５では、第１の基地局２２０５−ａのタイミングが、少なくとも第２の基地局２２０５−ｂの受信されたタイミング情報に基づいて調整され得る。いくつかの場合、タイミング調整は、受信されたタイミング情報に基づいて、第１の基地局２２０５−ａのタイミングを少なくとも第２の基地局２２０５−ｂのタイミングに同期させることを含み得る。第１の基地局２２０５−ａのタイミングは、第３の基地局のような他の基地局とも同期され得る。
【０２０１】
[0250]  図２３は、第１の基地局２３０５−ａと第２の基地局２３０５−ｂとの間のワイヤレス通信を示すメッセージフロー図２３００である。いくつかの場合、第１の基地局２３０５−ａは、第２の基地局２３０５−ｂのタイミング階層（例えば、ＴＳ１）よりも高いタイミング階層（例えば、ＴＳ２）と関連付けられ得る。いくつかの場合、第１の基地局２３０５−ａおよび第２の基地局２３０５−ｂは、共通のＰＬＭＮの構成員であり得る。他の場合、第１の基地局２３０５−ａおよび第２の基地局２３０５−ｂは、異なる事業者と関連付けられる異なるＰＬＭＮの構成員であり得る。異なるＰＬＭＮは、互いに同期され得る。
【０２０２】
[0251]  いくつかの例では、第１の基地局２３０５−ａまたは第２の基地局２３０５−ｂの各々が、図１もしくは図２を参照して説明された基地局１０５もしくは２０５、または、図１３、図１４、もしくは図１５を参照して説明されたデバイス１３０５、１４０５、もしくは１５０５の、１つまたは複数の態様の例であり得る。
【０２０３】
[0252]  例として、メッセージフローはブロック２３１０で開始してよく、第１の基地局２３０５−ａは、ＣＥＴ期間２３１５の間に、第２の基地局２３０５−ｂのタイミング階層と関連付けられるタイミング階層固有の部分、または第２の基地局２３０５−ｂのＰＬＭＮと関連付けられるＰＬＭＮ固有の部分（すなわち、第２の基地局２３０５−ｂのタイミング階層と関連付けられるタイミング階層固有の部分と第２の基地局２３０５−ｂのＰＬＭＮと関連付けられるＰＬＭＮ固有の部分の両方が利用可能であるとき、それらの両方の部分）を特定する。いくつかの場合、ブロック２３１０での動作は、聴取モード２３２０の間に、またはその後に行われ得る。
【０２０４】
[0253]  ＣＥＴ期間２３１５の間、第１の基地局２３０５−ａは聴取モード２３２０にあり得る。聴取モード２３２０にある間、第１の基地局２３０５−ａは、共有帯域を通じて少なくとも第２の基地局２３０５−ｂのタイミング情報を示す少なくとも１つのＣＥＴを受信できる。少なくとも１つのＣＥＴはまた、少なくとも第２の基地局２３０５−ｂのタイミング階層を示し得る。少なくとも１つのＣＥＴは、第２の基地局２３０５−ｂのＣＥＴ２３２５を含んでよく、このＣＥＴ２３２５は、ブロック２３１０で特定されたタイミング階層固有の部分とＰＬＭＮ固有の部分の間に受信され得る。
【０２０５】
[0254]  示されるように、いくつかの場合、第１の基地局２３０５−ａは、第３の基地局または他の基地局のＣＥＴ２３３０を受信できる。第３の基地局のＣＥＴ２２３０は、第２の基地局のＣＥＴ２３２５と同時に、またはそれとは異なる時間に受信され得る。第１の基地局２３０５−ａはまた、聴取モード２３２０の間に固有のＣＥＴ２３３５を送信でき、このＣＥＴ２３３５は、共有階層並びに第１の基地局２３０５−ａのタイミング階層を通じて第１の基地局２３０５−ａのタイミング情報を示し得る。
【０２０６】
[0255]  ブロック２３４０では、第１の基地局２３０５−ａのタイミングが、少なくとも第２の基地局２３０５−ｂの受信されたタイミング情報に基づいて調整され得る。いくつかの場合、タイミング調整は、受信されたタイミング情報に基づいて、第１の基地局２３０５−ａのタイミングを少なくとも第２の基地局２３０５−ｂのタイミングに同期させることを含み得る。第１の基地局２３０５−ａのタイミングは、第３の基地局のような他の基地局とも同期され得る。
【０２０７】
[0256]  図２４は、第１の基地局２４０５−ａと第２の基地局２４０５−ｂとの間のワイヤレス通信を示すメッセージフロー図２４００である。いくつかの場合、第１の基地局２４０５−ａは、第２の基地局２４０５−ｂのタイミング階層（例えば、ＴＳ１）よりも高いタイミング階層（例えば、ＴＳ２）と関連付けられ得る。いくつかの場合、第１の基地局２４０５−ａはＰＬＭＮ＿Ａの構成員であってよく、第２の基地局２４０５−ｂはＰＬＭＮ＿Ｂの構成員であってよい。異なるＰＬＭＮは、互いに同期され得る。
【０２０８】
[0257]  いくつかの例では、第１の基地局２４０５−ａまたは第２の基地局２４０５−ｂの各々が、図１もしくは図２を参照して説明された基地局１０５もしくは２０５、または、図１３もしくは図１４を参照して説明されたデバイス１３０５もしくは１４０５の、１つまたは複数の態様の例であり得る。
【０２０９】
[0258]  例として、メッセージフローはＣＥＴ期間２４１０の間に開始し得る。ＣＥＴ期間２４１０の間、第１の基地局２４０５−ａは聴取モード２４１５にあり得る。聴取モード２４１５にある間、第１の基地局２４０５−ａは、共有帯域を通じて少なくとも第２の基地局２４０５−ｂのタイミング情報を示す少なくとも１つのＣＥＴを受信できる。少なくとも１つのＣＥＴはまた、少なくとも第２の基地局２４０５−ｂのタイミング階層を示し得る。少なくとも１つのＣＥＴは、第２の基地局２４０５−ｂのＣＥＴ２４２０を含み得る。
【０２１０】
[0259]  示されるように、いくつかの場合、第１の基地局２４０５−ａは、第３の基地局または他の基地局のＣＥＴ２４２５を受信できる。第３の基地局のＣＥＴ２４２５は、第２の基地局２４０５−ｂのＣＥＴ２４２０と同時に、または異なる時間に受信され得る。第１の基地局２４０５−ａはまた、聴取モード２４１５の間に固有のＣＥＴ２４３０を送信でき、このＣＥＴ２４３０は、共有階層並びに第１の基地局２４０５−ａのタイミング階層を通じて第１の基地局２４０５−ａのタイミング情報を示し得る。
【０２１１】
[0260]  ブロック２４３５では、第１の基地局２４０５−ａのタイミングが、少なくとも第２の基地局２４０５−ｂの受信されたタイミング情報に基づいて調整され得る。いくつかの場合、タイミング調整は、受信されたタイミング情報に基づいて、第１の基地局２４０５−ａのタイミングを少なくとも第２の基地局２４０５−ｂのタイミングに同期させることを含み得る。このようにして、１つのＰＬＭＮと関連付けられる基地局のタイミングは、別のＰＬＭＮと関連付けられる別の基地局のタイミングに基づいて調整され得る。第１の基地局２４０５−ａのタイミングは、第３の基地局のような他の基地局とも同期され得る。
【０２１２】
[0261]  図２５は、第１の基地局２５０５−ａと第２の基地局２５０５−ｂとの間のワイヤレス通信を示すメッセージフロー図２５００である。いくつかの場合、第１の基地局２５０５−ａは、第２の基地局２５０５−ｂのタイミング階層（例えば、ＴＳ１）よりも高いタイミング階層（例えば、ＴＳ２）と関連付けられ得る。いくつかの場合、第１の基地局２５０５−ａおよび第２の基地局２５０５−ｂは、共通のＰＬＭＮの構成員であり得る。他の場合、第１の基地局２５０５−ａおよび第２の基地局２５０５−ｂは、異なる事業者と関連付けられる異なるＰＬＭＮの構成員であり得る。異なるＰＬＭＮは、互いに同期され得る。
【０２１３】
[0262]  いくつかの例では、第１の基地局２５０５−ａまたは第２の基地局２５０５−ｂの各々が、図１もしくは図２を参照して説明された基地局１０５もしくは２０５、または、図１３、図１４、もしくは図１６を参照して説明されたデバイス１３０５、１４０５、もしくは１６０５の、１つまたは複数の態様の例であり得る。
【０２１４】
[0263]  例として、メッセージフローはＣＥＴ期間２５１０の間に開始し得る。ＣＥＴ期間２５１０の間、第１の基地局２５０５−ａは聴取モード２５１５にあり得る。聴取モード２５１５にある間、第１の基地局２５０５−ａは、共有帯域を通じて少なくとも第２の基地局２５０５−ｂのタイミング情報を示す少なくとも１つのＣＥＴを受信できる。少なくとも１つのＣＥＴはまた、少なくとも第２の基地局２５０５−ｂのタイミング階層を示し得る。少なくとも１つのＣＥＴは、第２の基地局２５０５−ｂのＣＥＴ２５２０を含んでよく、このＣＥＴ２５２０は、ＣＥＴ期間２５１０の複数のＰＬＭＮ固有の領域の１つの間に、またはＣＥＴ期間２５１０の共通の送信領域２５２５の間に受信され得る。例として、ＣＥＴ２５２０は、共通の送信領域２５２５の間に受信されるものとして示されている。
【０２１５】
[0264]  示されるように、いくつかの場合、第１の基地局２５０５−ａは、第３の基地局または他の基地局のＣＥＴ２５３０を受信できる。第３の基地局のＣＥＴ２５３０は、第２の基地局２５０５−ｂのＣＥＴ２５２０と同時に、または異なる時間に受信され得る。第１の基地局２５０５−ａはまた、聴取モード２５１５の間に固有のＣＥＴ２５３５を送信でき、このＣＥＴ２５３５は、共有階層並びに第１の基地局２５０５−ａのタイミング階層を通じて第１の基地局２５０５−ａのタイミング情報を示し得る。
【０２１６】
[0265]  ブロック２５４０では、第１の基地局２５０５−ａが、ＣＥＴ期間２５１０のＰＬＭＮ固有の領域または共通の送信領域２５２５のＰＬＭＮ割当てを決定できる。この決定は、どのＰＬＭＮ固有の領域が第２の基地局２５０５−ｂのＰＬＭＮに割り当てられるかの決定、さらに、共通の送信領域２５２５が第２の基地局２５０５−ｂのＰＬＭＮに割り当てられるかどうかの決定を含み得る。いくつかの場合、特定の時間ランク（例えば、時間ランクの順位で最後のＰＬＭＮ固有の領域）を有するＰＬＭＮ固有の領域を、特定のＣＥＴ期間２５１０のための第２の基地局２５０５−ｂのＰＬＭＮに割り当てたことに基づいて、共通の送信領域２５２５が第２の基地局２５０５−ｂのＰＬＭＮに割り当てられると決定（例えば、推測）され得る。いくつかの場合、ブロック２５４０での動作は、聴取モード２５１５の前に、またはその間に行なわれ得る。
【０２１７】
[0266]  ブロック２５４５では、第１の基地局２５０５−ａのタイミングが、少なくとも第２の基地局２５０５−ｂの受信されたタイミング情報に基づいて調整され得る。いくつかの場合、タイミング調整は、受信されたタイミング情報に基づいて、第１の基地局２５０５−ａのタイミングを少なくとも第２の基地局２５０５−ｂのタイミングに同期させることを含み得る。第１の基地局２５０５−ａのタイミングは、第３の基地局のような他の基地局とも同期され得る。
【０２１８】
[0267]  図２６は、第１の基地局２６０５−ａと第２の基地局２６０５−ｂとの間のワイヤレス通信を示すメッセージフロー図２６００である。いくつかの場合、第１の基地局２６０５−ａは、第２の基地局２６０５−ｂのタイミング階層（例えば、ＴＳ１）よりも高いタイミング階層（例えば、ＴＳ２）と関連付けられ得る。いくつかの場合、第１の基地局２６０５−ａおよび第２の基地局２６０５−ｂは、共通のＰＬＭＮの構成員であり得る。他の場合、第１の基地局２６０５−ａおよび第２の基地局２６０５−ｂは、異なる事業者と関連付けられる異なるＰＬＭＮの構成員であり得る。異なるＰＬＭＮは、互いに同期され得る。
【０２１９】
[0268]  いくつかの例では、第１の基地局２６０５−ａまたは第２の基地局２６０５−ｂの各々が、図１もしくは図２を参照して説明された基地局１０５もしくは２０５、または、図１３、図１４、もしくは図１７を参照して説明されたデバイス１３０５、１４０５、もしくは１７０５の、１つまたは複数の態様の例であり得る。
【０２２０】
[0269]  例として、メッセージフローはＣＥＴ期間２６１０の間に開始し得る。ＣＥＴ期間２６１０の間、第１の基地局２６０５−ａは聴取モード２６１５にあり得る。聴取モード２６１５にある間、第１の基地局２６０５−ａは、共有帯域を通じて少なくとも第２の基地局２６０５−ｂのタイミング情報を示す少なくとも１つのＣＥＴを受信できる。少なくとも１つのＣＥＴはまた、少なくとも第２の基地局２６０５−ｂのタイミング階層を示し得る。少なくとも１つのＣＥＴは、第２の基地局２６０５−ｂのＣＥＴ２６２０を含んでよく、このＣＥＴ２６２０は、ＣＥＴ期間２６１０の複数のＰＬＭＮ固有の領域の１つの間に、またはＣＥＴ期間２６１０の共通の送信領域２６２５の間に受信され得る。例として、ＣＥＴ２６２０は、共通の送信領域２６２５の間に受信されるものとして示されている。
【０２２１】
[0270]  示されるように、いくつかの場合、第１の基地局２６０５−ａは、第３の基地局または他の基地局のＣＥＴ２６３０を受信できる。第３の基地局のＣＥＴ２６３０は、第２の基地局２６０５−ｂのＣＥＴ２６２０と同時に、または異なる時間に受信され得る。第１の基地局２６０５−ａはまた、聴取モード２６１５の間に固有のＣＥＴ２６３５を送信でき、このＣＥＴ２６３５は、共有階層並びに第１の基地局２６０５−ａのタイミング階層を通じて第１の基地局２６０５−ａのタイミング情報を示し得る。
【０２２２】
[0271]  ブロック２６４０では、第１の基地局２６０５−ａが、ＣＥＴ期間２６１０のＰＬＭＮ固有の領域のＰＬＭＮ割当て、または、共通の送信領域２６２５のＰＬＭＮおよびタイミング階層の割当てを決定できる。この決定は、どのＰＬＭＮ固有の領域が第２の基地局２６０５−ｂのＰＬＭＮに割り当てられるかの決定、さらに、共通の送信領域２６２５が第２の基地局２６０５−ｂのタイミング階層およびＰＬＭＮに割り当てられるかどうかの決定を含み得る。いくつかの場合、特定の時間ランク（例えば、時間ランク順位で最後のＰＬＭＮ固有の領域）を有するＰＬＭＮ固有の領域を、特定のＣＥＴ期間２６１０のための第２の基地局２６０５−ｂのＰＬＭＮに割り当てたことに基づいて、共通の送信領域２６２５が第２の基地局２６０５−ｂのＰＬＭＮに割り当てられると決定（例えば、推測）され得る。
【０２２３】
[0272]  ブロック２６４５では、第１の基地局２６０５−ａが、第２の基地局２６０５−ｂが第１の基地局２６０５−ａのための適合するタイミング階層同期ソースを含むと決定できる。いくつかの場合、第２の基地局２６０５−ｂは、第２の基地局２６０５−ｂと関連付けられるタイミング階層が第１の基地局２６０５−ａと関連付けられるタイミング階層よりも低い階層であるので、適合するタイミング階層同期ソースを含むと決定され得る。いくつかの場合、第２の基地局２６０５−ｂは、第２の基地局２６０５−ｂと関連付けられるタイミング階層が第１の基地局２６０５−ａと関連付けられるタイミング階層の１つ下の階層であるので、適合するタイミング階層同期ソースを含むと決定され得る。
【０２２４】
[0273]  ブロック２６５０では、第２の基地局２６０５−ｂが、第１の基地局２６０５−ａのタイミングを調整するための基礎として選択され得る。第２の基地局２６０５−ｂは、ブロック２６４５で行われた決定に応答して選択され得る。
【０２２５】
[0274]  いくつかの場合、ブロック２６４０またはブロック２６４５での動作は、聴取モード２６１５の前に、またはその間に行われ得る。
【０２２６】
[0275]  ブロック２６５５では、第１の基地局２６０５−ａのタイミングが、少なくとも第２の基地局２６０５−ｂの受信されたタイミング情報に基づいて調整され得る。いくつかの場合、タイミング調整は、受信されたタイミング情報に基づいて、第１の基地局２６０５−ａのタイミングを少なくとも第２の基地局２６０５−ｂのタイミングに同期させることを含み得る。第１の基地局２６０５−ａのタイミングは、第３の基地局のような他の基地局とも同期され得る。
【０２２７】
[0276]  図２７は、第１の基地局２７０５−ａと第２の基地局２７０５−ｂとの間のワイヤレス通信を示すメッセージフロー図２７００である。いくつかの場合、第１の基地局２７０５−ａは、第２の基地局２７０５−ｂのタイミング階層（例えば、ＴＳ１）よりも高いタイミング階層（例えば、ＴＳ２）と関連付けられ得る。いくつかの場合、第１の基地局２７０５−ａおよび第２の基地局２７０５−ｂは、共通のＰＬＭＮの構成員であり得る。他の場合、第１の基地局２７０５−ａおよび第２の基地局２７０５−ｂは、異なる事業者と関連付けられる異なるＰＬＭＮの構成員であり得る。異なるＰＬＭＮは、互いに同期され得る。
【０２２８】
[0277]  いくつかの例では、第１の基地局２７０５−ａまたは第２の基地局２７０５−ｂの各々が、図１もしくは図２を参照して説明された基地局１０５もしくは２０５、または、図１３、図１４、もしくは図１８を参照して説明されたデバイス１３０５、１４０５、もしくは１８０５の、１つまたは複数の態様の例であり得る。
【０２２９】
[0278]  メッセージフロー図２７００は、第１の基地局２７０５−ａおよび第２の基地局２７０５−ｂが周期的なＣＥＴタイミングを共有すると仮定する。共有されるＣＥＴタイミングにより、第１の基地局２７０５−ａによるＣＥＴの送信は、第２の基地局２７０５−ｂのＣＥＴを第１の基地局が受信することと（例えば、それぞれのＣＥＴが同時に受信され送信され得るので）干渉し得る。
【０２３０】
[0279]  例として、メッセージフローはブロック２７１０で開始してよく、第１の基地局２７０５−ａが、第１の基地局２７０５−ａのＣＥＴが次のＣＥＴ期間２７２０の間にゲーティングされるべき（すなわち送信されるべきではない）かどうかを決定するために、周期的なゲーティングスケジュールにアクセスする。周期的なゲーティングスケジュールは、第１の基地局２７０５−ａのＣＥＴが少なくとも第２の基地局２７０５−ｂのＣＥＴの第１の基地局による受信との干渉を軽減するためにゲーティングされるべき、特定のＣＥＴ期間を示し得る。ブロック２７１５で、第１の基地局２７０５−ａのＣＥＴが次のＣＥＴ期間２７２０の間はゲーティングされるべきであると決定され得る。
【０２３１】
[0280]  次のＣＥＴ期間２７２０の間、第１の基地局２７０５−ａは聴取モード２７２５にあり得る。聴取モード２７２５にある間、第１の基地局２７０５−ａは、共有帯域を通じて少なくとも第２の基地局２７０５−ｂのタイミング情報を示す少なくとも１つのＣＥＴを受信できる。少なくとも１つのＣＥＴはまた、少なくとも第２の基地局２７０５−ｂのタイミング階層を示し得る。少なくとも１つのＣＥＴは、第２の基地局２７０５−ｂのＣＥＴ２７３０を含み得る。
【０２３２】
[0281]  いくつかの場合、第１の基地局２７０５−ａは、ＣＥＴ期間２７２０の間に第３の基地局または他の基地局のＣＥＴを受信できる。第３の基地局のＣＥＴは、第２の基地局２７０５−ｂのＣＥＴ２７３０と同時に、またはそれとは異なる時間に受信され得る。
【０２３３】
[0282]  ブロック２７３５では、第１の基地局２７０５−ａのタイミングが、少なくとも第２の基地局２７０５−ｂの受信されたタイミング情報に基づいて調整され得る。いくつかの場合、タイミング調整は、受信されたタイミング情報に基づいて、第１の基地局２７０５−ａのタイミングを少なくとも第２の基地局２７０５−ｂのタイミングに同期させることを含み得る。第１の基地局２７０５−ａのタイミングは、第３の基地局のような他の基地局とも同期され得る。
【０２３４】
[0283]  ブロック２７４０では、第１の基地局２７０５−ａが再び、第１の基地局２７０５−ａのＣＥＴが次のＣＥＴ期間２７５０の間にゲーティングされるべき（すなわち送信されるべきではない）かどうかを決定するために、周期的なゲーティングスケジュールにアクセスできる。ブロック２７４５では、第１の基地局２７０５−ａのＣＥＴが次のＣＥＴ期間２７５０の間にゲーティングされるべきであると決定され得る。
【０２３５】
[0284]  次のＣＥＴ期間２７５０の間、第１の基地局２７０５−ａは聴取モード２７５５にあり得る。聴取モード２７５５にある間、第１の基地局２７０５−ａは、共有帯域を通じて少なくとも第２の基地局２７０５−ｂのタイミング情報を示す少なくとも１つのＣＥＴを受信できる。少なくとも１つのＣＥＴはまた、少なくとも第２の基地局２７０５−ｂのタイミング階層を示し得る。少なくとも１つのＣＥＴは、第２の基地局２７０５−ｂのＣＥＴ２７６０を含み得る。ＣＥＴ２７６０の受信と同時に、第１の基地局２７０５−ａは固有のＣＥＴ２７６５を送信できる。
【０２３６】
[0285]  いくつかの場合、第１の基地局２７０５−ａは、ＣＥＴ期間２７５０の間に第３の基地局または他の基地局のＣＥＴを受信できる。第３の基地局のＣＥＴは、第２の基地局２７０５−ｂのＣＥＴ２７６０と同時に、またはそれとは異なる時間に受信され得る。
【０２３７】
[0286]  図２８は、第１の基地局２８０５−ａと第２の基地局２８０５−ｂとの間のワイヤレス通信を示すメッセージフロー図２８００である。いくつかの場合、第１の基地局２８０５−ａは、第２の基地局２８０５−ｂのタイミング階層（例えば、ＴＳ１）よりも高いタイミング階層（例えば、ＴＳ２）と関連付けられ得る。いくつかの場合、第１の基地局２８０５−ａおよび第２の基地局２８０５−ｂは、共通のＰＬＭＮの構成員であり得る。他の場合、第１の基地局２８０５−ａおよび第２の基地局２８０５−ｂは、異なる事業者と関連付けられる異なるＰＬＭＮの構成員であり得る。異なるＰＬＭＮは、互いに同期され得る。
【０２３８】
[0287]  いくつかの例では、第１の基地局２８０５−ａまたは第２の基地局２８０５−ｂの各々が、図１もしくは図２を参照して説明された基地局１０５もしくは２０５、または、図１３、図１９、図２０、もしくは図２１を参照して説明されたデバイス１３０５、１９０５、２００５、もしくは２１０５の、１つまたは複数の態様の例であり得る。
【０２３９】
[0288]  ＣＣＡ期間２８１０よりも前に、またはその間に、第１の基地局２８０５−ａは、ＣＣＡ期間２８１０にＣＣＡを行うためのＣＣＡスロット２８４０を特定でき、第２の基地局２８０５−ｂは、ＣＣＡ期間２８１０のＣＣＡを行うためにＣＣＡスロット２８２０を特定できる。ＣＣＡスロット２８４０および２８２０は、第１の基地局２８０５−ａおよび第２の基地局２８０５−ｂのそれぞれのタイミング階層に基づいて特定されてよく、共通帯域を通じて時間または周波数同期の目的で使用されてよい。特定のタイミング階層を共有する全ての基地局は、特定のタイミング階層と関連付けられるＣＣＡスロットにおいてＣＣＡを行い得る。
【０２４０】
[0289]  例として、メッセージフローは、ブロック２８１５で、ＣＣＡ期間２８１０のＣＣＡスロット２８２０の間に、第２の基地局２８０５−ｂがＣＣＡを行うことで開始する。ＣＣＡが成功すると、第２の基地局２８０５−ｂは、タイミング情報２８２５を送信でき、このタイミング情報２８２５は、聴取モード２８３０にある間に第１の基地局２８０５−ａによって受信され得る。
【０２４１】
[0290]  聴取モード２８３０にある間、第１の基地局２８０５−ａは、ＣＣＡ期間２８１０のＣＣＡスロット２８４０においてＣＣＡを行う。しかしながら、第２の基地局２８０５−ｂがＣＣＡ期間２８１０のＣＣＡスロット２８２０においてＣＣＡを行うことに成功したので、ＣＣＡがＣＣＡスロット２８４０の間に行われるまで、ＣＣＡスロット２８４０の間に行なわれ得るＣＣＡは成功しないことがある。
【０２４２】
[0291]  ブロック２８４５では、第１の基地局２８０５−ａのタイミングが、少なくとも第２の基地局２８０５−ｂの受信されたタイミング情報に基づいて調整され得る。いくつかの場合、タイミング調整は、受信されたタイミング情報に基づいて、第１の基地局２８０５−ａのタイミングを少なくとも第２の基地局２８０５−ｂのタイミングに同期させることを含み得る。第１の基地局２８０５−ａのタイミングはまた、ＣＣＡスロット２８２０においてＣＣＡを行う基地局、または他のＣＣＡ期間においてＣＣＡを行うこととタイミング情報の送信に成功する基地局を含む、他の基地局と同期され得る。
【０２４３】
[0292]  図２９は、本開示の様々な態様による、ワイヤレス通信の方法２９００の例を示すフローチャートである。明瞭にするために、方法２９００は、図１、図２Ａ、もしくは図２Ｂを参照して説明された基地局１０５もしくは２０５の１つまたは複数、または、図１３、図１４、図１５、図１６、図１７、もしくは図１８を参照して説明されたデバイス１３０５、１４０５、１５０５、１６０５、１７０５、もしくは１８０５の１つの態様を参照して以下で説明される。いくつかの例では、基地局１０５もしくは２０５の１つ、またはデバイス１３０５、１４０５、１５０５、１６０５、１７０５、もしくは１８０５の１つのような、基地局またはデバイスが、以下で説明される機能を行うようにデバイスの機能要素を制御するために、コードの１つまたは複数のセットを実行し得る。
【０２４４】
[0293]  ブロック２９０５では、少なくとも１つのＣＥＴが、第１の基地局で受信され得る。少なくとも１つのＣＥＴは、共有帯域を通じて少なくとも第２の基地局のタイミング情報を示し得る。少なくとも１つのＣＥＴはまた、少なくとも第２の基地局のタイミング階層を示し得る。ブロック２９０５での動作は、図１３、図１４、図１５、図１６、図１７、もしくは図１８を参照して説明されたタイミング管理モジュール１３１５、１４１５、１５１５、１６１５、１７１５、もしくは１８１５によって、または、図１４、図１５、図１６、図１７、もしくは図１８を参照して説明されたＣＥＴタイミング情報分析モジュール１４２５、１５２５、１６２５、１７２５、もしくは１８２５によって行われ得る。
【０２４５】
[0294]  ブロック２９１０では、第１の基地局のタイミングが、少なくとも第２の基地局の受信されたタイミング情報に基づいて調整され得る。ブロック２９１０での動作は、図１３、図１４、図１５、図１６、図１７、もしくは図１８を参照して説明されたタイミング管理モジュール１３１５、１４１５、１５１５、１６１５、１７１５、もしくは１８１５によって、または、図１４、図１５、図１６、図１７、もしくは図１８を参照して説明されたタイミング調整モジュール１４３０、１５３０、１６３０、１７３０、もしくは１８３０によって行なわれ得る。
【０２４６】
[0295]  いくつかの例では、少なくとも１つのＣＥＴが、ＣＥＴ期間の間に受信され得る。
【０２４７】
[0296]  いくつかの例では、ブロック２９１０で行われるタイミング調整が、受信されたタイミング情報に基づいて、第１の基地局のタイミングを少なくとも第２の基地局のタイミングに同期させることを含み得る。
【０２４８】
[0297]  いくつかの例では、ブロック２９０５で受信される少なくとも１つのＣＥＴが、共有帯域を通じて第２の基地局のタイミング情報を示す第１のＣＥＴと、共有帯域を通じて第３の基地局のタイミング情報を示す第２のＣＥＴとを含み得る。第１のＣＥＴおよび第２のＣＥＴは、同時に、または異なる時間に、第１の基地局で受信され得る。
【０２４９】
[0298]  いくつかの例では、少なくとも１つのＣＥＴがさらに、共有帯域を通じて第３の基地局のためのタイミング情報を示し得る。これらの例では、いくつかの場合、第１の基地局のタイミングは、第２の基地局のタイミング情報および第３の基地局のタイミング情報に基づいて調整され得る。より一般的には、第１の基地局のタイミングは、任意の数の基地局のタイミング情報に基づいて調整され得る。
【０２５０】
[0299]  いくつかの場合、第１の基地局および第２の基地局は、共通のＰＬＭＮの構成員であり得る。他の場合、第１の基地局および第２の基地局は、異なる事業者と関連付けられる異なるＰＬＭＮの構成員であり得る。異なるＰＬＭＮは、互いに同期され得る。
【０２５１】
[0300]  いくつかの例では、第１の基地局は固有のＣＥＴを送信できる。第１の基地局のＣＥＴは、共有帯域を通じて第１の基地局のタイミング情報を示し、さらに、第１の基地局のタイミング階層の指示を提供できる。
【０２５２】
[0301]  いくつかの例では、少なくとも１つのＣＥＴが、複数の周期的にスケジューリングされるＣＥＴ期間のある特定のＣＥＴ期間の間に受信され得る。ＣＥＴ期間の各々は、少なくとも１つのＰＬＭＮ固有の領域と共通の送信領域とを含み得る。いくつかの場合、少なくとも第２の基地局のタイミング情報は、特定のＣＥＴ期間の共通の送信領域の間に受信されてよく、または、第１の基地局のＣＥＴは、共通の送信領域の間に送信されてよい。
【０２５３】
[0302]  従って、方法２９００はワイヤレス通信の備えをできる。方法２９００は一実装形態にすぎず、方法２９００の動作は、他の実装形態が可能であるように再構成され、または別様に修正され得ることに留意されたい。
【０２５４】
[0303]  図３０は、本開示の様々な態様による、ワイヤレス通信の方法３０００の例を示すフローチャートである。明瞭にするために、方法３０００は、図１、図２Ａ、もしくは図２Ｂを参照して説明された基地局１０５もしくは２０５の１つまたは複数、または、図１３、図１４、もしくは図１５を参照して説明されたデバイス１３０５、１４０５、もしくは１５０５の１つの態様を参照して以下で説明される。いくつかの例では、基地局１０５もしくは２０５の１つ、またはデバイス１３０５、１４０５、もしくは１５０５の１つのような、基地局またはデバイスが、以下で説明される機能を行うようにデバイスの機能要素を制御するために、コードの１つまたは複数のセットを実行し得る。
【０２５５】
[0304]  方法３０００は、図８を参照して説明されたように、ＣＥＴ期間の間にＣＥＴが送信または受信されると仮定する。ＣＥＴ期間は、複数のタイミング階層固有の部分または複数のＰＬＭＮ固有の部分を含み得る。ＣＥＴ期間が複数のタイミング階層固有の部分を含むとき、タイミング階層固有の部分の各々は、複数のタイミング階層の１つに割り当てられ得る。タイミング階層は、第２の基地局と関連付けられるタイミング階層を含み得る。ＣＥＴ期間が複数のＰＬＭＮ階層固有の部分を含むとき、ＰＬＭＮ階層固有の部分の各々は、複数のＰＬＭＮの１つに割り当てられ得る。複数のＰＬＭＮは、第２の基地局と関連付けられるＰＬＭＮを含み得る。
【０２５６】
[0305]  ブロック３００５では、ＣＥＴ期間のために、第１の基地局が、第２の基地局のタイミング階層と関連付けられるタイミング階層固有の部分、または第２の基地局のＰＬＭＮと関連付けられるＰＬＭＮ固有の部分（すなわち、第２の基地局のタイミング階層と関連付けられるタイミング階層固有の部分と第２の基地局のＰＬＭＮと関連付けられるＰＬＭＮ固有の部分の両方が利用可能であるとき、それらの両方の部分）を特定できる。ブロック３００５での動作は、図１３、図１４、もしくは図１５を参照して説明されたタイミング管理モジュール１３１５、１４１５、もしくは１５１５、図１４もしくは図１５を参照して説明されたＣＥＴタイミング情報分析モジュール１４２５もしくは１５２５、または、図１５を参照して説明されたＣＥＴ期間部分特定モジュール１５４０によって行われ得る。
【０２５７】
[0306]  いくつかの例では、第２の基地局のタイミング階層と関連付けられるタイミング階層固有の部分または第２の基地局のＰＬＭＮと関連付けられるＰＬＭＮ固有の部分が、第２の基地局と関連付けられるタイミング階層が第１の基地局と関連付けられるタイミング階層よりも低い階層であるので、特定され得る。いくつかの場合、第２の基地局と関連付けられるタイミング階層は、第１の基地局と関連付けられるタイミング階層の１つ下の階層であり得る。
【０２５８】
[0307]  ブロック３０１０では、少なくとも１つのＣＥＴが、第１の基地局で受信され得る。少なくとも１つのＣＥＴの各々は、ＣＥＴ期間のタイミング階層固有の部分またはＰＬＭＮ固有の部分の間に受信され得る。少なくとも１つのＣＥＴは、共有帯域を通じて少なくとも第２の基地局のタイミング情報を示し得る。少なくとも１つのＣＥＴはまた、少なくとも第２の基地局のタイミング階層を示し得る。第２の基地局のタイミング情報は、特定されたタイミング階層固有の部分または特定されたＰＬＭＮ固有の部分（すなわち、第２の基地局のタイミング階層と関連付けられるタイミング階層固有の部分と第２の基地局のＰＬＭＮと関連付けられるＰＬＭＮ固有の部分の両方が利用可能であるときは、それらの両方の部分）を聴取することによって受信され得る。
【０２５９】
[0308]  ブロック３０１０での動作は、図１３、図１４、もしくは図１５を参照して説明されたタイミング管理モジュール１３１５、１４１５、もしくは１５１５によって、または、図１４もしくは図１５を参照して説明されたＣＥＴタイミング情報分析モジュール１４２５もしくは１５２５によって行われ得る。
【０２６０】
[0309]  ブロック３０１５では、第１の基地局のタイミングが、少なくとも第２の基地局の受信されたタイミング情報に基づいて調整され得る。ブロック３０１５での動作は、図１３、図１４、もしくは図１５を参照して説明されたタイミング管理モジュール１３１５、１４１５、もしくは１５１５によって、または、図１４もしくは図１５を参照して説明されたタイミング調整モジュール１４３０もしくは１５３０によって行われ得る。
【０２６１】
[0310]  いくつかの例では、ブロック３０１５で行われるタイミング調整が、受信されたタイミング情報に基づいて、第１の基地局のタイミングを少なくとも第２の基地局のタイミングに同期させることを含み得る。
【０２６２】
[0311]  いくつかの例では、ブロック３０１０で受信される少なくとも１つのＣＥＴが、共有帯域を通じて第２の基地局のタイミング情報を示す第１のＣＥＴと、共有帯域を通じて第３の基地局のタイミング情報を示す第２のＣＥＴとを含み得る。第１のＣＥＴおよび第２のＣＥＴは、同時に（例えば、ＣＥＴ期間の同じタイミング階層固有の部分またはＰＬＭＮ固有の部分（すなわち、同じタイミング階層固有の部分とＰＬＭＮ固有の部分の両方が利用可能であるときは、それらの両方の部分）において）、または異なる時間に（例えば、異なるタイミング階層固有の部分または異なるＰＬＭＮ固有の部分において）、第１の基地局で受信され得る。
【０２６３】
[0312]  いくつかの例では、少なくとも１つのＣＥＴがさらに、共有帯域を通じて第３の基地局のためのタイミング情報を示し得る。これらの例では、いくつかの場合、第１の基地局のタイミングが、第２の基地局のタイミング情報および第３の基地局のタイミング情報に基づいて調整され得る。より一般的には、第１の基地局のタイミングは、任意の数の基地局のタイミング情報に基づいて調整され得る。
【０２６４】
[0313]  いくつかの例では、第１の基地局が固有のＣＥＴを送信できる。第１の基地局のＣＥＴは、共有帯域を通じて第１の基地局のタイミング情報を示し、さらに、第１の基地局のタイミング階層の指示を提供できる。
【０２６５】
[0314]  従って、方法３０００はワイヤレス通信の備えをできる。方法３０００は一実装形態にすぎず、方法３０００の動作は、他の実装形態が可能であるように再構成され、または別様に修正され得ることに留意されたい。
【０２６６】
[0315]  図３１は、本開示の様々な態様による、ワイヤレス通信の方法３１００の例を示すフローチャートである。明瞭にするために、方法３１００は、図１、図２Ａ、もしくは図２Ｂを参照して説明された基地局１０５もしくは２０５の１つまたは複数、または、図１３、図１４、もしくは図１６を参照して説明されたデバイス１３０５、１４０５、もしくは１６０５の１つの態様を参照して以下で説明される。いくつかの例では、基地局１０５もしくは２０５の１つ、またはデバイス１３０５、１４０５、もしくは１６０５の１つのような、基地局またはデバイスが、以下で説明される機能を行うようにデバイスの機能要素を制御するために、コードの１つまたは複数のセットを実行し得る。
【０２６７】
[0316]  方法３１００は、ＣＥＴ期間の間にＣＥＴが送信または受信されると仮定する。ＣＥＴ期間は、複数の周期的にスケジューリングされるＣＥＴ期間の１つであってよく、このＣＥＴ期間において、複数の周期的にスケジューリングされるＣＥＴ期間の各々は、図１０を参照して説明されたように、複数のＰＬＭＮ固有の領域と共通の送信領域とを含み得る。各ＣＥＴ期間のＰＬＭＮ固有の領域は、時間ランクの順位を有してよく、異なる時間ランクのＰＬＭＮ固有の領域は、異なるＣＥＴ期間において異なるＰＬＭＮに割り当てられてよい。同様に、異なるＣＥＴ期間の共通の送信領域は、異なるＣＥＴ期間において異なるＰＬＭＮに割り当てられ得る。いくつかの場合、ＰＬＭＮ固有の領域または共通の送信領域は、交代式で、異なるＣＥＴ期間において異なるＰＬＭＮに割り当てられ得る。
【０２６８】
[0317]  ブロック３１０５では、少なくとも１つのＣＥＴが、第１の基地局で受信され得る。少なくとも１つのＣＥＴは、複数の周期的にスケジューリングされるＣＥＴ期間のある特定のＣＥＴ期間の間に受信され得る。少なくとも１つのＣＥＴは、共有帯域を通じて少なくとも第２の基地局のタイミング情報を示し得る。少なくとも１つのＣＥＴはまた、少なくとも第２の基地局のタイミング階層を示し得る。いくつかの場合、少なくとも第２の基地局のタイミング情報は、ＰＬＭＮ固有の領域の１つの間に受信され得る。他の場合、少なくとも第２の基地局のタイミング情報は、共通の送信領域の間に受信され得る。ブロック３１０５での動作は、図１３、図１４、もしくは図１６を参照して説明されたタイミング管理モジュール１３１５、１４１５、もしくは１６１５によって、または、図１４もしくは図１６を参照して説明されたＣＥＴタイミング情報分析モジュール１４２５もしくは１６２５によって行われ得る。
【０２６９】
[0318]  ブロック３１１０では、ＰＬＭＮ固有の領域または共通の送信領域のＰＬＭＮ割当てが、特定のＣＥＴ期間に対して決定され得る。この決定は、どのＰＬＭＮ固有の領域が第２の基地局のＰＬＭＮに割り当てられるかの決定、さらには、共通の送信領域が第２の基地局のＰＬＭＮに割り当てられるかどうかの決定を含み得る。いくつかの場合、特定の時間ランクを有するＰＬＭＮ固有の領域（例えば、時間ランクの順位で最後のＰＬＭＮ固有の領域）の、特定のＣＥＴ期間のための第２の基地局のＰＬＭＮへの割当てに基づいて、共通の送信領域が第２の基地局のＰＬＭＮに割り当てられることが決定（例えば、推測）され得る。ブロック３１１０での動作は、図１３、図１４、もしくは図１６を参照して説明されたタイミング管理モジュール１３１５、１４１５、もしくは１６１５、図１４もしくは図１６を参照して説明されたＣＥＴタイミング情報分析モジュール１４２５もしくは１６２５、または、図１６を参照して説明されたＰＬＭＮ割当て決定モジュール１６４０によって行われ得る。
【０２７０】
[0319]  ブロック３１１５では、第１の基地局のタイミングが、少なくとも第２の基地局の受信されたタイミング情報に基づいて調整され得る。ブロック３１１５での動作は、図１３、図１４、もしくは図１６を参照して説明されたタイミング管理モジュール１３１５、１４１５、もしくは１６１５によって、または、図１４もしくは図１６を参照して説明されたタイミング調整モジュール１４３０もしくは１６３０によって行われ得る。
【０２７１】
[0320]  いくつかの例では、ブロック３１１５で行われるタイミング調整が、受信されたタイミング情報に基づいて、第１の基地局のタイミングを少なくとも第２の基地局のタイミングに同期させることを含み得る。
【０２７２】
[0321]  いくつかの例では、ブロック３１１０で受信される少なくとも１つのＣＥＴが、共有帯域を通じて第２の基地局のタイミング情報を示す第１のＣＥＴと、共有帯域を通じて第３の基地局のタイミング情報を示す第２のＣＥＴとを含み得る。第１のＣＥＴおよび第２のＣＥＴは、同時に、または異なる時間に、第１の基地局で受信され得る。
【０２７３】
[0322]  いくつかの例では、少なくとも１つのＣＥＴがさらに、共有帯域を通じて第３の基地局のためのタイミング情報を示し得る。これらの例では、いくつかの場合、第１の基地局のタイミングが、第２の基地局のタイミング情報および第３の基地局のタイミング情報に基づいて調整され得る。より一般的には、第１の基地局のタイミングは、任意の数の基地局のタイミング情報に基づいて調整され得る。
【０２７４】
[0323]  いくつかの場合、第１の基地局および第２の基地局は、共通のＰＬＭＮの構成員であり得る。他の場合、第１の基地局および第２の基地局は、異なる事業者と関連付けられる異なるＰＬＭＮの構成員であり得る。異なるＰＬＭＮは、互いに同期され得る。
【０２７５】
[0324]  いくつかの例では、第１の基地局が固有のＣＥＴを送信できる。第１の基地局のＣＥＴは、共有帯域を通じて第１の基地局のタイミング情報を示し、さらに、第１の基地局のタイミング階層の指示を提供できる。
【０２７６】
[0325]  従って、方法３１００はワイヤレス通信の備えをできる。方法３１００は一実装形態にすぎず、方法３１００の動作は、他の実装形態が可能であるように再構成され、または別様に修正され得ることに留意されたい。
【０２７７】
[0326]  図３２は、本開示の様々な態様による、ワイヤレス通信の方法３２００の例を示すフローチャートである。明瞭にするために、方法３２００は、図１、図２Ａ、もしくは図２Ｂを参照して説明された基地局１０５もしくは２０５の１つまたは複数、または、図１３、図１４、もしくは図１７を参照して説明されたデバイス１３０５、１４０５、もしくは１６０５の１つの態様を参照して以下で説明される。いくつかの例では、基地局１０５もしくは２０５の１つ、またはデバイス１３０５、１４０５、もしくは１７０５の１つのような、基地局またはデバイスが、以下で説明される機能を行うようにデバイスの機能要素を制御するために、コードの１つまたは複数のセットを実行し得る。
【０２７８】
[0327]  方法３２００は、ＣＥＴ期間の間にＣＥＴが送信または受信されると仮定する。ＣＥＴ期間は、複数の周期的にスケジューリングされるＣＥＴ期間の１つであってよく、このＣＥＴ期間において、複数の周期的にスケジューリングされるＣＥＴ期間の各々は、複数のＰＬＭＮ固有の領域と共通の送信領域とを含み得る。各ＣＥＴ期間のＰＬＭＮ固有の領域は、時間ランクの順位を有してよく、異なる時間ランクのＰＬＭＮ固有の領域は、異なるＣＥＴ期間において異なるＰＬＭＮに割り当てられてよい。異なるＣＥＴ期間の共通の送信領域は、異なるＣＥＴ期間の中のＰＬＭＮとタイミング階層の異なる組合せに割り当てられ得る。いくつかの場合、ＰＬＭＮ固有の領域は、交代式で、異なるＣＥＴ期間において異なるＰＬＭＮに割り当てられ得る。同様に、共通の送信領域は、交代式で、異なるＣＥＴ期間の中のＰＬＭＮとタイミング階層の異なる組合せに割り当てられ得る。
【０２７９】
[0328]  ブロック３２０５では、少なくとも１つのＣＥＴが、第１の基地局で受信され得る。少なくとも１つのＣＥＴは、複数の周期的にスケジューリングされるＣＥＴ期間のある特定のＣＥＴ期間の間に受信され得る。少なくとも１つのＣＥＴは、共有帯域を通じて少なくとも第２の基地局のタイミング情報を示し得る。少なくとも１つのＣＥＴはまた、少なくとも第２の基地局のタイミング階層を示し得る。いくつかの場合、少なくとも第２の基地局のタイミング情報は、ＰＬＭＮ固有の領域の１つの間に受信され得る。他の場合、少なくとも第２の基地局のタイミング情報は、共通の送信領域の間に受信され得る。ブロック３２０５での動作は、図１３、図１４、もしくは図１７を参照して説明されたタイミング管理モジュール１３１５、１４１５、もしくは１７１５によって、または、図１４もしくは図１７を参照して説明されたＣＥＴタイミング情報分析モジュール１４２５もしくは１７２５によって行われ得る。
【０２８０】
[0329]  ブロック３２１０では、ＰＬＭＮ固有の領域のＰＬＭＮ割当てまたは共通の送信領域のＰＬＭＮおよびタイミング階層の割当てが、特定のＣＥＴ期間に対して決定され得る。この決定は、どのＰＬＭＮ固有の領域が第２の基地局のＰＬＭＮに割り当てられるかの決定、さらには、共通の送信領域が第２の基地局のＰＬＭＮおよびタイミング階層に割り当てられるかどうかの決定を含み得る。いくつかの場合、特定の時間ランクを有するＰＬＭＮ固有の領域（例えば、時間ランクの順位で最後のＰＬＭＮ固有の領域）の、特定のＣＥＴ期間のための第２の基地局のＰＬＭＮへの割当てに基づいて、共通の送信領域が第２の基地局のＰＬＭＮに割り当てられることが決定（例えば、推測）され得る。ブロック３２１０での動作は、図１３、図１４、もしくは図１７を参照して説明されたタイミング管理モジュール１３１５、１４１５、もしくは１７１５、図１４もしくは図１７を参照して説明されたＣＥＴタイミング情報分析モジュール１４２５もしくは１７２５、または、図１７を参照して説明されたＰＬＭＮ割当て決定モジュール１７４０によって行われ得る。
【０２８１】
[0330]  ブロック３２１５では、第２の基地局が第１の基地局のための適合するタイミング階層同期ソースを含むと決定され得る。いくつかの場合、第２の基地局は、第２の基地局と関連付けられるタイミング階層が第１の基地局と関連付けられるタイミング階層よりも低い階層であるので、適合するタイミング階層同期ソースを含むと決定され得る。いくつかの場合、第２の基地局は、第２の基地局と関連付けられるタイミング階層が第１の基地局と関連付けられるタイミング階層よりも１つ下の階層であるので、適合するタイミング階層同期ソースを含むと決定され得る。
【０２８２】
[0331]  ブロック３２２０では、第２の基地局が、第１の基地局のタイミングを調整するための基礎として選択され得る。第２の基地局は、ブロック３２１５で行われた決定に応答して選択され得る。
【０２８３】
[0332]  ブロック３２１５またはブロック３２２０での動作は、図１３、図１４、もしくは図１７を参照して説明されたタイミング管理モジュール１３１５、１４１５、もしくは１７１５、図１４もしくは図１７を参照して説明されたＣＥＴタイミング情報分析モジュール１４２５もしくは１７２５、または、図１７を参照して説明されたタイミングソース選択モジュール１７４５によって行われ得る。
【０２８４】
[0333]  ブロック３２２５では、第１の基地局のタイミングが、少なくとも第２の基地局の受信されたタイミング情報に基づいて調整され得る。ブロック３２２５での動作は、図１３、図１４、もしくは図１７を参照して説明されたタイミング管理モジュール１３１５、１４１５、もしくは１７１５によって、または、図１４もしくは図１７を参照して説明されたタイミング調整モジュール１４３０もしくは１７３０によって行われ得る。
【０２８５】
[0334]  いくつかの例では、ブロック３２２５で行われるタイミング調整が、受信されたタイミング情報に基づいて、第１の基地局のタイミングを少なくとも第２の基地局のタイミングに同期させることを含み得る。
【０２８６】
[0335]  いくつかの例では、ブロック３２０５で受信される少なくとも１つのＣＥＴが、共有帯域を通じて第２の基地局のタイミング情報を示す第１のＣＥＴと、共有帯域を通じて第３の基地局のタイミング情報を示す第２のＣＥＴとを含み得る。第１のＣＥＴおよび第２のＣＥＴは、同時に、または異なる時間に、第１の基地局で受信され得る。
【０２８７】
[0336]  いくつかの例では、少なくとも１つのＣＥＴがさらに、共有帯域を通じて第３の基地局のためのタイミング情報を示し得る。これらの例では、いくつかの場合、第１の基地局のタイミングが、第２の基地局のタイミング情報および第３の基地局のタイミング情報に基づいて調整され得る。より一般的には、第１の基地局のタイミングは、任意の数の基地局のタイミング情報に基づいて調整され得る。
【０２８８】
[0337]  いくつかの場合、第１の基地局および第２の基地局は、共通のＰＬＭＮの構成員であり得る。他の場合、第１の基地局および第２の基地局は、異なる事業者と関連付けられる異なるＰＬＭＮの構成員であり得る。異なるＰＬＭＮは、互いに同期され得る。
【０２８９】
[0338]  いくつかの例では、第１の基地局が固有のＣＥＴを送信できる。第１の基地局のＣＥＴは、共有帯域を通じて第１の基地局のタイミング情報を示し、さらに、第１の基地局のタイミング階層の指示を提供できる。
【０２９０】
[0339]  従って、方法３２００はワイヤレス通信の備えを得る。方法３２００は一実装形態にすぎず、方法３２００の動作は、他の実装形態が可能であるように再構成され、または別様に修正され得ることに留意されたい。
【０２９１】
[0340]  図３３は、本開示の様々な態様による、ワイヤレス通信の方法３３００の例を示すフローチャートである。明瞭にするために、方法３３００は、図１、図２Ａ、もしくは図２Ｂを参照して説明された基地局１０５もしくは２０５の１つまたは複数、または、図１３、図１４、もしくは図１８を参照して説明されたデバイス１３０５、１４０５、もしくは１８０５の１つの態様を参照して以下で説明される。いくつかの例では、基地局１０５もしくは２０５の１つ、またはデバイス１３０５、１４０５、もしくは１８０５の１つのような、基地局またはデバイスが、以下で説明される機能を行うようにデバイスの機能要素を制御するために、コードの１つまたは複数のセットを実行し得る。
【０２９２】
[0341]  方法３３００は、第１の基地局および少なくとも第２の基地局が周期的なＣＥＴタイミングを共有すると仮定する。共有されるＣＥＴタイミングにより、第１の基地局によるＣＥＴの送信は、少なくとも第２の基地局のＣＥＴを第１の基地局が受信することと（例えば、それぞれのＣＥＴが同時に受信され送信され得るので）干渉し得る。
【０２９３】
[0342]  ブロック３３０５では、第１の基地局のＣＥＴが次のＣＥＴ期間においてゲーティングされるべきである（すなわち、送信されるべきではない）かどうかをブロック３３１０で決定するために、周期的なゲーティングスケジュールがアクセスされ得る。周期的なゲーティングスケジュールは、第１の基地局のＣＥＴが、少なくとも第２の基地局のＣＥＴの第１の基地局による受信との干渉を軽減するためにゲーティングされるべきである、特定のＣＥＴ期間を示し得る。第１の基地局のＣＥＴが現在のＣＥＴ期間においてゲーティングされるべきであることが決定されると、処理がブロック３３１５に進み得る。第１の基地局のＣＥＴが現在のＣＥＴ期間において送信されるべきであることが決定されると、処理がブロック３３２０に進み得る。ブロック３３０５またはブロック３３１０での動作は、図１３、図１４、もしくは図１８を参照して説明されたタイミング管理モジュール１３１５、１４１５、もしくは１８１５、図１４もしくは図１８を参照して説明されたＣＥＴタイミング情報分析モジュール１４２５もしくは１８２５、または、図１８を参照して説明されたゲーティングモジュール１８４０によって行われ得る。
【０２９４】
[0343]  ブロック３３１５では、少なくとも１つのＣＥＴが、第１の基地局がそれ自体のＣＥＴを送信することを控えている間に、第１の基地局で受信され得る。少なくとも１つのＣＥＴは、共有帯域を通じて少なくとも第２の基地局のタイミング情報を示し得る。少なくとも１つのＣＥＴはまた、少なくとも第２の基地局のタイミング階層を示し得る。ブロック３３１５での動作は、図１３、図１４、もしくは図１８を参照して説明されたタイミング管理モジュール１３１５、１４１５、もしくは１８１５によって、または、図１４もしくは図１８を参照して説明されたＣＥＴタイミング情報分析モジュール１４２５もしくは１８２５によって行われ得る。
【０２９５】
[0344]  ブロック３３２０では、第１の基地局のタイミングが、少なくとも第２の基地局の受信されたタイミング情報に基づいて調整され得る。ブロック３３２０での動作は、図１３、図１４、もしくは図１８を参照して説明されたタイミング管理モジュール１３１５、１４１５、もしくは１８１５によって、または、図１４もしくは図１８を参照して説明されたタイミング調整モジュール１４３０もしくは１８３０によって行われ得る。
【０２９６】
[0345]  いくつかの例では、ブロック３３２０で行われるタイミング調整が、受信されたタイミング情報に基づいて、第１の基地局のタイミングを少なくとも第２の基地局のタイミングに同期させることを含み得る。
【０２９７】
[0346]  ブロック３３２５では、第１の基地局のタイミング階層が決定され得る。ブロック３３２５での動作は、図１３、図１４、もしくは図１８を参照して説明されたタイミング管理モジュール１３１５、１４１５、もしくは１８１５、図１４もしくは図１８を参照して説明されたＣＥＴタイミング情報分析モジュール１４２５もしくは１８２５、または、図１８を参照して説明されたタイミング階層決定モジュール１８４５によって行われ得る。
【０２９８】
[0347]  ブロック３３３０では、少なくとも１つのＣＥＴが第１の基地局で受信される一方で、第１の基地局がそれ自体のＣＥＴを同時に送信し得る。第１の基地局で受信される少なくとも１つのＣＥＴは、共有帯域を通じて少なくとも第２の基地局のタイミング情報を示し得る。第１の基地局のＣＥＴは、共有帯域を通じて第１の基地局のタイミング情報と、第１の基地局のタイミング階層の指示とを示し得る。ブロック３３３０での動作は、図１３、図１４、もしくは図１８を参照して説明されたタイミング管理モジュール１３１５、１４１５、もしくは１８１５によって、または、図１４もしくは図１８を参照して説明されたＣＥＴタイミング情報分析モジュール１４２５もしくは１８２５によって行われ得る。
【０２９９】
[0348]  いくつかの例では、ブロック３３１５で受信される少なくとも１つのＣＥＴが、共有帯域を通じて第２の基地局のタイミング情報を示す第１のＣＥＴと、共有帯域を通じて第３の基地局のタイミング情報を示す第２のＣＥＴとを含み得る。第１のＣＥＴおよび第２のＣＥＴは、同時に、または異なる時間に、第１の基地局で受信され得る。
【０３００】
[0349]  いくつかの例では、少なくとも１つのＣＥＴがさらに、共有帯域を通じて第３の基地局のためのタイミング情報を示し得る。これらの例では、いくつかの場合、第１の基地局のタイミングが、第２の基地局のタイミング情報および第３の基地局のタイミング情報に基づいて調整され得る。より一般的には、第１の基地局のタイミングは、任意の数の基地局のタイミング情報に基づいて調整され得る。
【０３０１】
[0350]  いくつかの場合、第１の基地局および第２の基地局は、共通のＰＬＭＮの構成員であり得る。他の場合、第１の基地局および第２の基地局は、異なる事業者と関連付けられる異なるＰＬＭＮの構成員であり得る。異なるＰＬＭＮは、互いに同期され得る。
【０３０２】
[0351]  いくつかの例では、少なくとも１つのＣＥＴが、複数の周期的にスケジューリングされるＣＥＴ期間のある特定のＣＥＴ期間の間に受信され得る。ＣＥＴ期間の各々は、少なくとも１つのＰＬＭＮ固有の領域と共通の送信領域とを含み得る。いくつかの場合、少なくとも第２の基地局のタイミング情報は、特定のＣＥＴ期間の共通の送信領域の間に受信されてよく、または、第１の基地局のＣＥＴは、共通の送信領域の間に送信されてよい。
【０３０３】
[0352]  従って、方法３３００はワイヤレス通信の備えをできる。方法３３００は一実装形態にすぎず、方法３３００の動作は、他の実装形態が可能であるように再構成され、または別様に修正され得ることに留意されたい。
【０３０４】
[0353]  図３４は、本開示の様々な態様による、ワイヤレス通信の方法３４００の例を示すフローチャートである。明瞭にするために、方法３４００は、図１、図２Ａ、もしくは図２Ｂを参照して説明された基地局１０５もしくは２０５の１つまたは複数、または、図１３、図１９、図２０、もしくは図２１を参照して説明されたデバイス１３０５、１９０５、２００５、もしくは２１０５の１つの態様を参照して以下で説明される。いくつかの例では、基地局１０５もしくは２０５の１つ、またはデバイス１３０５、１９０５、２００５、もしくは２１０５の１つのような、基地局またはデバイスが、以下で説明される機能を行うようにデバイスの機能要素を制御するために、コードの１つまたは複数のセットを実行し得る。
【０３０５】
[0354]  ブロック３４０５では、共有帯域のフレーム（例えば、同期フレーム）のために第１の基地局に割り当てられるＣＣＡスロットが特定され得る。このフレームは、例えば図１１を参照して説明されたような、時間同期と関連付けられるフレームであり得る。いくつかの場合、このフレームは、複数の周期的な同期フレームの１つであり得る。ブロック３４０５での動作は、図１３、図１９、図２０、もしくは図２１を参照して説明されたタイミング管理モジュール１３１５、１９１５、２０１５、もしくは２１１５によって、または、図１９、図２０、もしくは図２１を参照して説明されたＣＣＡスロット特定モジュール１９２５、２０２５、もしくは２１２５によって行われ得る。
【０３０６】
[0355]  いくつかの例では、共通帯域のフレームにおいて第１の基地局に割り当てられるＣＣＡスロットが、第１の基地局のタイミング階層に基づいて特定され得る。
【０３０７】
[0356]  いくつかの例では、第１の基地局に割り当てられるＣＣＡスロットが、第１の基地局のタイミング階層よりも高いタイミング階層と関連付けられる１つまたは複数のＣＣＡスロットよりも早く、フレーム中で発生し得る（例えば、第１の基地局がより低いタイミング階層と関連付けられ、ＧＰＳソースである場合、または、他の基地局よりも同期階層においてＧＰＳソースに近いタイミング階層と関連付けられる場合、第１の基地局は、１つまたは複数の他のＣＣＡスロットよりも早くフレーム中で発生するＣＣＡスロットにおいて、ＣＣＡを行い得る）。一般に、より低いタイミング階層と関連付けられる基地局は、フレームにおいてより早く発生するＣＣＡスロットを割り当てられ得る。
【０３０８】
[0357]  ブロック３４１０では、ＣＣＡが、フレームのための特定されたＣＣＡスロットで行われ得る。ブロック３４１０での動作は、図１３、図１９、図２０、もしくは図２１を参照して説明されたタイミング管理モジュール１３１５、１９１５、２０１５、もしくは２０１５によって、または、図１９、図２０、もしくは図２１を参照して説明されたＣＣＡモジュール１９３０、２０３０、もしくは２１３０によって行われ得る。
【０３０９】
[0358]  ブロック３４１５では、ＣＣＡが成功するとき、第１の基地局の第１のタイミング情報が選択的に送信され得る。ブロック３４１５での動作は、図１３、図１９、図２０、もしくは図２１を参照して説明されたタイミング管理モジュール１３１５、１９１５、２０１５、もしくは２１１５によって、または、図１９、図２０、もしくは図２１を参照して説明されたタイミング送信モジュール１９３５、２０３５、もしくは２１３５によって行われ得る。
【０３１０】
[0359]  ブロック３４２０では、ＣＣＡが成功しないとき、第１の基地局が、フレームの間に第２の基地局の第２のタイミング情報を聴取できる。ブロック３４２０での動作は、図１３、図１９、図２０、もしくは図２１を参照して説明されたタイミング管理モジュール１３１５、１９１５、２０１５、もしくは２１１５によって、または、図１９、図２０、もしくは図２１を参照して説明されたタイミング受信モジュール１９４０、２０４０、もしくは２１４０によって行われ得る。
【０３１１】
[0360]  いくつかの例では、ＣＣＡが成功しないとき、第１の基地局がさらに、フレームの間に第３の基地局の第３のタイミング情報を聴取できる。いくつかの場合、第２のタイミング情報および第３のタイミング情報が、同時に受信され得る。第１の基地局はまた、同時に、追加の基地局の追加のタイミング情報を聴取し受信できる。
【０３１２】
[0361]  いくつかの例では、第１の基地局のＣＣＡの頻度が、タイミング同期と関連付けられる複数のフレームに対してゲーティングされ得る（すなわち、ＣＣＡはいくつかのタイミング同期フレームにおいて行われないことがある）。ゲーティングの周期は、第１の基本階層のタイミング階層に基づき得る。いくつかの場合、より高いタイミング階層と関連付けられる基地局のＣＣＡは、より低いタイミング階層と関連付けられる基地局のＣＣＡよりも頻繁にゲーティングされ得る。いくつかの場合、ＧＰＳソースのような最低のタイミング階層と関連付けられる基地局のＣＣＡは、決してゲーティングされなくてよい。
【０３１３】
[0362]  従って、方法３４００はワイヤレス通信の備えをできる。方法３４００は一実装形態にすぎず、方法３４００の動作は、他の実装形態が可能であるように再構成され、または別様に修正され得ることに留意されたい。
【０３１４】
[0363]  図３５は、本開示の様々な態様による、ワイヤレス通信の方法３５００の例を示すフローチャートである。明瞭にするために、方法３５００は、図１、図２Ａ、もしくは図２Ｂを参照して説明された基地局１０５もしくは２０５の１つまたは複数、または、図１３、図１９、もしくは図２１を参照して説明されたデバイス１３０５、１９０５、もしくは２１０５の１つの態様を参照して以下で説明される。いくつかの例では、基地局１０５もしくは２０５の１つ、またはデバイス１３０５、１９０５、もしくは２１０５の１つのような、基地局またはデバイスが、以下で説明される機能を行うようにデバイスの機能要素を制御するために、コードの１つまたは複数のセットを実行し得る。
【０３１５】
[0364]  いくつかの例では、第１の基地局のＣＣＡスロットタイミングが、第１の基地局のタイミング階層に基づいて遅らされ得る。
【０３１６】
[0365]  ブロック３５０５では、共有帯域のフレーム（例えば、同期フレーム）のために第１の基地局に割り当てられるＣＣＡスロットが特定され得る。このフレームは、時間同期と関連付けられるフレームであり得る。いくつかの場合、このフレームは、複数の周期的な同期フレームの１つであり得る。いくつかの場合、第１の基地局に割り当てられるＣＣＡスロットのタイミングは、例えば図１２を参照して説明されたように、第１の基地局のタイミング階層よりも低いタイミング階層を有する基地局に割り当てられるＣＣＡスロットと関連付けられるＣＣＡ期間に対して、遅らされ得る。ブロック３５０５での動作は、図１３、図１９、図２０、もしくは図２１を参照して説明されたタイミング管理モジュール１３１５、１９１５、２０１５、もしくは２１１５によって、または、図２０を参照して説明されたＣＣＡスロット特定モジュール２０２５によって行われ得る。
【０３１７】
[0366]  いくつかの例では、共通帯域のフレームにおいて第１の基地局に割り当てられるＣＣＡスロットが、第１の基地局のタイミング階層に基づいて特定され得る。
【０３１８】
[0367]  いくつかの例では、第１の基地局に割り当てられるＣＣＡスロットが、第１の基地局のタイミング階層よりも高いタイミング階層と関連付けられる１つまたは複数のＣＣＡスロットよりも早く、フレーム中で発生し得る（例えば、第１の基地局がより低いタイミング階層と関連付けられ、ＧＰＳソースである場合、または、他の基地局よりも同期階層においてＧＰＳソースに近いタイミング階層と関連付けられる場合、第１の基地局は、１つまたは複数の他のＣＣＡスロットよりも早くフレーム中で発生するＣＣＡスロットにおいて、ＣＣＡを行い得る）。一般に、より低いタイミング階層と関連付けられる基地局は、フレームにおいてより早く発生するＣＣＡスロットを割り当てられ得る。しかしながら、第１の基地局がより高い階層と関連付けられ、第１の基地局に割り当てられるＣＣＡスロットのタイミングがより低いタイミング階層を有する基地局に割り当てられるＣＣＡスロットと関連付けられるＣＣＡ期間に対して遅らされるとき、この遅延は、別の基地局がフレームのより早い部分の間に共通帯域へのアクセス権を得ることとは無関係に、第１の基地局が共有帯域へのアクセス権を得ることを可能にし得る。
【０３１９】
[0368]  ブロック３５１０では、ＣＣＡが、フレームのための特定されたＣＣＡスロットで行われ得る。ブロック３５１０での動作は、図１３、図１９、図２０、もしくは図２１を参照して説明されたタイミング管理モジュール１３１５、１９１５、２０１５、もしくは２０１５によって、または、図１９、図２０、もしくは図２１を参照して説明されたＣＣＡモジュール１９３０、２０３０、もしくは２１３０によって行われ得る。
【０３２０】
[0369]  ブロック３５１５では、ＣＣＡが成功するとき、第１の基地局の第１のタイミング情報が選択的に送信され得る。ブロック３５１５での動作は、図１３、図１９、図２０、もしくは図２１を参照して説明されたタイミング管理モジュール１３１５、１９１５、２０１５、もしくは２１１５によって、または、図１９、図２０、もしくは図２１を参照して説明されたタイミング送信モジュール１９３５、２０３５、もしくは２１３５によって行われ得る。
【０３２１】
[0370]  ブロック３５２０では、ＣＣＡが成功しないとき、第１の基地局が、第２の基地局の第２のタイミング情報をフレームの間聴取できる。ブロック３５２０での動作は、図１３、図１９、図２０、もしくは図２１を参照して説明されたタイミング管理モジュール１３１５、１９１５、２０１５、もしくは２１１５によって、または、図１９、図２０、もしくは図２１を参照して説明されたタイミング受信モジュール１９４０、２０４０、もしくは２１４０によって行われ得る。
【０３２２】
[0371]  いくつかの例では、ＣＣＡが成功しないとき、第１の基地局がさらに、フレームの間に第３の基地局の第３のタイミング情報を聴取できる。いくつかの場合、第２のタイミング情報および第３のタイミング情報が、同時に受信され得る。第１の基地局はまた、同時に、追加の基地局の追加のタイミング情報を聴取し受信できる。
【０３２３】
[0372]  いくつかの例では、第１の基地局のＣＣＡの頻度が、タイミング同期と関連付けられる複数のフレームに対してゲーティングされ得る（すなわち、ＣＣＡはいくつかのタイミング同期フレームにおいて行われないことがある）。ゲーティングの周期は、第１の基本階層のタイミング階層に基づき得る。いくつかの場合、より高いタイミング階層と関連付けられる基地局のＣＣＡは、より低いタイミング階層と関連付けられる基地局のＣＣＡよりも頻繁にゲーティングされ得る。いくつかの場合、ＧＰＳソースのような最低のタイミング階層と関連付けられる基地局のＣＣＡは、決してゲーティングされなくてよい。
【０３２４】
[0373]  従って、方法３５００はワイヤレス通信の備えをできる。方法３５００は一実装形態にすぎず、方法３５００の動作は、他の実装形態が可能であるように再構成され、または別様に修正され得ることに留意されたい。
【０３２５】
[0374]  図３６は、本開示の様々な態様による、ワイヤレス通信の方法３６００の例を示すフローチャートである。明瞭にするために、方法３６００は、図１、図２Ａ、もしくは図２Ｂを参照して説明された基地局１０５もしくは２０５の１つまたは複数、または、図１３、図１９、図２０、もしくは図２１を参照して説明されたデバイス１３０５、１９０５、２００５、もしくは２１０５の１つの態様を参照して以下で説明される。いくつかの例では、基地局１０５もしくは２０５の１つ、またはデバイス１３０５、１９０５、２００５、もしくは２１０５の１つのような、基地局またはデバイスが、以下で説明される機能を行うようにデバイスの機能要素を制御するために、コードの１つまたは複数のセットを実行し得る。
【０３２６】
[0375]  ブロック３６０５では、共有帯域のフレームのために第１の基地局に割り当てられるＣＣＡスロットが特定され得る。このフレームは、時間同期と関連付けられるフレームであり得る。ブロック３６０５での動作は、図１３、図１９、図２０、もしくは図２１を参照して説明されたタイミング管理モジュール１３１５、１９１５、２０１５、もしくは２１１５によって、または、図１９、図２０、もしくは図２１を参照して説明されたＣＣＡスロット特定モジュール１９２５、２０２５、もしくは２１２５によって行われ得る。
【０３２７】
[0376]  いくつかの例では、共通帯域のフレームにおいて第１の基地局に割り当てられるＣＣＡスロットが、第１の基地局のタイミング階層に基づいて特定され得る。
【０３２８】
[0377]  いくつかの例では、第１の基地局に割り当てられるＣＣＡスロットが、第１の基地局のタイミング階層よりも高いタイミング階層と関連付けられる１つまたは複数のＣＣＡスロットよりも早く、フレーム中で発生し得る（例えば、第１の基地局がより低いタイミング階層と関連付けられ、ＧＰＳソースである場合、または、他の基地局よりも同期階層においてＧＰＳソースに近いタイミング階層と関連付けられる場合、第１の基地局は、１つまたは複数の他のＣＣＡスロットよりも早くフレーム中で発生するＣＣＡスロットにおいて、ＣＣＡを行い得る）。一般に、より低いタイミング階層と関連付けられる基地局は、フレームにおいてより早く発生するＣＣＡスロットを割り当てられ得る。
【０３２９】
[0378]  ブロック３６１０では、ＣＣＡが、フレームのための特定されたＣＣＡスロットで行われ得る。ブロック３６１０での動作は、図１３、図１９、図２０、もしくは図２１を参照して説明されたタイミング管理モジュール１３１５、１９１５、２０１５、もしくは２０１５によって、または、図１９、図２０、もしくは図２１を参照して説明されたＣＣＡモジュール１９３０、２０３０、もしくは２１３０によって行われ得る。
【０３３０】
[0379]  ブロック３６１５では、ブロック３６１０で行われるＣＣＡが成功したかどうかが決定され得る。ＣＣＡが成功するとき、処理がブロック３６２０に進み得る。ＣＣＡが成功しないとき、処理がブロック３６３０に進み得る。ブロック３６１５での動作は、図１３、図１９、図２０、もしくは図２１を参照して説明されたタイミング管理モジュール１３１５、１９１５、２０１５、もしくは２０１５によって、または、図１９、図２０、もしくは図２１を参照して説明されたＣＣＡモジュール１９３０、２０３０、もしくは２１３０によって行われ得る。
【０３３１】
[0380]  ブロック３６２０では、第１の基地局の第１のタイミング情報が選択的に送信され得る。いくつかの場合、第１のタイミング情報は、フレームの少なくとも１つの参照信号リソース要素の間に送信され得る。ブロック３６２０での動作は、図１３、図１９、図２０、もしくは図２１を参照して説明されたタイミング管理モジュール１３１５、１９１５、２０１５、もしくは２１１５によって、または、図１９、図２０、もしくは図２１を参照して説明されたタイミング送信モジュール１９３５、２０３５、もしくは２１３５によって行われ得る。
【０３３２】
[0381]  ブロック３６２５では、第１の基地局が、少なくとも１つのＵＥへデータをフレームの間送信できる。いくつかの場合、データは、ブロック３６２０で、第１のタイミング情報の送信と同時に、少なくとも１つのＵＥに送信され得る。ブロック３６２０での動作は、図１３、図１９、図２０、もしくは図２１を参照して説明されたタイミング管理モジュール１３１５、１９１５、２０１５、もしくは２１１５によって、または、図２１を参照して説明されたデータ送信モジュール２１４５によって行われ得る。
【０３３３】
[0382]  ブロック３６３０では、第２の基地局の第２のタイミング情報をフレームの間聴取しながら、第１の基地局が、第２の基地局からのチャネル使用ビーコン信号を受信できる。チャネル使用ビーコン信号が受信されるまで、方法３６００はブロック３６３０でループし得る。チャネル使用ビーコン信号の受信伴って、方法３６００がブロック３６３５に進み得る。ブロック３４２０での動作は、図１３、図１９、図２０、もしくは図２１を参照して説明されたタイミング管理モジュール１３１５、１９１５、２０１５、もしくは２１１５によって、または、図１９、図２０、もしくは図２１を参照して説明されたタイミング受信モジュール１９４０、２０４０、もしくは２１４０によって行われ得る。
【０３３４】
[0383]  ブロック３６３５では、第２のタイミング情報がフレームの間第２の基地局から受信されてよく、ブロック３６４０で、第１の基地局のタイミングが第２のタイミング情報に基づいて調整されてよい。いくつかの場合、第１の基地局のタイミングはまた、第３の基地局から受信される第３のタイミング情報に基づいて、または、任意の数の基地局から受信されるタイミング情報に基づいて、調整され得る。第３の基地局から受信されるタイミング情報は、第２のタイミング情報が受信されるのと同じフレームまたは異なるフレームの間に受信され得る。ブロック３６３５またはブロック３６４０での動作は、図１３、図１９、図２０、もしくは図２１を参照して説明されたタイミング管理モジュール１３１５、１９１５、２０１５、もしくは２１１５によって、または、図１９、図２０、もしくは図２１を参照して説明されたタイミング受信モジュール１９４０、２０４０、もしくは２１４０によって行われ得る。ブロック３６４０での動作はまた、図２１を参照して説明されたタイミング調整モジュール２１５０によって行われ得る。
【０３３５】
[0384]  いくつかの例では、第２の基地局のタイミングが第２のタイミング情報に基づいて決定されてよく、第１の基地局のタイミングは第１の基地局のタイミングを第２の基地局のタイミングに同期させることによって調整されてよい。
【０３３６】
[0385]  いくつかの例では、第１の基地局のＣＣＡの頻度が、タイミング同期と関連付けられる複数のフレームに対してゲーティングされ得る（すなわち、ＣＣＡはいくつかのタイミング同期フレームにおいて行われないことがある）。ゲーティングの周期は、第１の基本階層のタイミング階層に基づき得る。いくつかの場合、より高いタイミング階層と関連付けられる基地局のＣＣＡは、より低いタイミング階層と関連付けられる基地局のＣＣＡよりも頻繁にゲーティングされ得る。いくつかの場合、ＧＰＳソースのような最低のタイミング階層と関連付けられる基地局のＣＣＡは、決してゲーティングされなくてよい。
【０３３７】
[0386]  従って、方法３６００はワイヤレス通信の備えをできる。方法３６００は一実装形態にすぎず、方法３６００の動作は、他の実装形態が可能であるように再構成され、または別様に修正され得ることに留意されたい。
【０３３８】
[0387]  いくつかの場合、図２９、３０、３１、３２、３３、３４、３５、または３６を参照して説明される方法２９００、３０００、３１００、３２００、３３００、３４００、３５００、または３６００の１つまたは複数の態様は、組み合わされ得る。
【０３３９】
[0388]  基地局を時間同期させることに加えて、基地局は周波数同期される必要があり得る。しかしながら、基地局が共有帯域を通じて通信する場合、マスター基地局はないことがある。さらに、基地局の展開はアドホックであることがあり、事前に定められた基地局の物理的な配置または構成はないことがある。またさらに、ＧＰＳソースまたは信頼できる同期ソースへのバックホール接続が利用不可能であり、そのようなソースが存在しない中で基地局のセットを周波数同期させるための能力が必要とされ得る状況が存在し得る。
【０３４０】
[0389]  Ｎ個のアクセスポイント（例えば、基地局）のセットを周波数同期させるとき、周波数制御ループが、Ｎ個のアクセスポイントにわたる全体的な周波数同期を維持するために作成され得る。周波数同期プロセスの間、アクセスポイントは交わりをもたない状態情報を有し得る。言い換えると、アクセスポイントはそれ自体の状態情報を知ることができ、近くのアクセスポイントから状態情報を得ることができるが、状態情報はネットワークを通じてルーティングされないことがあるので、アクセスポイントはより遠くのアクセスポイントの状態情報を有しないことがある。
【０３４１】
[0390]  所与のアクセスポイント（ＡＰi）は、別の局所的なＡＰjから周波数情報を受信し、それ自体の周波数発振器とＡＰjの周波数発振器との間の周波数誤差Δｆijを測定するための能力を有し得る。ＡＰiの受信範囲内にあるＡＰのセットについて、Δｆijのセットがｊ個のＡＰのセットに対して測定され得る。これらの周波数誤差は、ＡＰjの周波数のＡＰiによる推定値が次の式によって与えられるように、近隣のＡＰの相対的な周波数推定を行うために使用され得る。
【０３４２】
【数１】
0006388944.tif 000002
【０３４３】
ここで、ｆiはＡＰiのローカル発振器（ＬＯ：local oscillator）の周波数オフセットであり、ΔｆijはＡＰiのＬＯ周波数とＡＰjのＬＯ周波数との間の相対的な誤差のＡＰiによる測定結果である。簡単にするために、測定結果には雑音がなく、ＡＰjのＡＰiによる推定値はＡＰjの真の周波数に等しいことが仮定され得る。いくつかの例では、この制約が緩和され得る。これらの周波数推定値を入力として与えられると、ＡＰは、ＡＰの周波数を、局所的な近隣のＡＰの周波数と同期させようと試みて、それ自体の周波数発振器に対する補正を策定できる。
【０３４４】
[0391]  図３７は、Ｎ＝３個の展開されたＡＰの例示的なネットワーク３７００を示す。Ｎ＝３の場合、３つのＡＰの各々が、それ自体の周波数の調整を策定するために、他の２つのＡＰの周波数推定値を使用できる。
【０３４５】
[0392]  再帰関数の等価なセットが、例示的なネットワーク３７００に対して作成され得る。
【０３４６】
【数２】
0006388944.tif 000003
【０３４７】
ここでｎは繰返しの回数であり、ｔijはＡＰjの推定値に対してＡＰiによって使用される乗算係数(coefficient multipliers)に等しい。等価的に、行列による定式化は次の通りである。
【０３４８】
【数３】
0006388944.tif 000004
【０３４９】
[0393]  各ＡＰが入力周波数の平均に制限される場合、行列Ｔの各行の合計は１になってよく、行列Ｔは定義からして確率行列（stochastic matrix）である。確率行列のいくつかの有用な性質は次の通りであり得る。
・  全ての確率行列はλ＝１という絶対値が最大の少なくとも１つの固有値を有する。
・  ｜λ｜＝１となる固有値がＴに１つ存在する場合、ｎが∞に近付くにつれて、ｆnはλに対応する固有ベクトルに近付く。
・  ｆの要素の収束率は、｜λ2｜nによって制約され、λ2は絶対値が２番目に大きな固有値を示す二次的な固有値である。
【０３５０】
[0394]  Ｎ＝３である例示的なネットワーク３７００では、分析が閉じた形式で行われ得る４つの別個のシナリオを示すために、４つのケースが考慮され得る。
【０３５１】
[0395]  図３８は、Ｎ＝３個の展開されたＡＰの例示的なネットワーク３８００を示す。ＡＰは完全に接続され、各ＡＰは他の２つのＡＰから受信するための能力を有する。各ＡＰは、時間ｎで周波数誤差を測定し、３つの周波数の直接の平均を形成し、その周波数を時間ｎ＋１でそれ自体のＬＯに適用できる。
【０３５２】
[0396]  受信された信号の直接の平均が、次の関係を形成するために適用され得る。
【０３５３】
【数４】
0006388944.tif 000005
【０３５４】
ここでＴは遷移確率行列である。Ｔの行が合計で１になることが保証されているとすると、Ｔは、Ｔの少なくとも１つの固有値が１に等しく他の固有値の全ての絶対値が１以下であるという固有の性質をもつ、確率行列である。加えて、経時的な収束率は、絶対値が２番目に大きな固有値の大きさによって決定され、安定状態の周波数は、１という絶対値が最大の固有値に対応する固有ベクトルのスカラー倍へと、この場合は［１  １  １]Tへと収束する。確率行列の場合、これは互いに全て同一の要素を含むベクトルである。
【０３５５】
[0397]  この特定の場合において、固有値は１，０，０であり、［．５７７４，．５７７４，．５７７４］という（概略的な）固有ベクトルを伴う。安定状態には、１回の繰返しの後で達し、または等価的に述べると、Ｔ＝Ｔ2＝Ｔ3＝…Ｔ∞である。この即刻の収束は、２番目に大きな固有値が０に等しいという事実に起因する。行列Ｔのあらゆる繰り返される適用において、行列ｆに変化は発生しない。従って、最終的な解では、全ての３つの周波数が、最大の固有値に対応する固有ベクトルのスカラー倍である単一の平均値ベクトルに収束する。
【０３５６】
[0398]  図３９は、Ｎ＝３個の展開されたＡＰの例示的なネットワーク３９００を示し、ここで３つのＡＰは単一線の編成で展開され、ＡＰ１およびＡＰ３はＡＰ２の異なる側に接続されている。
【０３５７】
[0399]  受信された信号の直接の平均が、次の関係を形成するために適用され得る。
【０３５８】
【数５】
0006388944.tif 000006
【０３５９】
[0400]  上の行列では、行ごとに成分の合計が１になり、成分がローカル接続での各ＡＰの番号に依存する値を有する。この場合の行列Ｔは、１、．５、−．１６６７という固有値を有する三重対角確率行列である。図３８を参照して説明された場合のように、周波数はｆ＝ｋ・［１  １  １］Tという安定状態の値に収束する。しかしながら、この場合、収束は即刻ではない。初期の周波数状態ｆ0≠ｋ・［１  １  １］Tである限り、収束率は
【０３６０】
【数６】
0006388944.tif 000007
【０３６１】
によって制限される。
【０３６２】
[0401]  最終的な平衡周波数に対する各ＡＰの周波数の寄与の割合を決定するために、安定状態での結合の重みを計算できる。これは、Ｔ∞の一番上の行のベクトルに等しい。上の３×３のＴ行列の場合、ＡＰ１、２、および３に対して、各ノードの割合はそれぞれ、２８．６％、４２．９％、および２８．６％である。一般的に言えることは、他のＡＰへのより多数の接続を有するＡＰが、最終的な平衡周波数に対してより大きな割合で寄与するであろうということである。
【０３６３】
[0402]  単一線の編成で展開されているＡＰの事例は、相互接続の欠如により最悪の場合の収束率を示しているはずである。ネットワークの一方の側にあるＡＰからの周波数情報は、ネットワークの他方の側に到達するには、他のＡＰの全てを通って通信される必要がある。変化するＮに対してこの構成の二次的な固有値を計算し、Ｎ＝３，７，および１９に対してそれぞれ、λ2＝．５、．９１、および．９９であることを示すことができる。大きな値のＮに対するλ2のこれらの大きな値により、ネットワーク全体のＬＯ発振器の収束は遅くなるであろう。
【０３６４】
[0403]  図４０は、Ｎ＝３個の展開されたＡＰの別の例示的なネットワーク４０００を示す。しかしながら、例示的なネットワーク４０００のＡＰの間には非対称的な信号接続がある。
【０３６５】
[0404]  例示的なネットワーク４０００のための再帰的な等式は、
【０３６６】
【数７】
0006388944.tif 000008
【０３６７】
によって与えられ得る。
【０３６８】
[0405]  この場合、周波数推定値は、ＡＰの任意のペアの間に直接的な転送の対称性を伴わずに、ＡＰからＡＰへ環状に転送される。行列は確率的であるが、もはや対称的ではなく、複雑な固有値をもたらす。結果として、（Ｔ）∞の収束はない。これは、絶対値が１である複数の固有値が存在するという事実に起因する。この特定の事例では、固有値が１、−．５＋ｊ×．８６６、−．５−ｊ×．８６６であり、これらは全て絶対値が１である。全てのＡＰが同じＬＯ周波数を有する場合にのみ、周波数の安定状態の収束がもたらされ、このことは、初期のｆ0ベクトルがλ1＝１という絶対値が最大の固有値に対応する固有ベクトル［１  １  １］のスカラー倍であることを示唆する。全ての他の初期条件では、ネットワーク中の各ＡＰに対して継続的な周波数の振動がある。
【０３６９】
[0406]  図４１は、Ｎ＝３個の展開されたＡＰの例示的な交わりをもたないネットワーク４１００を示す。しかしながら、例示的なネットワーク４０００のＡＰの間には非対称的な信号接続がある。
【０３７０】
[0407]  例示的なネットワーク４０００のための再帰的な等式は、
【０３７１】
【数８】
0006388944.tif 000009
【０３７２】
によって与えられ得る。
またはより一般的には、
【０３７３】
【数９】
0006388944.tif 000010
【０３７４】
であり、ここでｋ＋ｌ＋ｍ＝Ｎである。
【０３７５】
[0408]  これは、Ｔが対角ブロック行列の形態を有し、各ブロックＢが確率行列である、退化した場合である。上の３×３の行列では、固有値が１、１、０である。λ＝１が繰り返し発生することは、ネットワークに交わりがないことを示唆する。このことは一般に、任意の数の行のペアを互いに交換することによってこの対角ブロックへと変換されることが可能である、任意のＴ行列に当てはまる。λ＝１である固有値の数は、ブロックＢの数に等しいであろう。
【０３７６】
[0409]  図３８〜図４１を参照して説明される事例の全てにおいて、および一般に全ての確率的なＴ行列に対して、ネットワークにわたる周波数の安定性は、完全な情報が仮定されるときに保証され得る。より大きなＮの値に対しては、ネットワークの収束特性を評価するためにシミュレーションが必要とされる。ＡＰの展開の合理的なモデルが、ペアごとの接続の規定とともに必要とされる。これらの接続を規定し、ＡＰの互いとの近接を合理的に考慮することを試みるために、確率的モデルが作成され得る。
【０３７７】
[0410]  図４２は、４５個のＡＰ（例えば、ＡＰ４２０５、４２１０など）の例示的なネットワーク４２００を示す。ＡＰは、５つのＡＰの９個のグループ（グループ１、グループ２、…グループ９）に分けられ得る。これらの番号を付けられたグループは、各グループ内でのＡＰの例示的な相対的配置とともに示されている。あるグループ内の５つのＡＰの中で、ペアが双方向に接続されているペアごとの確率は、確率Ｐwgによって与えられ、矢印のない線によって示されている。加えて、隣接グループの２つのセットにまたがる接続が、Ｐgというペアごとの確率を有するＡＰの間で行われ、少なくとも１つの矢印を有する線によって示され得る。加えて、このグループ対グループの接続は、単方向である確率Ｐuに基づいて、単方向または双方向であることが許可される。１という値に近付くＰwgおよびＰgの値およびＰu＝０であるので、ネットワークは全ての４５個のＡＰにわたって完全に双方向に接続されるようになるであろうことに留意されたい。
【０３７８】
[0411]  数千個の４５×４５次元の行列Ｔが、ネットワーク４２００の周波数収束特性を分析するために、図４２に示される例示的なネットワーク４２００に基づいてシミュレーションにおいて作成され得る。まずＰu＝０であると仮定すると、Ｔ行列は確率的および対称的になり、ここで全ての行の成分の合計は１になり、ｔij＝ｔjiは、ＡＰ間の双方向の接続を表す。ｐwg＞ｐgであると仮定すると、行列は、主対角線の方に向かって、０ではない要素によってより多くが埋められるようになる。行列の対角線から離れた部分に向かって、あるグループが別のグループと照合される場合にあり得る０ではない成分がある。併置されないグループに対応する成分に対しては、０という値が配置される。
【０３７９】
[0412]  これらのＴ行列を５０００個使用して、絶対値が２番目に大きな固有値について統計が収集され得る。この分布は、ネットワークにわたるＬＯ周波数の収束率についての見当を与える。絶対値が大きいほど、必要とされる収束時間は長くなる。
【０３８０】
[0413]  図３７〜図４１において使用される式は、ＡＰjの周波数オフセットを推定するときにＡＰiが生じさせる測定誤差を示す、加法性ホワイトガウスノイズ（ＡＷＧＮ：Additive White Gaussian Noise）の項を含むように、以下で開示されるように修正され得る。
【０３８１】
【数１０】
0006388944.tif 000011
【０３８２】
ここで、ｎijはＡＰiによるＡＰjの周波数推定値に入るノイズである。このノイズは推定されるＡＰjの周波数に基づいて変化するが、分析はＡＰごとに単一のノイズの項を使用することによって簡略化され得る。大きなＮに対しては、これは合理的な仮定であるはずであり、従って再帰的な等式は、
【０３８３】
【数１１】
0006388944.tif 000012
【０３８４】
へと簡略化される。
ここでｎnは、標準偏差σのＡＷＧＮランダム変数のノイズベクトルである。各ベクトルの成分は、ＡＰと時間の両方にわたって変化する。
【０３８５】
[0414]  図４３は、本開示の様々な態様による、免許不要帯域を通じてデータを通信するように構成される複数のデバイスを含むネットワークにおけるワイヤレス通信に使用するためのデバイス４３０５のブロック図４３００を示す。いくつかの例では、デバイス４３０５が、図１、図２Ａ、または図２Ｂを参照して説明された基地局１０５または２０５の１つの１つまたは複数の態様の例であり得る。デバイス４３０５は、プロセッサであってもよい。デバイス４３０５は、受信機モジュール４３１０と、周波数管理モジュール４３１５と、送信機モジュール４３２０とを含み得る。これらのコンポーネントの各々は、互いに通信していてよい。
【０３８６】
[0415]  デバイス４３０５のコンポーネントは、ハードウェアにおいて適用可能な機能の一部または全てを行うように適応された１つまたは複数の特定用途向け集積回路（ＡＳＩＣ）を使用して、個々にまたは集合的に実装され得る。代替的には、それらの機能は、１つまたは複数の他の処理ユニット（またはコア）によって、１つまたは複数の集積回路上で行われ得る。他の例では、他のタイプの集積回路（例えば、ストラクチャード／プラットフォームＡＳＩＣ、フィールドプログラマブルゲートアレイ（ＦＰＧＡ）、および他のセミカスタムＩＣ）が使用され得、当技術分野で知られている任意の方法でプログラムされ得る。各ユニットの機能はまた、全体的または部分的に、１つまたは複数の汎用プロセッサまたは特定用途向けプロセッサによって実行されるようにフォーマットされた、メモリに組み込まれた命令によって実装され得る。
【０３８７】
[0416]  いくつかの例では、受信機モジュール４３１０が、第１の帯域（例えば、免許ＬＴＥ帯域）または第２の帯域（例えば、免許不要帯域のような、異なる送信プロトコルのもとで動作するデバイスによって使用される「共有帯域」）において送信を受信するように動作可能な高周波（ＲＦ）受信機などのＲＦ受信機であってよく、またはそれを含んでよい。受信機モジュール４３１０は、図１、図２Ａ、または図２Ｂを参照して説明されたワイヤレス通信システム１００、２００、または２５０の１つまたは複数の通信リンクのような、第１の帯域と第２の帯域とを含むワイヤレス通信システムの１つまたは複数の通信リンクを通じて、様々なタイプのデータまたは制御信号（すなわち、送信(transmissions)）を受信するために使用され得る。
【０３８８】
[0417]  いくつかの例では、送信機モジュール４３２０が、第１の帯域または第２の帯域において送信をするように動作可能なＲＦ送信機などのＲＦ送信機であってよく、またはそれを含んでよい。送信機モジュール４３２０は、第１の帯域と第２の帯域とを含むワイヤレス通信システムの１つまたは複数の通信リンクを通じて様々なタイプのデータまたは制御信号（すなわち、送信(transmissions)）を送信するために使用され得る。
【０３８９】
[0418]  いくつかの例では、周波数管理モジュール４３１５が、免許不要帯域を通じて少なくとも１つの近隣デバイス（例えば、少なくとも１つの近隣基地局）から周波数情報を受信できる。周波数管理モジュール４３１５は、デバイス４３０５の周波数を繰り返し調整するために、受信された周波数情報を使用できる。
【０３９０】
[0419]  図４４は、本開示の様々な態様による、免許不要帯域を通じてデータを通信するように構成される複数のデバイスを含むネットワークにおけるワイヤレス通信に使用するためのデバイス４４０５のブロック図４４００を示す。いくつかの例では、デバイス４４０５が、図１もしくは図２を参照して説明された基地局１０５もしくは２０５の１つ、または、図４３を参照して説明されたデバイス４３０５の、１つまたは複数の態様の例であり得る。デバイス４４０５は、プロセッサであってもよい。デバイス４４０５は、受信機モジュール４４１０と、周波数管理モジュール４４１５と、送信機モジュール４４２０とを含み得る。これらのコンポーネントの各々は、互いに通信していてよい。
【０３９１】
[0420]  デバイス４４０５のコンポーネントは、個別にまたは集合的に、ハードウェア中の適用可能な機能の一部または全てを行うように適応された１つまたは複数のＡＳＩＣを使用して実装され得る。代替的には、それらの機能は、１つまたは複数の他の処理ユニット（またはコア）によって、１つまたは複数の集積回路上で行われ得る。他の例では、他のタイプの集積回路（例えば、ストラクチャード／プラットフォームＡＳＩＣ、ＦＰＧＡ、および他のセミカスタムＩＣ）が使用され得、当技術分野で知られている任意の方法でプログラムされ得る。各ユニットの機能はまた、全体的または部分的に、１つまたは複数の汎用プロセッサまたは特定用途向けプロセッサによって実行されるようにフォーマットされた、メモリに組み込まれた命令によって実装され得る。
【０３９２】
[0421]  いくつかの例では、受信機モジュール４４１０が、第１の帯域（例えば、免許ＬＴＥ帯域）または第２の帯域（例えば、免許不要帯域のような、異なる送信プロトコルのもとで動作するデバイスによって使用される「共有帯域」）において送信を受信するように動作可能なＲＦ受信機などのＲＦ受信機であってよく、またはそれを含んでよい。ＲＦ受信機は、第１の帯域および第２の帯域のために別々の受信機を含み得る。いくつかの場合、別々の受信機は、第１の帯域を通じて通信するための免許帯域受信機モジュール４４１２、および第２の帯域を通じて通信するための免許不要帯域受信機モジュール４４１４という形態をとり得る。免許帯域受信機モジュール４４１２または免許不要帯域受信機モジュール４４１４を含む受信機モジュール４４１０は、図１、図２Ａ、または図２Ｂを参照して説明されたワイヤレス通信システム１００、２００、または２５０の１つまたは複数の通信リンクのような、免許帯域と免許不要帯域とを含むワイヤレス通信システムの１つまたは複数の通信リンクを通じて様々なタイプのデータまたは制御信号（すなわち、送信(transmissions)）を受信するために使用され得る。
【０３９３】
[0422]  いくつかの例では、送信機モジュール４４２０が、第１の帯域または第２の帯域において送信をするように動作可能なＲＦ送信機などのＲＦ送信機であってよく、またはそれを含んでよい。ＲＦ送信機は、第１の帯域および第２の帯域のために別々の送信機を含み得る。いくつかの場合、別々の送信機は、第１の帯域を通じて通信するための免許帯域送信機モジュール４４２２、および第２の帯域を通じて通信するための免許不要帯域送信機モジュール４４２４という形態をとり得る。免許帯域送信機モジュール４４２２または免許不要帯域送信機モジュール４４２４を含む送信機モジュール４４２０は、免許帯域と免許不要帯域とを含むワイヤレス通信システムの１つまたは複数の通信リンクを通じて様々なタイプのデータまたは制御信号（すなわち、送信(transmissions)）を送信するために使用され得る。
【０３９４】
[0423]  いくつかの例では、周波数管理モジュール４４１５が、図４３を参照して説明された周波数管理モジュール４３１５の１つまたは複数の態様の例であってよく、周波数情報分析モジュール４４２５、乗算係数生成モジュール４４３０、または周波数調整モジュール４４３５を含んでよい。
【０３９５】
[0424]  いくつかの例では、周波数情報分析モジュール４４２５が、ネットワークの少なくとも１つの近隣デバイス（例えば、少なくとも１つの近隣基地局）から周波数情報を受信するために使用され得る。いくつかの場合、周波数情報は、図７、図８、図９、図１０、図１３、図１４、図１５、図１６、図１７、図１８、図２２、図２３、図２４、図２５、図２６、図２７、図２９、図３０、図３１、または図３２を参照して説明されたＣＥＴの１つのような周期的なＣＥＴの間に、ネットワークの少なくとも１つの近隣デバイスから受信され得る。他の場合、周波数情報は、図１１、図１２、図１３、図１９、図２０、図２１、図２８、図３４、図３５、または図３６を参照して説明されたＣＣＡの１つのような、時間同期と関連付けられる周期的なフレームの間に、ネットワークの少なくとも１つの近隣デバイスから受信され得る。
【０３９６】
[0425]  いくつかの例では、乗算係数生成モジュール４４３０が、デバイス４４０５および少なくとも１つの近隣デバイスの各々のための別々の乗算係数を含む、複数の乗算係数を生成するために使用され得る。乗算係数は、少なくとも１つの近隣デバイスの量に少なくとも一部基づき得る。複数の乗算係数は、確率行列を定義できる。
【０３９７】
[0426]  いくつかの例では、乗算係数が、周波数情報分析モジュール４４２５、乗算係数生成モジュール４４３０、または周波数調整モジュール４４３５の動作を経る複数の（すなわち、２回以上の）再帰的な繰返しに対して、一定に保たれ得る。複数の再帰的な繰返しにわたって乗算係数を保持することで、周波数調整と周波数収束（例えば、デバイス４４０５と少なくとも１つの近隣デバイスの間での周波数収束）の安定性を高めることができる。
【０３９８】
[0427]  いくつかの例では、周波数調整モジュール４４３５が、受信された周波数情報および乗算係数に基づいてデバイス４４０５の周波数を調整できる。周波数調整は、デバイス４４０５の周波数を、デバイス４４０５および少なくとも１つの近隣デバイスがそれを通じて通信する免許不要ネットワークの周波数に同期させることを含み得る。
【０３９９】
[0428]  図４５は、本開示の様々な態様による、免許不要帯域を通じてデータを通信するように構成される複数のデバイスを含むネットワークにおけるワイヤレス通信に使用するためのデバイス４５０５のブロック図４５００を示す。いくつかの例では、デバイス４５０５が、図１もしくは図２を参照して説明された基地局１０５もしくは２０５の１つ、または、図４３を参照して説明されたデバイス４３０５の、１つまたは複数の態様の例であり得る。デバイス４５０５は、プロセッサであってもよい。デバイス４５０５は、受信機モジュール４５１０と、周波数管理モジュール４５１５と、送信機モジュール４５２０とを含み得る。これらのコンポーネントの各々は、互いに通信していてよい。
【０４００】
[0429]  デバイス４５０５のコンポーネントは、個別にまたは集合的に、ハードウェア中の適用可能な機能の一部または全てを行うように適応された１つまたは複数のＡＳＩＣを使用して実装され得る。代替的には、それらの機能は、１つまたは複数の他の処理ユニット（またはコア）によって、１つまたは複数の集積回路上で行われ得る。他の例では、他のタイプの集積回路（例えば、ストラクチャード／プラットフォームＡＳＩＣ、ＦＰＧＡ、および他のセミカスタムＩＣ）が使用され得、当技術分野で知られている任意の方法でプログラムされ得る。各ユニットの機能はまた、全体的または部分的に、１つまたは複数の汎用プロセッサまたは特定用途向けプロセッサによって実行されるようにフォーマットされた、メモリに組み込まれた命令によって実装され得る。
【０４０１】
[0430]  いくつかの例では、受信機モジュール４５１０が、第１の帯域（例えば、免許ＬＴＥ帯域）または第２の帯域（例えば、免許不要帯域のような、異なる送信プロトコルのもとで動作するデバイスによって使用される「共有帯域」）において送信を受信するように動作可能なＲＦ受信機などのＲＦ受信機であってよく、またはそれを含んでよい。ＲＦ受信機は、第１の帯域および第２の帯域のために別々の受信機を含み得る。いくつかの場合、別々の受信機は、第１の帯域を通じて通信するための免許帯域受信機モジュール４５１２、および第２の帯域を通じて通信するための免許不要帯域受信機モジュール４５１４という形態をとり得る。免許帯域受信機モジュール４５１２または免許不要帯域受信機モジュール４５１４を含む受信機モジュール４５１０は、図１、図２Ａ、または図２Ｂを参照して説明されたワイヤレス通信システム１００、２００、または２５０の１つまたは複数の通信リンクのような、免許帯域と免許不要帯域とを含むワイヤレス通信システムの１つまたは複数の通信リンクを通じて様々なタイプのデータまたは制御信号（すなわち、送信(transmissions)）を受信するために使用され得る。
【０４０２】
[0431]  いくつかの例では、送信機モジュール４５２０が、第１の帯域または第２の帯域において送信をするように動作可能なＲＦ送信機などのＲＦ送信機であってよく、またはそれを含んでよい。ＲＦ送信機は、第１の帯域および第２の帯域のために別々の送信機を含み得る。いくつかの場合、別々の送信機は、第１の帯域を通じて通信するための免許帯域送信機モジュール４５２２、および第２の帯域を通じて通信するための免許不要帯域送信機モジュール４５２４という形態をとり得る。免許帯域送信機モジュール４５２２または免許不要帯域送信機モジュール４５２４を含む送信機モジュール４５２０は、免許帯域と免許不要帯域とを含むワイヤレス通信システムの１つまたは複数の通信リンクを通じて様々なタイプのデータまたは制御信号（すなわち、送信(transmissions)）を送信するために使用され得る。
【０４０３】
[0432]  いくつかの例では、周波数管理モジュール４５１５が、図４３または図４４を参照して説明された周波数管理モジュール４３１５または４４１５の１つまたは複数の態様の例であってよく、周波数情報分析モジュール４５２５、タイミング階層決定モジュール４５３０、リンク品質決定モジュール４３３５、乗算係数生成モジュール４５４０、または周波数調整モジュール４５４５を含んでよい。
【０４０４】
[0433]  いくつかの例では、周波数情報分析モジュール４５２５が、ネットワークの少なくとも１つの近隣デバイス（例えば、少なくとも１つの近隣基地局）から周波数情報を受信するために使用され得る。いくつかの場合、周波数情報は、図７、図８、図９、図１０、図１３、図１４、図１５、図１６、図１７、図１８、図２２、図２３、図２４、図２５、図２６、図２７、図２９、図３０、図３１、または図３２を参照して説明されたＣＥＴの１つのような周期的なＣＥＴの間に、ネットワークの少なくとも１つの近隣デバイスから受信され得る。他の場合、周波数情報は、図１１、図１２、図１３、図１９、図２０、図２１、図２８、図３４、図３５、または図３６を参照して説明されたＣＣＡの１つのような、時間同期と関連付けられる周期的なフレームの間に、ネットワークの少なくとも１つの近隣デバイスから受信され得る。
【０４０５】
[0434]  いくつかの例では、タイミング階層決定モジュール４５３０が、少なくとも１つの近隣デバイスの各々のタイミング階層を決定するために使用され得る。例として、タイミング階層は、受信された周波数情報から、または、免許不要帯域もしくは別の帯域（例えば、ＬＴＥ帯域）を通じて１つまたは複数のメッセージにおいて受信される情報から、決定され得る。
【０４０６】
[0435]  いくつかの例では、リンク品質決定モジュール４５３５が、少なくとも１つの近隣デバイスの各々のリンク品質を決定するために使用され得る。例として、リンク品質は、受信された周波数情報から決定され得る。
【０４０７】
[0436]  いくつかの例では、乗算係数生成モジュール４５４０が、デバイス４５４０および少なくとも１つの近隣デバイスの各々のための別々の乗算係数を含む複数の乗算係数を生成するために使用され得る。乗算係数は、少なくとも１つの近隣デバイスの量に少なくとも一部基づき得る。少なくとも１つの近隣基地局の各々に対して生成される乗算係数はさらに、（例えば、ＧＰＳソース（これはいくつかの場合には１という乗算係数を割り当てられ得る）のようなより低い階層と関連付けられる基地局により大きな重みを与えるために）その近隣基地局と関連付けられるタイミング階層に基づき得る。少なくとも１つの近隣基地局の各々のために生成される乗算係数はさらに、（例えば、より良好なリンク品質により大きな重みを与えるために）その近隣基地局と関連付けられるリンク品質に基づき得る。複数の乗算係数は、確率行列を定義できる。
【０４０８】
[0437]  いくつかの例では、乗算係数が、周波数情報分析モジュール４５２５、タイミング階層決定モジュール４５３０、リンク品質決定モジュール４５３５、乗算係数生成モジュール４５４０、または周波数調整モジュール４５４５の動作を経る複数の（すなわち、２回以上の）再帰的な繰返しに対して、一定に保たれ得る。複数の再帰的な繰返しにわたって乗算係数を保持することで、周波数調整と周波数収束（例えば、デバイス４５０５と少なくとも１つの近隣デバイスの間での周波数収束）の安定性を高めることができる。
【０４０９】
[0438]  いくつかの例では、周波数調整モジュール４５４５が、受信された周波数情報および乗算係数に基づいてデバイス４５０５の周波数を調整できる。周波数調整は、デバイス４５０５の周波数を、デバイス４５０５および少なくとも１つの近隣デバイスがそれを通じて通信する免許不要ネットワークの周波数に同期させることを含み得る。
【０４１０】
[0439]  図４６は、本開示の様々な態様による、免許不要帯域を通じてデータを通信するように構成される複数の基地局を含むネットワークにおけるワイヤレス通信の例示的な方法４６００の例を示すフローチャートである。明瞭にするために、方法４６００は、図１、図２Ａ、もしくは図２Ｂを参照して説明された基地局１０５もしくは２０５の１つまたは複数、または、図４３、図４４、もしくは図４５を参照して説明されたデバイス４３０５、４４０５、もしくは４５０５の１つの態様を参照して以下で説明される。いくつかの例では、基地局１０５もしくは２０５の１つ、またはデバイス４３０５、４４０５、もしくは４５０５の１つのような、基地局またはデバイスが、以下で説明される機能を行うようにデバイスの機能要素を制御するために、コードの１つまたは複数のセットを実行し得る。
【０４１１】
[0440]  図４６に示されるブロック４６０５、４６１０、および４６１５は、少なくとも第１の基地局の周波数をネットワーク（いくつかの場合に図３７〜図４２を参照して説明されたネットワークの１つまたは複数の特性を有するネットワークであり得るにおいて同期させるために、複数の再帰的な繰返しにおいて行われるべき動作の例示的なセットを与える。
【０４１２】
[0441]  ブロック４６０５では、周波数情報が、ネットワークの少なくとも１つの近隣基地局から受信され得る。いくつかの場合、周波数情報は、図７、図８、図９、図１０、図１３、図１４、図１５、図１６、図１７、図１８、図２２、図２３、図２４、図２５、図２６、図２７、図２９、図３０、図３１、または図３２を参照して説明されたＣＥＴの１つのような周期的なＣＥＴの間に、ネットワークの少なくとも１つの近隣基地局から受信され得る。他の場合、周波数情報は、図１１、図１２、図１３、図１９、図２０、図２１、図２８、図３４、図３５、または図３６を参照して説明されたＣＣＡの１つのような、時間同期と関連付けられる周期的なフレームの間に、ネットワークの少なくとも１つの近隣基地局から受信され得る。
【０４１３】
[0442]  ブロック４６０５での動作は、図４３、図４４、もしくは図４５を参照して説明された周波数管理モジュール４３１５、４４１５、もしくは４５１５によって、または、図４４もしくは図４５を参照して説明された周波数情報分析モジュール４４２５もしくは４５２５によって行われ得る。
【０４１４】
[0443]  ブロック４６１０では、第１の基地局および少なくとも１つの近隣基地局の各々のための別々の乗算係数を含む複数の乗算係数が生成される。乗算係数は、少なくとも１つの近隣基地局の量に少なくとも一部基づき得る。複数の乗算係数は、確率行列を定義できる。ブロック４６１０での動作は、図４３、図４４、もしくは図４５を参照して説明された周波数管理モジュール４３１５、４４１５、もしくは４５１５によって、または、図４４もしくは図４５を参照して説明された乗算係数生成モジュール４４３０もしくは４５４０によって行われ得る。
【０４１５】
[0444]  ブロック４６１５では、第１の基地局の周波数が、受信された周波数情報および乗算係数に基づいて調整され得る。ブロック４６１５での動作は、図４３、図４４、もしくは図４５を参照して説明された周波数管理モジュール４３１５、４４１５、もしくは４５１５によって、または、図４４もしくは図４５を参照して説明された周波数調整モジュール４４３５もしくは４５４５によって行われ得る。
【０４１６】
[0445]  いくつかの例では、乗算係数が、ブロック４６０５、４６１０、および４６１５を経る複数の（すなわち、２回以上の）再帰的な繰返しに対して一定に保たれ得る。複数の繰返しにわたって乗算係数を保持することで、周波数調整と周波数収束（例えば、複数の基地局の間での周波数収束）の安定性を高めることができる。
【０４１７】
[0446]  従って、方法４６００はワイヤレス通信の備えをできる。方法４６００は一実装形態にすぎず、方法４６００の動作は、他の実装形態が可能であるように再構成され、または別様に修正され得ることに留意されたい。
【０４１８】
[0447]  図４７は、本開示の様々な態様による、免許不要帯域を通じてデータを通信するように構成される複数の基地局を含むネットワークにおけるワイヤレス通信の例示的な方法４７００の例を示すフローチャートである。明瞭にするために、方法４７００は、図１、図２Ａ、もしくは図２Ｂを参照して説明された基地局１０５もしくは２０５の１つまたは複数、または、図４３、図４４、もしくは図４５を参照して説明されたデバイス４３０５、４４０５、もしくは４５０５の１つの態様を参照して以下で説明される。いくつかの例では、基地局１０５もしくは２０５の１つ、またはデバイス４３０５、４４０５、もしくは４５０５の１つのような、基地局またはデバイスが、以下で説明される機能を行うようにデバイスの機能要素を制御するために、コードの１つまたは複数のセットを実行し得る。
【０４１９】
[0448]  図４７に示されるブロック４７０５、４７１０、４７１５、４７２０、および４７２５は、少なくとも第１の基地局の周波数をネットワーク（いくつかの場合に図３７〜図４２を参照して説明されたネットワークの１つまたは複数の特性を有するネットワークであり得るにおいて同期させるために、複数の再帰的な繰返しにおいて行われるべき動作の例示的なセットを与える。
【０４２０】
[0449]  ブロック４７０５では、周波数情報が、ネットワークの少なくとも１つの近隣基地局から受信され得る。いくつかの場合、周波数情報は、図７、図８、図９、図１０、図１３、図１４、図１５、図１６、図１７、図１８、図２２、図２３、図２４、図２５、図２６、図２７、図２９、図３０、図３１、または図３２を参照して説明されたＣＥＴの１つのような周期的なＣＥＴの間に、ネットワークの少なくとも１つの近隣基地局から受信され得る。他の場合、周波数情報は、図１１、図１２、図１３、図１９、図２０、図２１、図２８、図３４、図３５、または図３６を参照して説明されたＣＣＡの１つのような、時間同期と関連付けられる周期的なフレームの間に、ネットワークの少なくとも１つの近隣基地局から受信され得る。
【０４２１】
[0450]  ブロック４７０５での動作は、図４３、図４４、もしくは図４５を参照して説明された周波数管理モジュール４３１５、４４１５、もしくは４５１５によって、または、図４４もしくは図４５を参照して説明された周波数情報分析モジュール４４２５もしくは４５２５によって行われ得る。
【０４２２】
[0451]  ブロック４７１０では、少なくとも１つの近隣基地局の各々のタイミング階層が決定され得る。例として、タイミング階層は、受信された周波数情報から、または、免許不要帯域もしくは別の帯域（例えば、ＬＴＥ帯域）を通じて１つまたは複数のメッセージにおいて受信される情報から、決定され得る。ブロック４７１０での動作は、図４３、図４４、もしくは図４５を参照して説明された周波数管理モジュール４３１５、４４１５、もしくは４５１５によって、または、図４５を参照して説明されたタイミング階層決定モジュール４５３０によって行われ得る。
【０４２３】
[0452]  ブロック４７１５では、少なくとも１つの近隣基地局の各々のリンク品質が決定され得る。例として、リンク品質は、受信された周波数情報から決定され得る。ブロック４７１５での動作は、図４３、図４４、もしくは図４５を参照して説明された周波数管理モジュール４３１５、４４１５、もしくは４５１５によって、または、図４５を参照して説明されたリンク品質決定モジュール４５３５によって行われ得る。
【０４２４】
[0453]  ブロック４７２０では、第１の基地局および少なくとも１つの近隣基地局の各々のための別々の乗算係数を含む複数の乗算係数が生成される。乗算係数は、少なくとも１つの近隣基地局の量に少なくとも一部基づき得る。少なくとも１つの近隣基地局の各々に対して生成される乗算係数はさらに、（例えば、ＧＰＳソース（これはいくつかの場合には１という乗算係数を割り当てられ得る）のようなより低い階層と関連付けられる基地局により大きな重みを与えるために）その近隣基地局と関連付けられるタイミング階層に基づき得る。少なくとも１つの近隣基地局の各々のために生成される乗算係数はさらに、（例えば、より良好なリンク品質により大きな重みを与えるために）その近隣基地局と関連付けられるリンク品質に基づき得る。複数の乗算係数は、確率行列を定義できる。ブロック４７２０での動作は、図４３、図４４、もしくは図４５を参照して説明された周波数管理モジュール４３１５、４４１５、もしくは４５１５によって、または、図４４もしくは図４５を参照して説明された乗算係数生成モジュール４４３０もしくは４５４０によって行われ得る。
【０４２５】
[0454]  ブロック４７２５では、第１の基地局の周波数が、受信された周波数情報および乗算係数に基づいて調整され得る。ブロック４７２５での動作は、図４３、図４４、もしくは図４５を参照して説明された周波数管理モジュール４３１５、４４１５、もしくは４５１５によって、または、図４４もしくは図４５を参照して説明された周波数調整モジュール４４３５もしくは４５４５によって行われ得る。
【０４２６】
[0455]  いくつかの例では、乗算係数が、ブロック４７０５、４７１０、４７１５、４７２０、および４７２５を経る複数の（すなわち、２回以上の）再帰的な繰返しに対して一定に保たれ得る。複数の繰返しにわたって乗算係数を保持することで、周波数調整と周波数収束（例えば、複数の基地局の間での周波数収束）の安定性を高めることができる。
【０４２７】
[0456]  従って、方法４７００はワイヤレス通信の備えをできる。方法４７００は一実装形態にすぎず、方法４７００の動作は、他の実装形態が可能であるように再構成され、または別様に修正され得ることに留意されたい。
【０４２８】
[0457]  いくつかの場合、方法４６００および方法４７００の１つまたは複数の態様は組み合わされ得る。方法４６００または４７００の１つまたは複数の態様はまた、図２９、図３０、図３１、図３２、図３３、図３４、図３５、または図３６において説明される方法２９００、３０００、３１００、３２００、３３００、３４００、３５００、または３６００の１つまたは複数の態様と組み合わされ得る。
【０４２９】
[0458]  図４８は、本開示の様々な態様による、ワイヤレス通信のために構成される基地局４８０５を示すブロック図４８００を示す。いくつかの例では、基地局４８０５が、図１、図２Ａ、もしくは図２Ｂを参照して説明された基地局１０５もしくは２０５の１つ、または、図１３、図１４、図１５、図１６、図１７、図１８、図１９、図２０、図２１、図４３、図４４、もしくは図４５を参照して説明されたデバイス１３０５、１４０５、１５０５、１６０５、１７０５、１８０５、１９０５、２００５、２１０５、４３０５、４４０５、もしくは４５０５の１つの、１つまたは複数の態様の例であり得る。基地局４８０５は、時間調整、周波数調整、またはワイヤレス通信に関して本明細書で説明された特徴および機能の少なくともいくつかを実装するように構成され得る。基地局４８０５は、プロセッサモジュール４８１０と、メモリモジュール４８２０と、少なくとも１つの送受信機モジュール（送受信機モジュール４８５５で表される）と、少なくとも１つのアンテナ（アンテナ４８６０で表される）と、共有ＲＦ帯域モジュール４８７０とを含み得る。基地局４８０５はまた、基地局通信モジュール４８３０と、ネットワーク通信モジュール４８４０と、システム通信管理モジュール４８５０の１つまたは複数を含み得る。これらのコンポーネントの各々は、１つまたは複数のバス４８３５上で、直接または間接的に互いに通信していることがある。
【０４３０】
[0459]  メモリモジュール４８２０は、ランダムアクセスメモリ（ＲＡＭ）または読取り専用メモリ（ＲＯＭ）を含み得る。メモリモジュール４８２０は、実行されると、プロセッサモジュール４８１０に、第１の高周波帯域（例えば、ＬＴＥ／ＬＴＥ−Ａまたは免許不要高周波帯域）または第２の高周波帯域（例えば、免許不要高周波帯域のような「共有帯域」）を通じて通信するための、および、タイミング情報または周波数情報を送信し受信して、第２の高周波帯域を通じたワイヤレス通信のためのタイミングまたは周波数の調整を行うための、本明細書で説明される様々な機能を行わせるように構成される命令を含む、コンピュータ可読のコンピュータ実行可能ソフトウェア（ＳＷ）コード４８２５を記憶できる。代替的に、ソフトウェアコード４８２５は、プロセッサモジュール４８１０によって直接的に実行可能ではないことがあるが、（例えば、コンパイルされ実行されると）本明細書で説明される様々な機能を基地局４８０５に行わせるように構成され得る。
【０４３１】
[0460]  プロセッサモジュール４８１０は、インテリジェントハードウェアデバイス、例えば、中央処理装置（ＣＰＵ）、マイクロコントローラ、ＡＳＩＣなどを含み得る。プロセッサモジュール４８１０は、（１つまたは複数の）送受信機モジュール４８５５、基地局通信モジュール４８３０、またはネットワーク通信モジュール４８４０を通じて受信された情報を処理できる。プロセッサモジュール４８１０はまた、アンテナ４８６０を通じた送信のために送受信機モジュール４８５５へ、１つまたは複数の他の基地局４８０５−ａおよび４８０５−ｂ（例えば、ｅＮＢ）への送信のために基地局通信モジュール４８３０へ、または、図１を参照して説明されたコアネットワーク１３０の態様の例であり得るコアネットワーク４８４５への送信のためにネットワーク通信モジュール４８４０へ送られるべき情報を処理できる。プロセッサモジュール４８１０は、単独で、または共有ＲＦ帯域モジュール４８７０と連携して、タイミング情報または周波数情報を送信して受信することと、第２の高周波帯域を通じたワイヤレス通信のためのタイミングまたは周波数の調整を行うことという態様を含む、第１の高周波帯域または第２の高周波帯域を通じた通信の様々な態様を扱うことができる。
【０４３２】
[0461]  送受信機モジュール４８５５は、パケットを変調し、変調されたパケットを送信のためにアンテナ４８６０に与え、アンテナ４８６０から受信されたパケットを復調するように構成されるモデムを含み得る。いくつかの場合、（１つまたは複数の）送受信機モジュール４８５５は、１つまたは複数の送信機モジュールおよび１つまたは複数の別個の受信機モジュールとして実装され得る。送受信機モジュール４８５５は、第１の高周波帯域または第２の高周波帯域における通信をサポートし得る。（１つまたは複数の）送受信機モジュール４８５５は、例えば、図１、図２Ａ、または図２Ｂを参照して説明された、ＵＥ１１５または２１５の１つまたは複数と、（１つまたは複数の）アンテナ４８６０を介して双方向に通信するように構成され得る。基地局４８０５は、通常、複数のアンテナ４８６０（例えば、アンテナアレイ）を含み得る。基地局４８０５は、ネットワーク通信モジュール４８４０を通じてコアネットワーク４８４５と通信し得る。基地局４８０５はまた、基地局通信モジュール４８３０を使用して、基地局４８０５−ａおよび４８０５−ｂなどの他の基地局と通信し得る。いくつかの場合、基地局４８０５は、タイミング情報または周波数情報を交換し、第２の高周波帯域を通じたワイヤレス通信のためのタイミング調整または周波数調整を行う目的で、他の基地局４８０５−ａおよび４８０５−ｂと通信できる。
【０４３３】
[0462]  図４８のアーキテクチャによれば、システム通信管理モジュール４８５０は、他の基地局、ｅＮＢ、またはデバイスとの通信を管理できる。いくつかの場合、システム通信管理モジュール４８５０の機能は、（１つまたは複数の）送受信機モジュール４８５５のコンポーネントとして、コンピュータプログラム製品として、またはプロセッサモジュール４８１０の１つまたは複数のコントローラ要素として実装され得る。
【０４３４】
[0463]  共有ＲＦ帯域モジュール４８７０は、タイミング情報または周波数情報を交換することと、第２の高周波帯域を通じたワイヤレス通信のためのタイミング調整または周波数調整を行うこととを含む、第１の高周波帯域または第２の高周波帯域におけるワイヤレス通信に関する図１、図２Ａ、図２Ｂ、および図３〜図４７のいずれかまたは全てを参照して説明された特徴または機能の一部または全てを行いまたは制御するように構成され得る。いくつかの場合、共有ＲＦ帯域モジュール４８７０は、第２の高周波帯域において補足ダウンリンクモード、キャリアアグリゲーションモード、またはスタンドアロン動作モードをサポートするように構成され得る。共有ＲＦ帯域モジュール４８７０は、免許帯域におけるＬＴＥ／ＬＴＥ−Ａ通信を扱うように構成されたＬＴＥモジュール４８７５、免許不要帯域おいてＬＴＥ／ＬＴＥ−Ａ通信を扱うように構成されたＬＴＥ免許不要モジュール４８８０、または、免許不要帯域においてＬＴＥ／ＬＴＥ−Ａ以外の通信を扱うように構成された免許不要モジュール４８８５を含み得る。共有ＲＦ帯域モジュール４８７０はまた、タイミングおよび周波数管理モジュール４８９０を含み得る。タイミングおよび周波数管理モジュール４８９０は、図１３、図１４、図１５、図１６、図１７、図１８、図１９、図２０、もしくは図２１を参照して説明されたタイミング管理モジュール１３１５、１４１５、１５１５、１６１５、１７１５、１８１５、１９１５、２０１５、もしくは２１１５、または、図４３、図４４、もしくは図４５を参照して説明された周波数管理モジュール４３１５、４４１５、もしくは４５１５の１つまたは複数の態様の例であり得る。共有ＲＦ帯域モジュール４８７０またはその部分は、プロセッサを含んでよく、または、共有ＲＦ帯域モジュール４８７０の機能の一部または全ては、プロセッサモジュール４８１０によって、もしくはプロセッサモジュール４８１０に関連して行われ得る。
【０４３５】
[0464]  添付の図面に関して上に記載された発明を実施するための形態は、例示的な実施形態について説明しており、実装され得るまたは特許請求の範囲内に入る例のみを表すものではない。「例」および「例示的」という語は、この説明で使用されるとき、「一例、実例、または例示としての役割を果たす」ことを意味し、「好ましい」または「他の例より有利である」ことを意味しない。発明を実施するための形態は、説明された技法の理解をもたらすための具体的な詳細を含む。しかしながら、これらの技法は、これらの特定の詳細を伴わずに実践され得る。いくつかの事例では、説明された例の概念を不明瞭にすることを回避するために、よく知られている構造およびデバイスがブロック図の形式で示される。
【０４３６】
[0465]  情報および信号は、様々な異なる技術および技法のいずれかを使用して表現され得る。例えば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０４３７】
[0466]  本明細書の開示に関連して説明された様々な例示的な論理ブロックおよびモジュールは、汎用プロセッサ、デジタル信号プロセッサ（ＤＳＰ）、ＡＳＩＣ、ＦＰＧＡまたは他のプログラマブル論理デバイス、個別ゲートもしくはトランジスタロジック、個別ハードウェアコンポーネント、もしくは本明細書で説明された機能を行うように設計されたそれらの任意の組合せによって実装または行われ得る。汎用プロセッサはマイクロプロセッサであり得るが、代替的には、プロセッサは任意の従来のプロセッサ、コントローラ、マイクロコントローラ、またはステートマシンであり得る。プロセッサは、コンピューティングデバイスの組合せ、例えば、ＤＳＰおよびマイクロプロセッサの組合せ、複数のマイクロプロセッサ、ＤＳＰコアと連携する１つもしくは複数のマイクロプロセッサ、または任意の他のそのような構成としても実装され得る。
【０４３８】
[0467]  本明細書において説明された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶され、またはコンピュータ可読媒体を介して送信され得る。他の例および実装形態が、本開示および添付の特許請求の範囲および趣旨内にある。例えば、ソフトウェアの性質により、上で説明された機能は、プロセッサ、ハードウェア、ファームウェア、配線、またはこれらのうちのいずれかの組合せによって実行されるソフトウェアを使用して実装され得る。機能を実装する特徴はまた、機能の一部が異なる物理的位置に実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、例えば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０４３９】
[0468]  コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または、命令もしくはデータ構造の形態の所望のプログラムコード手段を搬送または記憶するために使用され、汎用もしくは専用コンピュータまたは汎用もしくは専用プロセッサによってアクセスされ得る、任意の他の媒体を備え得る。また、任意の接続がコンピュータ可読媒体と適切に呼ばれる。例えば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は媒体の定義に含まれる。本明細書で使用されるディスク（disk）およびディスク（disc）は、コンパクトディスク（ＣＤ）と、レーザーディスク（登録商標）と、光ディスクと、デジタル多用途ディスク（ＤＶＤ）と、フロッピー（登録商標）ディスクと、Ｂｌｕ−ｒａｙ（登録商標）ディスクとを含み、ディスク（disk）は通常、データを磁気的に再生し、ディスク（disc）はレーザーを用いてデータを光学的に再生する。上記の組合せも、コンピュータ可読媒体の範囲内に含まれる。
【０４４０】
[0469]  本開示の前述の説明は、当業者が本開示を作製または使用することを可能にするために与えられる。本開示に対する様々な修正が当業者には容易に明らかとなり、本明細書において規定された一般原理は、本開示の趣旨または範囲から逸脱することなく他の変形形態に適用され得る。本開示全体にわたって、「例」または「例示的」という用語は、一例または一事例を示すものであり、言及された例についていかなる選好も暗示せず、または必要としない。従って、本開示は、本明細書で説明された例および設計に限定されるべきでなく、本明細書で開示された原理および新規の特徴に一致する最も広い範囲を与えられるべきである。
以下に本願発明の当初の特許請求の範囲に記載された発明を付記する。
［Ｃ１］ワイヤレス通信の方法であって、第１の基地局で、共有帯域を通じて少なくとも第２の基地局のタイミング情報を示す少なくとも１つのクリアチャネルアセスメント（ＣＣＡ）免除送信（ＣＥＴ）を受信することと、前記第１の基地局のタイミングを、少なくとも前記第２の基地局の前記受信されたタイミング情報に基づいて調整することとを備える、方法。
［Ｃ２］前記少なくとも１つのＣＥＴの各々がＣＥＴ期間の複数の公衆陸上移動体ネットワーク（ＰＬＭＮ）固有の部分の１つにおいて受信され、前記ＰＬＭＮ固有の部分の各々が複数のＰＬＭＮの１つに割り当てられ、前記複数のＰＬＭＮが前記第２の基地局と関連付けられるＰＬＭＮを備える、Ｃ１に記載の方法。
［Ｃ３］前記第２の基地局の前記ＰＬＭＮと関連付けられる前記ＰＬＭＮ固有の部分の１つを特定することをさらに備え、前記少なくとも１つのＣＥＴを受信することが、前記第２の基地局の前記タイミング情報について、前記第２の基地局の前記ＰＬＭＮと関連付けられる前記特定されたＰＬＭＮ固有の部分を聴取することを備える、Ｃ２に記載の方法。
［Ｃ４］前記第１の基地局および前記第２の基地局が、異なる事業者と関連付けられる異なるＰＬＭＮの構成員であり、前記ＰＬＭＮが互いに時間同期される、Ｃ１に記載の方法。
［Ｃ５］前記少なくとも１つのＣＥＴが、複数の周期的にスケジューリングされるＣＥＴ期間のあるＣＥＴ期間の間に受信され、前記複数の周期的にスケジューリングされるＣＥＴ期間の各々が複数のＰＬＭＮ固有の領域と共通の送信領域とを備える、Ｃ１に記載の方法。
［Ｃ６］異なるＣＥＴ期間の共通の送信領域が交代式で異なるＰＬＭＮに割り当てられ、前記異なるＰＬＭＮが前記第２の基地局と関連付けられるＰＬＭＮを備える、Ｃ５に記載の方法。
［Ｃ７］前記少なくとも１つのＣＥＴが、前記共有帯域を通じて前記第２の基地局の前記タイミング情報を示す第１のＣＥＴと、前記共有帯域を通じて第３の基地局のタイミング情報を示す第２のＣＥＴとを含み、前記第１のＣＥＴおよび前記第２のＣＥＴが同時に受信される、Ｃ１に記載の方法。
［Ｃ８］前記少なくとも１つのＣＥＴがさらに、前記共有帯域を通じて第３の基地局のタイミング情報を示し、前記第１の基地局の前記タイミングを、前記第３の基地局の前記タイミング情報に基づいて調整することをさらに備える、Ｃ１に記載の方法。
［Ｃ９］ワイヤレス通信のための装置であって、第１の基地局で、共有帯域を通じて少なくとも第２の基地局のタイミング情報を示す少なくとも１つのクリアチャネルアセスメント（ＣＣＡ）免除送信（ＣＥＴ）を受信するための手段と、前記第１の基地局のタイミングを、少なくとも前記第２の基地局の前記受信されたタイミング情報に基づいて調整するための手段とを備える、装置。
［Ｃ１０］前記少なくとも１つのＣＥＴの各々がＣＥＴ期間の複数の公衆陸上移動体ネットワーク（ＰＬＭＮ）固有の部分の１つにおいて受信され、前記ＰＬＭＮ固有の部分の各々が複数のＰＬＭＮの１つに割り当てられ、前記複数のＰＬＭＮが前記第２の基地局と関連付けられるＰＬＭＮを備える、Ｃ９に記載の装置。
［Ｃ１１］前記第２の基地局の前記ＰＬＭＮと関連付けられる前記ＰＬＭＮ固有の部分の１つを特定するための手段をさらに備え、前記少なくとも１つのＣＥＴを受信するための前記手段が、前記第２の基地局の前記タイミング情報について、前記第２の基地局の前記ＰＬＭＮと関連付けられる前記特定されたＰＬＭＮ固有の部分を聴取するための手段を備える、Ｃ１０に記載の装置。
［Ｃ１２］前記第１の基地局および前記第２の基地局が、異なる事業者と関連付けられる異なるＰＬＭＮの構成員であり、前記ＰＬＭＮが互いに時間同期される、Ｃ９に記載の装置。
［Ｃ１３］前記少なくとも１つのＣＥＴが、複数の周期的にスケジューリングされるＣＥＴ期間のあるＣＥＴ期間の間に受信され、前記複数の周期的にスケジューリングされるＣＥＴ期間の各々が複数のＰＬＭＮ固有の領域と共通の送信領域とを備える、Ｃ９に記載の装置。
［Ｃ１４］異なるＣＥＴ期間の共通の送信領域が交代式で異なるＰＬＭＮに割り当てられ、前記異なるＰＬＭＮが前記第２の基地局と関連付けられるＰＬＭＮを備える、Ｃ１３に記載の装置。
［Ｃ１５］前記少なくとも１つのＣＥＴが、前記共有帯域を通じて前記第２の基地局の前記タイミング情報を示す第１のＣＥＴと、前記共有帯域を通じて第３の基地局のタイミング情報を示す第２のＣＥＴとを含み、前記第１のＣＥＴおよび前記第２のＣＥＴが同時に受信される、Ｃ９に記載の装置。
［Ｃ１６］前記少なくとも１つのＣＥＴがさらに、前記共有帯域を通じて第３の基地局のタイミング情報を示し、前記第１の基地局の前記タイミングを、前記第３の基地局の前記タイミング情報に基づいて調整するための手段をさらに備える、Ｃ９に記載の装置。
［Ｃ１７］ワイヤレス通信の方法であって、共有帯域のフレームのために第１の基地局に割り当てられるクリアチャネルアセスメント（ＣＣＡ）スロットを特定することと、前記フレームは時間同期と関連付けられる、ＣＣＡを、前記フレームのための前記特定されたＣＣＡスロットで行うことと、前記ＣＣＡが成功するときに、前記フレームの間に前記第１の基地局の第１のタイミング情報を選択的に送信することと、前記ＣＣＡが成功しないときに、前記フレームの間に第２の基地局の第２のタイミング情報を聴取することとを備える、方法。
［Ｃ１８］前記第１の基地局のタイミング階層に基づいて、タイミング同期と関連付けられる複数のフレームのために前記第１の基地局のＣＣＡ周波数をゲーティングすることをさらに備える、Ｃ１７に記載の方法。
［Ｃ１９］前記ゲーティングの周期性が前記第１の基地局の前記タイミング階層に基づく、Ｃ１８に記載の方法。
［Ｃ２０］前記ＣＣＡが成功しないと決定することと、前記第１の基地局で、前記フレームのための前記第２の基地局からチャネル使用ビーコン信号を受信することとをさらに備える、Ｃ１７に記載の方法。
［Ｃ２１］前記フレームの間に前記第２の基地局から前記第２のタイミング情報を受信することと、前記第１の基地局のタイミングを、前記フレームの間に前記第２の基地局から受信された前記第２のタイミング情報に基づいて調整することとをさらに備える、Ｃ２０に記載の方法。
［Ｃ２２］前記第１の基地局の前記タイミングを、第３の基地局から受信された第３のタイミング情報に基づいて調整することをさらに備える、Ｃ２１に記載の方法。
［Ｃ２３］前記ＣＣＡが成功すると決定することをさらに備え、前記第１のタイミング情報が、前記フレームの少なくとも１つの参照信号リソース要素の間に送信される、Ｃ１７に記載の方法。
［Ｃ２４］前記フレームの間に少なくとも１つのユーザ機器（ＵＥ）にデータを送信することをさらに備え、前記データが前記第１のタイミング情報の前記送信と同時に前記ＵＥに送信される、Ｃ２３に記載の方法。
［Ｃ２５］ワイヤレス通信のための装置であって、共有帯域のフレームのために第１の基地局に割り当てられるクリアチャネルアセスメント（ＣＣＡ）スロットを特定するための手段と、前記フレームは時間同期と関連付けられる、ＣＣＡを、前記フレームのための前記特定されたＣＣＡスロットで行うための手段と、前記ＣＣＡが成功するときに、前記フレームの間に前記第１の基地局の第１のタイミング情報を選択的に送信するための手段と、前記ＣＣＡが成功しないときに、前記フレームの間に第２の基地局の第２のタイミング情報を聴取するための手段とを備える、装置。
［Ｃ２６］前記第１の基地局のタイミング階層に基づいて、タイミング同期と関連付けられる複数のフレームのために前記第１の基地局のＣＣＡ周波数をゲーティングするための手段をさらに備える、Ｃ２５に記載の装置。
［Ｃ２７］前記ゲーティングの周期性が前記第１の基地局の前記タイミング階層に基づく、Ｃ２６に記載の装置。
［Ｃ２８］前記ＣＣＡが成功しないと決定するための手段と、前記第１の基地局で、前記フレームのための前記第２の基地局からチャネル使用ビーコン信号を受信するための手段とをさらに備える、Ｃ２５に記載の装置。
［Ｃ２９］前記ＣＣＡが成功すると決定するための手段をさらに備え、前記第１のタイミング情報が、前記フレームの少なくとも１つの参照信号リソース要素の間に送信される、Ｃ２５に記載の装置。
［Ｃ３０］前記フレームの間に少なくとも１つのユーザ機器（ＵＥ）にデータを送信するための手段をさらに備え、前記データが前記第１のタイミング情報の前記送信と同時に前記ＵＥに送信される、Ｃ２９に記載の装置。
【図１】
0006388944.tif 000013
【図２Ａ】
0006388944.tif 000014
【図２Ｂ】
0006388944.tif 000015
【図３】
0006388944.tif 000016
【図４】
0006388944.tif 000017
【図５】
0006388944.tif 000018
【図６】
0006388944.tif 000019
【図７】
0006388944.tif 000020
【図８】
0006388944.tif 000021
【図９】
0006388944.tif 000022
【図１０】
0006388944.tif 000023
【図１１】
0006388944.tif 000024
【図１２】
0006388944.tif 000025
【図１３】
0006388944.tif 000026
【図１４】
0006388944.tif 000027
【図１５】
0006388944.tif 000028
【図１６】
0006388944.tif 000029
【図１７】
0006388944.tif 000030
【図１８】
0006388944.tif 000031
【図１９】
0006388944.tif 000032
【図２０】
0006388944.tif 000033
【図２１】
0006388944.tif 000034
【図２２】
0006388944.tif 000035
【図２３】
0006388944.tif 000036
【図２４】
0006388944.tif 000037
【図２５】
0006388944.tif 000038
【図２６】
0006388944.tif 000039
【図２７】
0006388944.tif 000040
【図２８】
0006388944.tif 000041
【図２９】
0006388944.tif 000042
【図３０】
0006388944.tif 000043
【図３１】
0006388944.tif 000044
【図３２】
0006388944.tif 000045
【図３３】
0006388944.tif 000046
【図３４】
0006388944.tif 000047
【図３５】
0006388944.tif 000048
【図３６】
0006388944.tif 000049
【図３７】
0006388944.tif 000050
【図３８】
0006388944.tif 000051
【図３９】
0006388944.tif 000052
【図４０】
0006388944.tif 000053
【図４１】
0006388944.tif 000054
【図４２】
0006388944.tif 000055
【図４３】
0006388944.tif 000056
【図４４】
0006388944.tif 000057
【図４５】
0006388944.tif 000058
【図４６】
0006388944.tif 000059
【図４７】
0006388944.tif 000060
【図４８】
0006388944.tif 000061